(57)【要約】【課題】コンテンツの種類に応じた自由度の高い操作系を得ることが可能な映像表示システム、映像表示装置、通信端末装置、装置制御方法およびコンテンツ制御方法を提供する。【解決手段】映像表示装置は、第１表示手段に表示されているコンテンツに対応する操作パネルデータを、通信端末装置へ送信する。通信端末装置は、操作パネルデータを使用して、第１表示手段に表示されているコンテンツを制御するための操作パネル画像を表示する。映像表示装置は、操作パネル画像に対する指示入力によるコンテンツを制御するための制御信号に応じて、コンテンツを制御する。【選択図】図１０
2007304978.tif 000002
【特許請求の範囲】
【請求項１】
互いにデータ通信可能な、通信端末装置と、映像表示装置とから構成される映像表示システムであって、
前記映像表示装置は、コンテンツを配信するサーバとデータ通信可能であり、
前記サーバは、前記コンテンツと、前記コンテンツを制御するための操作パネルデータとを、前記映像表示装置へ送信し、
前記映像表示装置は、
前記コンテンツおよび前記操作パネルデータを受信する第１受信手段と、
受信した前記コンテンツを表示する第１表示手段と、
前記第１表示手段に表示されているコンテンツに対応する前記操作パネルデータを、前記通信端末装置へ送信する第１送信手段とを備え、
前記通信端末装置は、
前記操作パネルデータを受信する第２受信手段と、
前記操作パネルデータを使用して、前記第１表示手段に表示されているコンテンツを制御するための操作パネル画像を表示する第２表示手段と、
前記操作パネル画像に対する指示入力により、前記コンテンツを制御するための制御信号を、前記映像表示装置へ送信する第２送信手段とを備え、
前記第１受信手段は、前記制御信号を受信し、
前記映像表示装置は、
受信した前記制御信号に応じて、前記コンテンツを制御する制御手段をさらに備える、映像表示システム。
【請求項２】
互いにデータ通信可能な、通信端末装置と、映像表示装置とから構成される映像表示システムであって、
前記映像表示装置は、コンテンツを配信するサーバとデータ通信可能であり、
前記サーバは、前記コンテンツと、前記コンテンツを制御するための操作メタデータとを、前記映像表示装置へ送信し、
前記映像表示装置は、
前記コンテンツおよび前記操作メタデータを受信する第１受信手段と、
受信した前記コンテンツを表示する第１表示手段と、
前記第１表示手段に表示されているコンテンツを制御するための操作パネル画像を生成するための複数種類の操作パネル生成パーツデータを記憶する記憶手段と、
前記操作メタデータと、前記操作メタデータに関連する１以上の操作パネル生成パーツデータとを使用して、前記操作パネル画像を生成する生成手段と、
前記操作パネル画像のデータを、前記通信端末装置へ送信する第１送信手段とを備え、
前記通信端末装置は、
前記操作パネル画像のデータを受信する第２受信手段と、
前記操作パネル画像のデータを使用して、前記操作パネル画像を表示する第２表示手段と、
前記操作パネル画像に対する指示入力により、前記コンテンツを制御するための制御信号を、前記映像表示装置へ送信する第２送信手段とを備え、
前記第１受信手段は、前記制御信号を受信し、
前記映像表示装置は、
受信した前記制御信号に応じて、前記コンテンツを制御する制御手段をさらに備える、映像表示システム。
【請求項３】
表示部が設けられる通信端末装置と、コンテンツおよび前記コンテンツを制御するための操作メタデータを配信するサーバとデータ通信可能な映像表示装置であって、
前記映像表示装置は、
前記コンテンツおよび前記操作メタデータを受信する受信手段と、
受信した前記コンテンツを表示する表示手段と、
前記表示手段に表示されているコンテンツを制御するための操作パネル画像を生成するための複数種類の操作パネル生成パーツデータを記憶する記憶手段と、
前記操作メタデータと、前記操作メタデータに関連する１以上の操作パネル生成パーツデータとを使用して、前記操作パネル画像を生成する生成手段と、
前記操作パネル画像のデータを、前記通信端末装置へ送信する送信手段とを備え、
前記受信手段は、前記通信端末装置の前記表示部に表示されている前記操作パネル画像に対する指示入力により、前記コンテンツを制御するための制御信号を受信し、
前記映像表示装置は、
受信した前記制御信号に応じて、前記コンテンツを制御する制御手段をさらに備える、映像表示装置。
【請求項４】
互いにデータ通信可能な、通信端末装置と、映像表示装置とから構成される映像表示システムであって、
前記映像表示装置は、コンテンツを配信するサーバとデータ通信可能であり、
前記サーバは、前記コンテンツと、前記コンテンツを制御するための操作メタデータとを、前記映像表示装置へ送信し、
前記映像表示装置は、
前記コンテンツおよび前記操作メタデータを受信する第１受信手段と、
受信した前記コンテンツを表示する第１表示手段と、
受信した前記操作メタデータを、前記通信端末装置へ送信する第１送信手段とを備え、
前記通信端末装置は、
前記操作メタデータを受信する第２受信手段と、
前記第１表示手段に表示されているコンテンツを制御するための操作パネル画像を生成するための複数種類の操作パネル生成パーツデータを記憶する記憶手段と、
前記操作メタデータと、前記操作メタデータに関連する１以上の操作パネル生成パーツデータとを使用して、前記操作パネル画像を生成する生成手段と、
前記操作パネル画像を表示する第２表示手段と、
前記操作パネル画像に対する指示入力により、前記コンテンツを制御するための制御信号を、前記映像表示装置へ送信する第２送信手段とを備え、
前記第１受信手段は、前記制御信号を受信し、
前記映像表示装置は、
受信した前記制御信号に応じて、前記コンテンツを制御する制御手段をさらに備える、映像表示システム。
【請求項５】
表示部が設けられ、サーバから受信した、コンテンツおよび前記コンテンツを制御するための操作メタデータを送信し、かつ、前記コンテンツを制御するための制御信号を受信することにより前記コンテンツを制御する映像表示装置とデータ通信可能な通信端末装置であって、
前記通信端末装置は、
前記映像表示装置の前記表示部に表示されている前記コンテンツを制御するための操作メタデータを受信する受信手段と、
前記表示部に表示されているコンテンツを制御するための操作パネル画像を生成するための複数種類の操作パネル生成パーツデータを記憶する記憶手段と、
前記操作メタデータと、前記操作メタデータに関連する１以上の操作パネル生成パーツデータとを使用して、前記操作パネル画像を生成する生成手段と、
前記操作パネル画像を表示する表示手段と、
前記操作パネル画像に対する指示入力により、前記コンテンツを制御するための制御信号を、前記映像表示装置へ送信する送信手段とを備える、通信端末装置。
【請求項６】
互いにデータ通信可能な、通信端末装置と、映像表示装置とから構成される映像表示システムであって、
前記映像表示装置は、コンテンツを配信するサーバとデータ通信可能であり、
前記サーバは、前記コンテンツと、前記コンテンツを制御するための操作データとを、前記映像表示装置へ送信し、
前記映像表示装置は、
前記コンテンツおよび前記操作データを受信する第１受信手段と、
受信した前記コンテンツを表示する第１表示手段と、
受信した前記操作データを、前記通信端末装置へ送信する第１送信手段とを備え、
前記通信端末装置は、
前記操作データを受信する第２受信手段と、
前記操作データを使用して、前記第１表示手段に表示されているコンテンツを制御するための操作パネル画像を表示する第２表示手段と、
前記操作パネル画像に対する指示入力により、前記コンテンツを制御するための制御信号を、前記映像表示装置へ送信する第２送信手段とを備え、
前記第１受信手段は、前記制御信号を受信し、
前記映像表示装置は、
受信した前記制御信号に応じて、前記コンテンツを制御する制御手段をさらに備える、映像表示システム。
【請求項７】
互いにデータ通信可能な、第１の表示部が設けられた映像表示装置および第２の表示部が設けられた通信端末装置にそれぞれ実行させるための第１制御方法および第２制御方法を含む装置制御方法であって、
前記映像表示装置は、コンテンツを配信するサーバとデータ通信可能であり、
前記サーバは、前記コンテンツと、前記コンテンツを制御するための操作データとを、前記映像表示装置へ送信し、
前記第１制御方法は、
前記コンテンツおよび前記操作データを受信する第１受信ステップと、
受信した前記コンテンツを前記第１の表示部に表示する第１表示ステップと、
受信した前記操作データを、前記通信端末装置へ送信する第１送信ステップとを備え、
前記第２制御方法は、
前記操作データを受信する第２受信ステップと、
前記操作データを使用して、前記第１の表示部に表示されているコンテンツを制御するための操作パネル画像を前記第２の表示部に表示する第２表示ステップと、
前記操作パネル画像に対する指示入力により、前記コンテンツを制御するための制御信号を、前記映像表示装置へ送信する第２送信ステップとを備え、
前記第１受信ステップは、前記制御信号を受信し、
前記第１制御方法は、
受信した前記制御信号に応じて、前記コンテンツを制御する制御ステップをさらに備える、装置制御方法。
【請求項８】
コンテンツおよび前記コンテンツを制御するための操作データを受信する受信ステップと、
受信した前記コンテンツを表示する第１表示ステップと、
前記操作データを使用して、前記第１表示ステップにより表示されているコンテンツを制御するための操作パネル画像を表示する第２表示ステップとを備える、コンテンツ制御方法。
【発明の詳細な説明】
【技術分野】
【０００１】
本発明は、映像表示システム、映像表示装置、通信端末装置、装置制御方法およびコンテンツ制御方法に関し、特に、コンテンツに関連した操作パネルを提供する、映像表示システム、映像表示装置、通信端末装置、装置制御方法およびコンテンツ制御方法に関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術が開示されている。
【０００５】
また、特開２００１−２７５１７３号公報（特許文献２）には、操作される機器（以下、被操作機器ともいう）の種類に応じた操作画面を、操作側の機器に表示させ、操作側の機器を、被操作機器を操作するためのリモコンとして使用する技術が開示されている。
【０００６】
また、特開２００１−１３６５８５号公報（特許文献３）には、被操作機器に表示されたＷｅｂページ内の複数のハイパーリンク文字列の配置位置にそれぞれ対応させた複数の矩形を表示した画像を、リモコンのタッチパネル機能を有する表示部に表示させることにより、ハイパーリンク文字列を容易に指定可能な技術が開示されている。
【特許文献１】特開２００２−１３５８１０号公報
【特許文献２】特開２００１−２７５１７３号公報
【特許文献３】特開２００１−１３６５８５号公報
【発明の開示】
【発明が解決しようとする課題】
【０００７】
しかしながら、特開２００１−２７５１７３号公報（特許文献２）に開示されている技術では、操作側の機器に表示される操作画面は、被操作機器に対応するもののみであった。そのため、操作側の機器で制御可能な操作も限られているという問題がある。
【０００８】
また、特開２００１−１３６５８５号公報（特許文献３）に開示されている技術では、単に、被操作機器に表示されたＷｅｂページ内のハイパーリンク文字列を指定可能な画像がリモコンに表示されるだけである。そのため、リモコンで制御可能な操作も限られているという問題がある。
【０００９】
本発明は、上述の問題点を解決するためになされたものであって、その目的は、コンテンツの種類に応じた自由度の高い操作系を得ることが可能な映像表示システムを提供することである。
【００１０】
本発明の他の目的は、コンテンツの種類に応じた自由度の高い操作系を得ることが可能な映像表示装置を提供することである。
【００１１】
本発明のさらに他の目的は、コンテンツの種類に応じた自由度の高い操作系を得ることが可能な通信端末装置を提供することである。
【００１２】
本発明のさらに他の目的は、コンテンツの種類に応じた自由度の高い操作系を得ることが可能な装置制御方法を提供することである。
【００１３】
本発明のさらに他の目的は、コンテンツの種類に応じた自由度の高い操作系を得ることが可能なコンテンツ制御方法を提供することである。
【課題を解決するための手段】
【００１４】
上述の課題を解決するために、この発明のある局面に従うと、互いにデータ通信可能な、通信端末装置と、映像表示装置とから構成される映像表示システムであって、映像表示装置は、コンテンツを配信するサーバとデータ通信可能であり、サーバは、コンテンツと、コンテンツを制御するための操作パネルデータとを、映像表示装置へ送信し、映像表示装置は、コンテンツおよび操作パネルデータを受信する第１受信手段と、受信したコンテンツを表示する第１表示手段と、第１表示手段に表示されているコンテンツに対応する操作パネルデータを、通信端末装置へ送信する第１送信手段とを備え、通信端末装置は、操作パネルデータを受信する第２受信手段と、操作パネルデータを使用して、第１表示手段に表示されているコンテンツを制御するための操作パネル画像を表示する第２表示手段と、操作パネル画像に対する指示入力により、コンテンツを制御するための制御信号を、映像表示装置へ送信する第２送信手段とを備え、第１受信手段は、制御信号を受信し、映像表示装置は、受信した制御信号に応じて、コンテンツを制御する制御手段をさらに備える。
【００１５】
この発明の他の局面に従うと、互いにデータ通信可能な、通信端末装置と、映像表示装置とから構成される映像表示システムであって、映像表示装置は、コンテンツを配信するサーバとデータ通信可能であり、サーバは、コンテンツと、コンテンツを制御するための操作メタデータとを、映像表示装置へ送信し、映像表示装置は、コンテンツおよび操作メタデータを受信する第１受信手段と、受信したコンテンツを表示する第１表示手段と、第１表示手段に表示されているコンテンツを制御するための操作パネル画像を生成するための複数種類の操作パネル生成パーツデータを記憶する記憶手段と、操作メタデータと、操作メタデータに関連する１以上の操作パネル生成パーツデータとを使用して、操作パネル画像を生成する生成手段と、操作パネル画像のデータを、通信端末装置へ送信する第１送信手段とを備え、通信端末装置は、操作パネル画像のデータを受信する第２受信手段と、操作パネル画像のデータを使用して、操作パネル画像を表示する第２表示手段と、操作パネル画像に対する指示入力により、コンテンツを制御するための制御信号を、映像表示装置へ送信する第２送信手段とを備え、第１受信手段は、制御信号を受信し、映像表示装置は、受信した制御信号に応じて、コンテンツを制御する制御手段をさらに備える。
【００１６】
この発明のさらに他の局面に従うと、表示部が設けられる通信端末装置と、コンテンツおよびコンテンツを制御するための操作メタデータを配信するサーバとデータ通信可能な映像表示装置であって、映像表示装置は、コンテンツおよび操作メタデータを受信する受信手段と、受信したコンテンツを表示する表示手段と、表示手段に表示されているコンテンツを制御するための操作パネル画像を生成するための複数種類の操作パネル生成パーツデータを記憶する記憶手段と、操作メタデータと、操作メタデータに関連する１以上の操作パネル生成パーツデータとを使用して、操作パネル画像を生成する生成手段と、操作パネル画像のデータを、通信端末装置へ送信する送信手段とを備え、受信手段は、通信端末装置の表示部に表示されている操作パネル画像に対する指示入力により、コンテンツを制御するための制御信号を受信し、映像表示装置は、受信した制御信号に応じて、コンテンツを制御する制御手段をさらに備える。
【００１７】
この発明のさらに他の局面に従うと、互いにデータ通信可能な、通信端末装置と、映像表示装置とから構成される映像表示システムであって、映像表示装置は、コンテンツを配信するサーバとデータ通信可能であり、サーバは、コンテンツと、コンテンツを制御するための操作メタデータとを、映像表示装置へ送信し、映像表示装置は、コンテンツおよび操作メタデータを受信する第１受信手段と、受信したコンテンツを表示する第１表示手段と、受信した操作メタデータを、通信端末装置へ送信する第１送信手段とを備え、通信端末装置は、操作メタデータを受信する第２受信手段と、第１表示手段に表示されているコンテンツを制御するための操作パネル画像を生成するための複数種類の操作パネル生成パーツデータを記憶する記憶手段と、操作メタデータと、操作メタデータに関連する１以上の操作パネル生成パーツデータとを使用して、操作パネル画像を生成する生成手段と、操作パネル画像を表示する第２表示手段と、操作パネル画像に対する指示入力により、コンテンツを制御するための制御信号を、映像表示装置へ送信する第２送信手段とを備え、第１受信手段は、制御信号を受信し、映像表示装置は、受信した制御信号に応じて、コンテンツを制御する制御手段をさらに備える。
【００１８】
この発明のさらに他の局面に従うと、表示部が設けられ、サーバから受信した、コンテンツおよびコンテンツを制御するための操作メタデータを送信し、かつ、コンテンツを制御するための制御信号を受信することによりコンテンツを制御する映像表示装置とデータ通信可能な通信端末装置であって、通信端末装置は、映像表示装置の表示部に表示されているコンテンツを制御するための操作メタデータを受信する受信手段と、表示部に表示されているコンテンツを制御するための操作パネル画像を生成するための複数種類の操作パネル生成パーツデータを記憶する記憶手段と、操作メタデータと、操作メタデータに関連する１以上の操作パネル生成パーツデータとを使用して、操作パネル画像を生成する生成手段と、操作パネル画像を表示する表示手段と、操作パネル画像に対する指示入力により、コンテンツを制御するための制御信号を、映像表示装置へ送信する送信手段とを備える。
【００１９】
この発明のさらに他の局面に従うと、互いにデータ通信可能な、通信端末装置と、映像表示装置とから構成される映像表示システムであって、映像表示装置は、コンテンツを配信するサーバとデータ通信可能であり、サーバは、コンテンツと、コンテンツを制御するための操作データとを、映像表示装置へ送信し、映像表示装置は、コンテンツおよび操作データを受信する第１受信手段と、受信したコンテンツを表示する第１表示手段と、受信した操作データを、通信端末装置へ送信する第１送信手段とを備え、通信端末装置は、操作データを受信する第２受信手段と、操作データを使用して、第１表示手段に表示されているコンテンツを制御するための操作パネル画像を表示する第２表示手段と、操作パネル画像に対する指示入力により、コンテンツを制御するための制御信号を、映像表示装置へ送信する第２送信手段とを備え、第１受信手段は、制御信号を受信し、映像表示装置は、受信した制御信号に応じて、コンテンツを制御する制御手段をさらに備える。
【００２０】
この発明のさらに他の局面に従うと、互いにデータ通信可能な、第１の表示部が設けられた映像表示装置および第２の表示部が設けられた通信端末装置にそれぞれ実行させるための第１制御方法および第２制御方法を含む装置制御方法であって、映像表示装置は、コンテンツを配信するサーバとデータ通信可能であり、サーバは、コンテンツと、コンテンツを制御するための操作データとを、映像表示装置へ送信し、第１制御方法は、コンテンツおよび操作データを受信する第１受信ステップと、受信したコンテンツを第１の表示部に表示する第１表示ステップと、受信した操作データを、通信端末装置へ送信する第１送信ステップとを備え、第２制御方法は、操作データを受信する第２受信ステップと、操作データを使用して、第１の表示部に表示されているコンテンツを制御するための操作パネル画像を第２の表示部に表示する第２表示ステップと、操作パネル画像に対する指示入力により、コンテンツを制御するための制御信号を、映像表示装置へ送信する第２送信ステップとを備え、第１受信ステップは、制御信号を受信し、第１制御方法は、受信した制御信号に応じて、コンテンツを制御する制御ステップをさらに備える。
【００２１】
この発明のさらに他の局面に従うコンテンツ制御方法は、コンテンツおよびコンテンツを制御するための操作データを受信する受信ステップと、受信したコンテンツを表示する第１表示ステップと、操作データを使用して、第１表示ステップにより表示されているコンテンツを制御するための操作パネル画像を表示する第２表示ステップとを備える。
【発明の効果】
【００２２】
本発明に係る映像表示システムは、通信端末装置と、映像表示装置とから構成される。映像表示装置は、第１表示手段に表示されているコンテンツに対応する操作パネルデータを、通信端末装置へ送信する。通信端末装置は、操作パネルデータを使用して、第１表示手段に表示されているコンテンツを制御するための操作パネル画像を表示する。映像表示装置は、操作パネル画像に対する指示入力によるコンテンツを制御するための制御信号に応じて、コンテンツを制御する。
【００２３】
したがって、コンテンツを制御するのに適した操作パネル画像を使用してコンテンツを制御することができる。その結果、コンテンツの種類に応じた自由度の高い操作系を得ることができるという効果を奏する。
【００２４】
本発明に係る映像表示システムは、通信端末装置と、映像表示装置とから構成される。映像表示装置は、操作メタデータと、操作パネル生成パーツデータとを使用して、第１表示手段に表示されているコンテンツを制御するための操作パネル画像を生成し、操作パネル画像のデータを、通信端末装置へ送信する。通信端末装置は、操作パネル画像を表示する。映像表示装置は、操作パネル画像に対する指示入力によるコンテンツを制御するための制御信号に応じて、コンテンツを制御する。
【００２５】
したがって、コンテンツを制御するのに適した操作パネル画像を使用してコンテンツを制御することができる。その結果、コンテンツの種類に応じた自由度の高い操作系を得ることができるという効果を奏する。
【００２６】
本発明に係る映像表示装置は、操作メタデータと、操作パネル生成パーツデータとを使用して、表示手段に表示されているコンテンツを制御するための操作パネル画像を生成し、操作パネル画像のデータを、通信端末装置へ送信する。映像表示装置は、通信端末装置の表示部に表示されている操作パネル画像に対する指示入力によるコンテンツを制御するための制御信号に応じて、コンテンツを制御する。
【００２７】
したがって、コンテンツを制御するのに適した操作パネル画像を使用してコンテンツを制御することができる。その結果、コンテンツの種類に応じた自由度の高い操作系を得ることができるという効果を奏する。
【００２８】
本発明に係る映像表示システムは、通信端末装置と、映像表示装置とから構成される。映像表示装置は、第１表示手段によりコンテンツを表示し、受信した操作メタデータを、通信端末装置へ送信する。通信端末装置は、操作メタデータと、操作パネル生成パーツデータとを使用して、第１表示手段に表示されているコンテンツを制御するための操作パネル画像を生成し、操作パネル画像を表示する。映像表示装置は、操作パネル画像に対する指示入力によるコンテンツを制御するための制御信号に応じて、コンテンツを制御する。
【００２９】
したがって、コンテンツを制御するのに適した操作パネル画像を使用してコンテンツを制御することができる。その結果、コンテンツの種類に応じた自由度の高い操作系を得ることができるという効果を奏する。
【００３０】
本発明に係る通信端末装置は、操作メタデータと、操作パネル生成パーツデータとを使用して、映像表示装置の表示部に表示されているコンテンツを制御するための操作パネル画像を生成し、操作パネル画像を表示し、操作パネル画像に対する指示入力によるコンテンツを制御するための制御信号を、映像表示装置へ送信する。映像表示装置は、制御信号に応じて、コンテンツを制御する。
【００３１】
したがって、コンテンツを制御するのに適した操作パネル画像を使用してコンテンツを制御することができる。その結果、コンテンツの種類に応じた自由度の高い操作系を得ることができるという効果を奏する。
【００３２】
本発明に係る映像表示システムは、通信端末装置と、映像表示装置とから構成される。映像表示装置は、第１表示手段によりコンテンツを表示し、受信した操作データを、通信端末装置へ送信する。通信端末装置は、操作データを使用して、第１表示手段に表示されているコンテンツを制御するための操作パネル画像を表示する。映像表示装置は、操作パネル画像に対する指示入力によるコンテンツを制御するための制御信号に応じて、コンテンツを制御する。
【００３３】
したがって、コンテンツを制御するのに適した操作パネル画像を使用してコンテンツを制御することができる。その結果、コンテンツの種類に応じた自由度の高い操作系を得ることができるという効果を奏する。
【００３４】
本発明に係る装置制御方法は、第１の表示部が設けられた映像表示装置および第２の表示部が設けられた通信端末装置にそれぞれ実行させるための第１制御方法および第２制御方法を含む装置制御方法である。第１制御方法は、第１の表示部によりコンテンツを表示し、受信した操作データを、通信端末装置へ送信するステップを含む。第２制御方法は、操作データを使用して、第１の表示部に表示されているコンテンツを制御するための操作パネル画像を表示するステップを含む。第１制御方法は、操作パネル画像に対する指示入力によるコンテンツを制御するための制御信号に応じて、コンテンツを制御するステップを含む。
【００３５】
したがって、コンテンツを制御するのに適した操作パネル画像を使用してコンテンツを制御することができる。その結果、コンテンツの種類に応じた自由度の高い操作系を得ることができるという効果を奏する。
【００３６】
本発明に係るコンテンツ制御方法は、受信したコンテンツを表示し、操作データを使用して、表示されているコンテンツを制御するための操作パネル画像を表示する。
【００３７】
したがって、コンテンツを制御するのに適した操作パネル画像を使用してコンテンツを制御することができる。その結果、コンテンツの種類に応じた自由度の高い操作系を得ることができるという効果を奏する。
【発明を実施するための最良の形態】
【００３８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３９】
本発明において取り扱うコンテンツとは、映像、音声、画像などのデジタルデータおよびそれらに関連する付加情報、関連情報、操作情報などを意図している。もちろん同様の扱い方をするものであれば、デジタルデータに限定されるものではない。また、テレビ放送、インターネット放送、携帯電話網などのネットワークを介して提供できるものであれば、ひとつのコンテンツが複数のネットワークから提供されることも可能である。
【００４０】
＜第１の実施の形態＞
図１は、本実施の形態におけるネットワークシステム１０００の構成を示す図である。図１を参照して、ネットワークシステム１０００には、ホームネットワーク５０１が含まれる。
【００４１】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００４２】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００４３】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００４４】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００４５】
通信端末装置５００と、映像表示装置６００とは、無線または有線でデータ通信を行なう。すなわち、通信端末装置５００と、映像表示装置６００とから映像表示システムが構成される。
【００４６】
通信部５０は、通信端末装置５００、映像表示装置６００およびネットワーク７０の各々と、データ通信を行なう機能を有する。ネットワーク７０は、インターネットなどの外部のネットワークである。
【００４７】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００４８】
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００４９】
また、ネットワーク７０は、電話網６０と、無線または有線によりデータ通信可能である。したがって、通信端末装置５００は、電話網６０を介して、ネットワーク７０とデータ通信可能である。
【００５０】
ネットワークシステム１０００には、さらに、サービスサーバ８００Ａと、検索サーバ８００Ｓと、Ｗｅｂサーバ８００Ｗとが含まれる。
【００５１】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００５２】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。なお、サービスサーバ８００Ａは、録画データの配信要求があれば、録画データの配信要求を行なった装置へ、配信要求された録画データを、送信またはストリーミング配信する。
【００５３】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００５４】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００５５】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００５６】
サービスサーバ８００Ａ、検索サーバ８００ＳおよびＷｅｂサーバ８００Ｗの各々は、ネットワーク７０と、無線または有線でデータ通信を行なう。
【００５７】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００５８】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００５９】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００６０】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００６１】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００６２】
表示部５３０は、文字や画像等を表示する機能を有する。表示部５３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００６３】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００６４】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００６５】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００６６】
ＬＥＤ５７６は、通信端末装置５００で行なわれる処理に応じて、光による報知を行なう。たとえば、ＬＥＤ５７６は、電話の着信があった場合、光を点滅させる。
【００６７】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、０．５秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、ユーザによる長時間（たとえば、一秒以上）の押下操作（以下、長押操作ともいう）により、たとえば画面をそれぞれ、上，下，左，右に画面スクロールすることも可能である。
【００６８】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００６９】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００７０】
機能ボタン５４３Ａは、通信端末装置５００に電話がかかってきた場合、短押操作により通話開始を行なうためのボタンである。機能ボタンボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００７１】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００７２】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００７３】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００７４】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００７５】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００７６】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００７７】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００７８】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００７９】
図５を参照して、通信端末装置５００は、さらに、制御部５１０と、一時記憶部５２２と、記憶部５２０とを備える。
【００８０】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００８１】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００８２】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００８３】
通信端末装置５００は、さらに、アンテナ５０２と、チューナ５０５と、データ処理部５０７とを備える。
【００８４】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００８５】
放送信号は、画像データ、音声データを含む。なお、放送信号が、ディジタル放送に基づく信号である場合、放送信号は、さらに、テキストデータ、ＥＰＧ（Electric Program Guide）データ、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００８６】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データおよび音声データにする。
【００８７】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００８８】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００８９】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００９０】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００９１】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００９２】
通信端末装置５００は、さらに、ＶＤＰ５３２と、ＣＧＲＯＭ（Character Graphic Read Only Memory）５３４と、ＶＲＡＭ（Video Random Access Memory）５３６とを備える。
【００９３】
ＣＧＲＯＭ５３４には、フォントデータ、図形データ等が記憶されている。ＶＲＡＭ５３６は、画像データを一時的に記憶する機能を有する。
【００９４】
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００９５】
ＶＤＰ５３２は表示部５３０と接続されている。ＶＤＰ５３２は、制御部５１０からの描画指示に応じて、ＣＧＲＯＭ５３４から必要なデータを読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００９６】
通信端末装置５００は、さらに、入力部５４０と、記録媒体アクセス部５５０を備える。
【００９７】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００９８】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００９９】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【０１００】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【０１０１】
記録媒体５５５は、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよび上記以外の不揮発性メモリ、ＨＤＤ（Hard Disk Drive）などの磁気記憶媒体のいずれであってもよい。
【０１０２】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【０１０３】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【０１０４】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【０１０５】
また、通信部５６０は、さらに、無線データ通信機能を有する。無線データ通信機能は、ブルートゥース（Bluetooth）を使用して、無線でデータ通信を行なう機能を有する。なお、無線データ通信は、ブルートゥースを使用した方式に限定されることなく、たとえば、赤外線等を使用した他の通信方式であってもよい。通信部５６０は、制御部５１０からの制御指示に応じて、映像表示装置６００と無線でデータ通信を行なう。
【０１０６】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【０１０７】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【０１０８】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【０１０９】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【０１１０】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【０１１１】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【０１１２】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【０１１３】
また、通信部５６６は、ＧＰＳ（Global Positioning System）機能を有する。ＧＰＳ（Global Positioning System）機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【０１１４】
制御部５１０は、前述した音声出力部５７０，５７２、音声入力部５７４とデータ通信する。
【０１１５】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【０１１６】
ユーザが音声入力部５７４に含まれるマイクに対して音声を発すると、音声入力部５７４は、マイクにより取得した音声を音声データに変換して、音声データを、制御部５１０へ送信する。
【０１１７】
制御部５１０は、前述したＬＥＤ５７６、撮像部５７８とデータ通信する。ＬＥＤ５７６は、制御部５１０からの制御指示に基づいて、光を発する。
【０１１８】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１１９】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１２０】
次に、映像表示装置６００について詳細に説明する。
図６は、映像表示装置６００の外観を正面から示した図である。図６を参照して、映像表示装置６００は、表示部６３０と、音声出力部６７０とを備える。
【０１２１】
表示部６３０は、文字や画像等を表示する機能を有する。表示部６３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、たとえば、４：３であってもよい。
【０１２２】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１２３】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１２４】
図７を参照して、映像表示装置６００は、さらに、制御部６１０と、一時記憶部６２２と、記憶部６２０とを備える。
【０１２５】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、その他の各種データ等が記憶されている。
【０１２６】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１２７】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１２８】
映像表示装置６００は、さらに、アンテナ６０２と、チューナ６０５と、データ処理部６０７とを備える。
【０１２９】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１３０】
放送信号は、画像データ、音声データを含む。なお、放送信号が、ディジタル放送に基づく信号である場合、放送信号は、さらに、テキストデータ、ＥＰＧデータ、前述したＢＭＬデータ等が含まれる。チューナ６０５は、受信した放送信号を、データ処理部６０７へ送信する。
【０１３１】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データにする。
【０１３２】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１３３】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１３４】
また、受信した放送信号が、ディジタル放送に基づく信号である場合、データ処理部６０７は、以下の処理を行なう。まず、データ処理部６０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１３５】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１３６】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１３７】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１３８】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１３９】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１４０】
映像表示装置６００は、さらに、ＶＤＰ６３２と、ＣＧＲＯＭ６３４と、ＶＲＡＭ６３６とを備える。
【０１４１】
ＣＧＲＯＭ６３４には、ＣＧＲＯＭ５３４と同様、フォントデータ、図形データ等が記憶されている。ＶＲＡＭ６３６は、画像データを一時的に記憶する機能を有する。
【０１４２】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１４３】
ＶＤＰ６３２は表示部６３０と接続されている。ＶＤＰ６３２は、制御部６１０からの描画指示に応じて、ＣＧＲＯＭ６３４から必要なデータを読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１４４】
映像表示装置６００は、さらに、入力部６４０と、記録媒体アクセス部６５０とを備える。
【０１４５】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１４６】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１４７】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１４８】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード、ＳＭ（Smart Media（登録商標））、ＭＭＣ、ＳＤメモリーカード、メモリースティック（登録商標）、ｘＤピクチャーカード、ＵＳＢメモリ、磁気テープおよび上記以外の不揮発性メモリのいずれであってもよい。
【０１４９】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１５０】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１５１】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１５２】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１５３】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１５４】
なお、前述した通信端末装置５００がリモコン３００の機能を有することも想定でき、通信端末装置５００、リモコン３００は、２つが存在する場合、および一方のみしか存在しない場合なども想定できる。
【０１５５】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１５６】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１５７】
表示部８３０は、文字や画像等を表示する機能を有する。表示部８３０は、前述の表示部６３０と同様なものであるので詳細な説明は繰り返さない。
【０１５８】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１５９】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１６０】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１６１】
サービスサーバ８００Ａは、さらに、ＶＤＰ８３２と、ＣＧＲＯＭ８３４と、ＶＲＡＭ８３６とを備える。
【０１６２】
ＣＧＲＯＭ８３４には、ＣＧＲＯＭ５３４と同様、フォントデータ、図形データ等が記憶されている。ＶＲＡＭ８３６は、画像データを一時的に記憶する機能を有する。
【０１６３】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１６４】
ＶＤＰ８３２は表示部８３０と接続されている。ＶＤＰ８３２は、制御部８１０からの描画指示に応じて、ＣＧＲＯＭ８３４から必要なデータを読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１６５】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１６６】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１６７】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１６８】
なお、検索サーバ８００ＳおよびＷｅｂサーバ８００Ｗの各々も、前述したサービスサーバ８００Ａと同様な構成を有するので詳細な説明は繰り返さない。
【０１６９】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１７０】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される。
【０１７１】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１７２】
ボタン画像ＭＢＧ１１０は、インターフェース操作Ｍにより、押下処理されることで、電源リモコン信号を、映像表示装置６００へ送信するためのボタン画像である。電源リモコン信号は、映像表示装置６００の電源がオンである状態と、映像表示装置６００の電源がオフである状態とを切替えるためのリモコン信号である。
【０１７３】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１７４】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１７５】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１７６】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１７７】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。
【０１７８】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。
【０１７９】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１８０】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１８１】
以下においては、通信端末装置５００が、映像表示装置６００へリモコン信号を送信することで映像表示装置６００を操作可能な場合における、通信端末装置５００の動作モードを、リモコンモードともいう。
【０１８２】
次に、映像表示装置６００が、サービスサーバ８００Ａからコンテンツを受信するための処理（以下、コンテンツ取扱い処理ともいう）について説明する。なお、通信端末装置５００の表示部５３０には、リモコン画像ＭＧ１００が表示されているとする。この場合、通信端末装置５００は、リモコンモードに設定されているとする。
【０１８３】
図１０は、コンテンツ取扱い処理のフローチャートである。図１０では、通信端末装置５００、映像表示装置６００、サービスサーバ８００Ａの各々において行なわれる処理を示す。
【０１８４】
通信端末装置５００では、まず、ステップＳ１１０の処理が行なわれる。
ステップＳ１１０では、制御部５１０が、リスト取得操作があるか否かを判定する。リスト取得操作とは、サービスサーバ８００Ａから取得可能なコンテンツのリストを表示部５３０に表示させるための操作である。具体的には、リスト取得操作は、図９のボタン画像ＭＢＧ１３０を押下処理するためのインターフェース操作Ｍである。ステップＳ１１０において、ＹＥＳならば、ステップＳ１１１に進む。一方、ステップＳ１１０において、ＮＯならば、再度、ステップＳ１１０の処理が行なわれる。
【０１８５】
ステップＳ１１１では、リスト取得処理が行なわれる。リスト取得処理では、まず、制御部５１０が、リスト取得要求としてのリスト取得リモコン信号を、通信部５６０を利用して、映像表示装置６００へ送信する。リスト取得リモコン信号は、サービスサーバ８００Ａから取得可能なコンテンツのリストを、映像表示装置６００に取得させるためのリモコン信号である。
【０１８６】
映像表示装置６００では、まず、ステップＳ１２０の処理が行なわれる。ステップＳ１２０では、制御部６１０が、リスト取得要求としてのリスト取得リモコン信号を受信したか否かを判定する。ステップＳ１２０において、ＹＥＳならば、ステップＳ１２１に進む。一方、ステップＳ１２０において、ＮＯならば、再度、ステップＳ１２０の処理が行なわれる。
【０１８７】
ステップＳ１２１では、リスト取得処理Ａが行なわれる。リスト取得処理Ａでは、まず、制御部６１０が、通信部６６２を利用して、サービスサーバ８００Ａから取得可能なコンテンツのリストを取得するためのリスト取得要求Ａを、サービスサーバ８００Ａへ送信する。
【０１８８】
サービスサーバ８００Ａでは、まず、ステップＳ１４０の処理が行なわれる。
ステップＳ１４０では、制御部８１０が、リスト取得要求Ａを受信したか否かを判定する。ステップＳ１４０において、ＹＥＳならば、ステップＳ１４１に進む。一方、ステップＳ１４０において、ＮＯならば、再度、ステップＳ１４０の処理が行なわれる。
【０１８９】
ステップＳ１４１では、制御部８１０が、リスト取得要求Ａを送信した装置に対し、配信可能なコンテンツのリストのデータである、以下のリストデータＤ１００を送信する。その後，ステップＳ１４１の処理は終了する。
【０１９０】
図１１は、一例としてのリストデータＤ１００を示す図である。図１１を参照して、リストデータＤ１００は、複数のコンテンツ情報から構成される。「管理番号」とは、複数のコンテンツ情報の各々を管理するための番号である。「ＩＤ番号」とは、コンテンツを識別するための番号である。「タイトル」とは、対応するコンテンツのタイトルを示す。
【０１９１】
再び、図１０を参照して、映像表示装置６００では、リスト取得処理Ａにおいて、制御部６１０が、リストデータＤ１００を受信する。制御部６１０は、リストデータＤ１００を受信すると、記憶部６２０にリストデータＤ１００を記憶させる。そして、制御部６１０が、リストデータＤ１００に基づいて、ＶＤＰ６３２を利用して、以下のリスト画像ＴＧ２００を生成し、生成したリスト画像ＴＧ２００を表示部６３０に表示させる。
【０１９２】
図１２は、一例としてのリスト画像ＴＧ２００を示す図である。図１２を参照して、リスト画像ＴＧ２００には、ボタン画像ＴＢＧ２１１，ＴＢＧ２１２，ＴＢＧ２１３，ＴＢＧ２１４，ＴＢＧ２１５，ＴＢＧ２１６，ＴＢＧ２１７，ＴＢＧ２１８，ＴＢＧ２１９が配置される。ボタン画像ＴＢＧ２１１，ＴＢＧ２１２，ＴＢＧ２１３，ＴＢＧ２１４，ＴＢＧ２１５，ＴＢＧ２１６，ＴＢＧ２１７，ＴＢＧ２１８，ＴＢＧ２１９の各々には、コンテンツのタイトルが表示される。
【０１９３】
ボタン画像ＴＢＧ２１１，ＴＢＧ２１２，ＴＢＧ２１３，ＴＢＧ２１４，ＴＢＧ２１５，ＴＢＧ２１６，ＴＢＧ２１７，ＴＢＧ２１８，ＴＢＧ２１９の各々は、押下処理されることにより、対応するコンテンツを、サービスサーバ８００Ａから取得するためのボタン画像である。
【０１９４】
なお、リスト画像ＴＧ２００は、ＥＰＧデータに基づいて生成された電子番組表が表示された画像であってもよい。この場合、ボタン画像ＴＢＧ２１１，ＴＢＧ２１２，ＴＢＧ２１３，ＴＢＧ２１４，ＴＢＧ２１５，ＴＢＧ２１６，ＴＢＧ２１７，ＴＢＧ２１８，ＴＢＧ２１９の各々は、番組の動画像を取得するためのボタン画像となる。
【０１９５】
再び、図１０を参照して、ステップＳ１２１のリスト取得処理Ａでは、さらに、制御部６１０が、通信部６６０を利用して、受信したリストデータＤ１００を、通信端末装置５００へ送信（転送）する。その後、ステップＳ１２１の処理は終了する。
【０１９６】
通信端末装置５００において、ステップＳ１１１のリスト取得処理では、さらに、制御部５１０が、リストデータＤ１００を受信する。制御部５１０は、リストデータＤ１００を受信すると、記憶部５２０にリストデータＤ１００を記憶させる。そして、制御部５１０が、リストデータＤ１００に基づいて、ＶＤＰ６３２を利用して、以下のリスト画像ＭＧ２００を生成し、生成したリスト画像ＭＧ２００を表示部６３０に表示させる。そして、ステップＳ１１１の処理は終了する。
【０１９７】
図１３は、一例としてのリスト画像ＭＧ２００を示す図である。図１３を参照して、リスト画像ＭＧ２００には、コンテンツ一覧画像Ｇ２１０と、ボタン画像ＭＢＧ１７０，ＭＢＧ２８０が配置される。
【０１９８】
コンテンツ一覧画像Ｇ２１０は、サービスサーバ８００Ａから取得可能なコンテンツを、ボタン画像として表示する画像である。コンテンツ一覧画像Ｇ２１０には、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９が配置される。ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々には、コンテンツのタイトルが表示される。
【０１９９】
ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、インターフェース操作Ｍにより、押下処理されることにより、映像表示装置６００に表示されているリスト画像ＴＧ２００内の、同じタイトルを表示するボタン画像を押下処理するためのリモコン信号を、映像表示装置６００へ送信するためのボタン画像である。
【０２００】
たとえば、インターフェース操作Ｍにより、「Ｂ映画」というタイトルを表示するボタン画像ＭＢＧ２１１が押下処理されると、制御部５１０は、リスト画像ＴＧ２００内において、「Ｂ映画」というタイトルを表示するボタン画像ＴＢＧ２１１を押下処理するためのリモコン信号を、映像表示装置６００へ送信する。
【０２０１】
ボタン画像ＭＢＧ１７０は、図９のリモコン画像ＭＧ１００内のボタン画像ＭＢＧ１７０と同様なので詳細な説明は繰り返さない。ボタン画像２８０は、インターフェース操作Ｍにより、押下処理されることにより、表示部５３０に、リスト画像ＭＧ２００の代わりに、図９のリモコン画像ＭＧ１００の画像を表示させるためのボタン画像である。
【０２０２】
なお、リモコン画像ＭＧ１００は、ＥＰＧデータに基づいて生成された電子番組表が表示された画像であってもよい。この場合、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、番組の動画像を取得するためのボタン画像となる。
【０２０３】
再び、図１０を参照して、通信端末装置５００では、ステップＳ１１１の処理が終了すると、ステップＳ１１２に進む。
【０２０４】
ステップＳ１１２では、制御部５１０が、コンテンツ取得操作があるか否かを判定する。コンテンツ取得操作とは、サービスサーバ８００Ａからコンテンツを受信するための操作である。具体的には、コンテンツ取得操作は、インターフェース操作Ｍにより、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９のいずれかを押下処理する操作である。
【０２０５】
ステップＳ１１２において、ＹＥＳならば、ステップＳ１１３に進む。一方、ステップＳ１１２において、ＮＯならば、再度、ステップＳ１１２の処理が行なわれる。ここでは、インターフェース操作Ｍにより、「Ｂ映画」というタイトルを表示するボタン画像ＭＢＧ２１１を押下処理するコンテンツ取得操作があったとして、ステップＳ１１３に進む。以下においては、コンテンツ取得操作により、サービスサーバ８００Ａに対し、取得要求されるコンテンツを取得要求コンテンツという。
【０２０６】
ステップＳ１１３では、制御部５１０が、コンテンツ取得要求としてのコンテンツ取得リモコン信号を、通信部５６０を利用して、映像表示装置６００へ送信する。そして、このステップＳ１１３の処理は終了する。この場合、コンテンツ取得リモコン信号は、タイトルが「Ｂ映画」の取得要求コンテンツをサービスサーバ８００Ａから受信するためのリモコン信号である。
【０２０７】
映像表示装置６００では、ステップＳ１２１の処理が終了すると、ステップＳ１２２に進む。
【０２０８】
ステップＳ１２２では、制御部６１０が、コンテンツ取得要求としてのコンテンツ取得リモコン信号を受信したか否かを判定する。ステップＳ１２２において、ＹＥＳならば、ステップＳ１２３に進む。一方、ステップＳ１２２において、ＮＯならば、再度、ステップＳ１２２の処理が行なわれる。ここでは、コンテンツ取得要求としての、タイトルが「Ｂ映画」の取得要求コンテンツを受信するためのコンテンツ取得リモコン信号を受信したとして、ステップＳ１２３に進む。
【０２０９】
ステップＳ１２３では、制御部６１０が、通信部６６２を利用して、サービスサーバ８００Ａから、受信したコンテンツ取得リモコン信号が特定するコンテンツを取得するためのコンテンツ取得要求Ａを、サービスサーバ８００Ａへ送信する。その後、ステップＳ１２３の処理は終了する。コンテンツ取得要求Ａには、取得要求コンテンツを特定するためのＩＤ番号が含まれる。ここでは、コンテンツ取得要求Ａには、タイトルが「Ｂ映画」の取得要求コンテンツを特定するためのＩＤ番号「１２３４」が含まれているとする。
【０２１０】
サービスサーバ８００Ａでは、ステップＳ１４１の処理が終了すると、ステップＳ１４２に進む。
【０２１１】
ステップＳ１４２では、制御部８１０が、コンテンツ取得要求Ａを受信したか否かを判定する。ステップＳ１４２において、ＹＥＳならば、ステップＳ１４３に進む。一方、ステップＳ１４２において、ＮＯならば、再度、ステップＳ１４２の処理が行なわれる。
【０２１２】
ステップＳ１４３では、制御部８１０が、コンテンツの再生に必要なデータ（以下、コンテンツ再生必要データともいう）を、映像表示装置６００へ送信する。その後、ステップＳ１４３の処理は終了する。コンテンツ再生必要データには、以下に説明する、コンテンツ基礎データＤ２００、タイムテーブルデータＤ２１０およびＣＭテーブルデータＤ２２０が含まれる。
【０２１３】
コンテンツ基礎データは、コンテンツ取得要求Ａに含まれる取得要求コンテンツを特定するためのＩＤ番号に対応するデータである。なお、コンテンツ取得要求Ａに含まれるコンテンツを特定するためのＩＤ番号に対応するコンテンツ基礎データは、予めサービスサーバ８００Ａの記憶部８２０に記憶されている。したがって、コンテンツ基礎データＤ２００も、予めサービスサーバ８００Ａの記憶部８２０に記憶されている。
【０２１４】
図１４は、一例としてのコンテンツ基礎データＤ２００を示す図である。図１４を参照して、「タイムテーブルＵＲＬ」とは、取得要求コンテンツを再生するために必要な、以下のタイムテーブルデータＤ２１０のＵＲＬである。タイムテーブルデータＤ２１０は、記憶部８２０に記憶されている。
【０２１５】
図１５は、一例としてのタイムテーブルデータＤ２１０を示す図である。タイムテーブルデータＤ２１０は、取得要求コンテンツの再生のタイミング等の情報が記述されたデータである。なお、タイムテーブルデータＤ２１０の詳細な説明は後述する。
【０２１６】
再び、図１４を参照して、「ＣＭ挿入回数」とは、取得要求コンテンツを再生する際に、ＣＭの画像を表示する回数である。「ＣＭ挿入回数」が、たとえば、“３”の場合、取得要求コンテンツの再生の途中で、ＣＭの画像を表示する回数が３回となる。したがって、取得要求コンテンツは、「ＣＭ挿入回数」に“１”を加算した数のコンテンツに分割されたものとなる。本実施の形態では、「ＣＭ挿入回数」が、“３”であるので、取得要求コンテンツは、４つのコンテンツに分割される。なお、「ＣＭ挿入回数」が“０”の場合、１つの取得要求コンテンツ内にＣＭの画像も含まれている場合もある。
【０２１７】
「ＣＭテーブルＵＲＬ」とは、ＣＭデータを特定するために必要な、以下のＣＭテーブルデータＤ２２０のＵＲＬである。ＣＭテーブルデータＤ２２０は、記憶部８２０に記憶されている。
【０２１８】
図１６は、一例としてのＣＭテーブルデータＤ２２０を示す図である。図１６を参照して、「ＣＭ番号」とは、ＣＭデータを特定するための番号である。「ＵＲＬ」とは、対応する行の「ＣＭ番号」に対応するＣＭデータのＵＲＬである。
【０２１９】
再び、図１４を参照して、コンテンツ１〜４のＵＲＬとは、分割された４つの取得要求コンテンツのＵＲＬである。「操作パネル」に対応する行の「可変」とは、取得要求コンテンツが再生されている期間に、コンテンツを再生制御するための操作パネルを変化させることを許可することを意味する。「可変」の代わりに「固定」となっている場合は、取得要求コンテンツが再生されている期間、操作パネルは変化しない。また、「可変」の代わりに「標準」となっている場合は、取得要求コンテンツが再生されている期間において、通信端末装置５００に予めインストールされている、一般的なコンテンツ再生プログラムの実行により表示される操作パネルが使用されることとなる。
【０２２０】
「操作パネルｘｘＵＲＬ」とは、操作パネルのデータのＵＲＬである。本実施の形態では、取得要求コンテンツの再生期間において、一例として、３つの操作パネルが使用される。以下においては、操作パネルを示す画像を操作パネル画像ともいう。
【０２２１】
再び、図１５を参照して、「期間番号」とは、コンテンツの再生期間を特定するための番号である。たとえば、「期間番号」が“１”の「００：００：００−００：１４：００」が示す期間は、取得要求コンテンツの再生が開始された時刻（以下、再生開始時刻ともいう）から、再生開始時刻から１４分間経過した時刻までの期間を示す。たとえば、「期間番号」が“１”の期間では、ファイル名が「１２３４−１．ｍｐｇ」である動画像データが映像表示装置６００において再生される。本実施の形態では、映像表示装置６００の表示部６３０に表示される動画像は、ＭＰＥＧ２形式で圧縮された動画像データを再生（復号処理）した画像であるとする。なお、動画像データの圧縮形式は、ＭＰＥＧ２形式に限定されることなく、他の形式で圧縮されたデータであってもよい。ここで、他の形式とは、たとえば、Ｈ．２６４等の形式である。
【０２２２】
また、タイムテーブルデータＤ２１０は、「期間番号」が“２”の期間において、ＣＭテーブルデータＤ２２０により特定される、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である動画像データが、順に再生されることを示す。
【０２２３】
また、タイムテーブルデータＤ２１０は、「期間番号」が“１”〜“４”の期間では、ファイル名が「ｃｏｎｔ１２３４ａａ．ｈｔｍｌ」であるデータに基づく操作パネル画像が使用されることを示す。操作パネル画像は、後述する処理により、通信端末装置５００の表示部５３０に表示される画像である。操作パネル画像は、コンテンツの再生制御等の処理を行なうための画像である。以下に説明する、操作パネル画像は、ＨＴＭＬ（HyperText Markup Language）形式のデータに基づいて生成された画像であるとする。以下においては、操作パネル画像を生成するためのデータを、操作パネル生成データともいう。操作パネル生成データは、たとえば、ファイル名が「ｃｏｎｔ１２３４ａａ．ｈｔｍｌ」であるデータである。
【０２２４】
なお、操作パネル画像は、ＨＴＭＬ形式のデータにより生成された画像に限定されることなく、他の形式のデータで生成された画像であってもよい。ファイル名が「ｃｏｎｔ１２３４ａａ．ｈｔｍｌ」である操作パネル生成データにより生成される操作パネル画像は、以下の操作パネル画像ＰＧ１００であるとする。
【０２２５】
図１７は、一例としての操作パネル画像ＰＧ１００を示す図である。図１７を参照して、操作パネル画像ＰＧ１００には、再生ボタン画像ＰＢＧ１１０と、一時停止ボタン画像ＰＢＧ１１２と、停止ボタン画像ＰＢＧ１２０と、巻き戻しボタン画像ＰＢＧ１３２と、早送りボタン画像ＰＢＧ１３４と、録画ボタン画像ＰＢＧ１４０とが配置される。すなわち、操作パネル画像ＰＧ１００は、複数のボタン画像が、ファイル名が「ｃｏｎｔ１２３４ａａ．ｈｔｍｌ」である操作パネル生成データにより指定された位置に配置された画像である。以下においては、操作パネル生成データに基づく操作パネル画像が生成されるのに必要な画像データ（たとえば、ボタン画像データ）を、操作パネル生成パーツデータともいう。操作パネル生成データには、操作パネル画像の縦および横のサイズの情報、操作パネル画像内に複数のボタン画像をそれぞれ配置する複数の相対座標値の情報、ボタン画像の名称の情報等が含まれる。
【０２２６】
再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のボタン画像名は、それぞれ、「再生」、「一時停止」、「停止」、「巻き戻し」、「早送り」および「録画」である。
【０２２７】
再生ボタン画像ＰＢＧ１１０は、インターフェース操作Ｍにより押下処理されることにより、コンテンツを再生させるためのボタン画像である。一時停止ボタン画像ＰＢＧ１１２は、インターフェース操作Ｍにより押下処理されることにより、再生中のコンテンツを一時停止させるためのボタン画像である。コンテンツの再生が一時停止中である場合に、一時停止ボタン画像ＰＢＧ１１２が、インターフェース操作Ｍにより押下処理されると、コンテンツの再生が再開される。
【０２２８】
停止ボタン画像ＰＢＧ１２０は、インターフェース操作Ｍにより押下処理されることにより、コンテンツの再生を停止させるためのボタン画像である。巻き戻しボタン画像ＰＢＧ１３２は、インターフェース操作Ｍにより、１回、押下処理されることにより、コンテンツの再生箇所を所定期間（たとえば、１５秒）前の箇所にするためのボタン画像である。早送りボタン画像ＰＢＧ１３４は、コンテンツの早送り再生をするためのボタン画像である。具体的には、早送りボタン画像ＰＢＧ１３４は、インターフェース操作Ｍにより、１回、押下処理されることにより、コンテンツの再生箇所を所定期間（たとえば、１５秒）後の箇所にするためのボタン画像である。
【０２２９】
録画ボタン画像ＰＢＧ１４０は、インターフェース操作Ｍにより押下処理されることにより、前述した録画処理を行なうためのボタン画像である。
【０２３０】
再び、図１０を参照して、映像表示装置６００では、ステップＳ１２３の処理が終了すると、ステップＳ１２４に進む。
【０２３１】
ステップＳ１２４では、制御部６１０が、コンテンツ再生必要データを受信し、受信したコンテンツ再生必要データを、記憶部６２０に記憶させる。その後、ステップＳ１２５に進む。
【０２３２】
ステップＳ１２５では、制御部６１０が、受信したコンテンツ再生必要データに含まれる、コンテンツ基礎データＤ２００、タイムテーブルデータＤ２１０およびＣＭテーブルデータＤ２２０に基づいて、必要なデータを、サービスサーバ８００Ａから受信するための処理を行なう。
【０２３３】
具体的には、制御部６１０は、タイムテーブルデータＤ２１０の期間番号ｎ（自然数）に対応するデータ（以下、期間番号ｎデータともいう）を、サービスサーバ８００Ａから受信するための処理を行なう。なお、ｎの初期値は“１”である。より具体的には、制御部６１０は、期間番号ｎデータを取得するための期間番号ｎデータ取得要求を、サービスサーバ８００Ａへ送信する。その後、ステップＳ１２５の処理は終了する。なお、ｎが“１”の場合、期間番号ｎデータは、期間番号１データともいう。また、ｎが“１”の場合、期間番号１データは、ファイル名が「１２３４−１．ｍｐｇ」である動画像データ、ファイル名が「ｃｏｎｔ１２３４ａａ．ｈｔｍｌ」である操作パネル生成データおよび当該操作パネル生成データに対応する操作パネル生成パーツデータを含むデータである。
【０２３４】
なお、ステップＳ１２５では、既に受信された操作パネル生成データおよび操作パネル生成パーツデータは取得要求しない。
【０２３５】
サービスサーバ８００Ａでは、ステップＳ１４３の処理が終了すると、ステップＳ１４４に進む。
【０２３６】
ステップＳ１４４では、制御部８１０が、期間番号ｎデータ取得要求を受信したか否かを判定する。ステップＳ１４４において、ＹＥＳならば、ステップＳ１４４Ａに進む。一方、ステップＳ１４４において、ＮＯならば、再度、ステップＳ１４４の処理が行なわれる。
【０２３７】
ステップＳ１４４Ａでは、制御部８１０が、期間番号ｎデータ取得要求により要求された期間番号ｎデータを、映像表示装置６００へ送信する。前述したように、ｎが“１”の場合、期間番号ｎデータ（期間番号１データ）は、ファイル名が「１２３４−１．ｍｐｇ」である動画像データ、ファイル名が「ｃｏｎｔ１２３４ａａ．ｈｔｍｌ」である操作パネル生成データおよび当該操作パネル生成データに対応する操作パネル生成パーツデータを含むデータである。なお、期間番号ｎデータに含まれる動画像データはデータ容量が大きい。そのため、制御部８１０は、当該動画像データを、映像表示装置６００へストリーミング配信する。なお、要求された動画像データのストリーミング配信が終了すると、ステップＳ１４４Ａの処理は終了し、再度、ステップＳ１４４の処理が行なわれる。
【０２３８】
映像表示装置６００では、ステップＳ１２５の処理が終了すると、ステップＳ１２５Ａに進む。
【０２３９】
ステップＳ１２５Ａでは、制御部６１０が、期間番号ｎデータを受信する。これにより、制御部６１０は、期間番号ｎデータに含まれる操作パネル生成データおよび操作パネル生成パーツデータを受信する。なお、ストリーミング配信される、期間番号ｎデータに含まれる動画像データは、制御部６１０により、順次受信される。すなわち、ステップＳ１２５Ａの処理が終了しても、動画像データは、制御部６１０により、受信され続ける。なお、コンテンツとしての動画像データには、コンテンツ（動画像データ）の再生制御等の処理を行なうための操作メタデータが含まれる。なお、コンテンツとしての動画像データには、操作メタデータが含まれず、付加されていてもよい。また、以下においては、コンテンツには、操作メタデータが含まれず、付加されていてもよいとして説明する。ここでは、操作メタデータは、一例として、以下に説明する操作メタデータＤ３００であるとする。
【０２４０】
制御部６１０は、受信した操作メタデータを、一時記憶部６２２に記憶させる。その後、ステップＳ１２５Ｂに進む。以下においては、操作パネル生成データおよび操作パネル生成パーツデータを含むデータを、操作パネルデータともいう。操作メタデータＤ３００は、ファイル名が「ｃｏｎｔ１２３４ａａ．ｈｔｍｌ」である操作パネル生成データを含む操作パネルデータに対応するデータである。すなわち、操作メタデータＤ３００は、操作パネルデータにより生成される操作パネル画像ＰＧ１００に対応するデータである。
【０２４１】
図１８は、一例としての操作メタデータＤ３００を示す図である。図１８を参照して、「コンテンツ種類」とは、コンテンツのデータの種類を示す。「ジャンル」とは、コンテンツのジャンルの情報を示す。「ボタン画像名」とは、コンテンツの再生制御等の処理を行なうための操作パネル画像内に表示されるボタン画像の名称である。「リンク文字列」とは、ハイパーリンク文字列である。ハイパーリンク文字列とは、他のＷｅｂページを表示させるための文字列である。「制御」とは、対応する名称の「ボタン画像」または「ハイパーリンク文字列」が、インターフェース操作Ｍにより押下処理またはクリックされた場合に、映像表示装置６００が行なう制御である。たとえば、「再生」という制御は、コンテンツの再生を行なう制御である。
【０２４２】
再び、図１７を参照して、前述したように、再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のボタン画像名は、それぞれ、「再生」、「一時停止」、「停止」、「巻き戻し」、「早送り」および「録画」である。
【０２４３】
再び、図１０を参照して、ステップＳ１２５Ｂでは、制御部６１０が、受信した期間番号ｎデータに含まれる操作パネルデータを、通信端末装置５００へ送信する。なお、受信した期間番号ｎデータに操作パネルデータが含まれない場合は、制御部６１０は、操作パネルデータを、通信端末装置５００へ送信する処理は行なわない。その後、このステップＳ１２５Ｂの処理は終了する。
【０２４４】
通信端末装置５００では、ステップＳ１１３の処理の後、ステップＳ１１４に進む。
ステップＳ１１４では、制御部５１０が、１つ目の操作パネルデータまたは既に受信した操作パネルデータとは異なる操作パネルデータを受信したか否かを判定する。ステップＳ１１４において、ＹＥＳならば、ステップＳ１１５に進む。一方、ステップＳ１１４において、ＮＯならば、再度、ステップＳ１１４の処理が行なわれる。初めて、ステップＳ１１４の処理が行なわれる場合は、１つ目の操作パネルデータを受信したとして、ステップＳ１１５に進む。ここでは、操作パネル生成データおよび操作パネル生成パーツデータを含む操作パネルデータを受信したとして、ステップＳ１１５に進む。
【０２４５】
ステップＳ１１５では、操作パネル画像表示処理が行なわれる。操作パネル画像表示処理では、制御部５１０が、ＶＤＰ５３２を利用して、操作パネル生成パーツデータを使用して、ＨＴＭＬデータである操作パネル生成データに基づいて、操作パネル画像を生成し、生成した操作パネル画像を表示部５３０に表示させる。その後、ステップＳ１１５の処理は終了する。なお、生成された操作パネル画像は、一例として、図１７の操作パネル画像ＰＧ１００である。
【０２４６】
なお、操作パネル画像が、表示部５３０の表示可能な画像サイズより小さく、かつ、表示部５３０に他のプログラムの実行により生成された画像（以下、実行プログラム画像ともいう）が表示されている場合、実行プログラム画像の前面に操作パネル画像が表示された合成画像が、表示部５３０に表示されてもよい。合成画像は、たとえば、以下の合成画像ＭＧ３００のようになる。なお、表示部５３０には、生成された操作パネル画像のみが表示されてもよい。
【０２４７】
図１９は、一例としての合成画像ＭＧ３００を示す図である。図１９を参照して、合成画像ＭＧ３００は、実行プログラム画像内に、操作パネル画像ＰＧ１００が配置された画像である。実行プログラム画像は、たとえば、電子メールを閲覧するための画像である。また、実行プログラム画像は、たとえば、文章を作成するための画像である。
【０２４８】
再び、図１０を参照して、ステップＳ１１５の処理が終了すると、ステップＳ１１６に進む。
【０２４９】
ステップＳ１１６では、制御部５１０が、後述する操作判定処理を実行する。操作判定処理は、他の処理とは独立して行なわれる処理である。なお、既に操作判定処理が実行されている場合、制御部５１０は、実行中の操作判定処理を終了させ、新たな操作判定処理を実行する。ステップＳ１１６の処理が終了すると、再度、ステップＳ１１４の処理が行なわれる。
【０２５０】
映像表示装置６００では、ステップＳ１２５Ｂの処理が終了すると、ステップＳ１２６に進む。
【０２５１】
ステップＳ１２６では、コンテンツ処理が行なわれる。
図２０は、操作判定処理およびコンテンツ処理のフローチャートである。図２０を参照して、コンテンツ処理では、まず、ステップＳ２２０の処理が行なわれる。
【０２５２】
ステップＳ２２０では、制御部６１０が、コンテンツ表示処理を実行する。コンテンツ表示処理は、コンテンツ処理および他の処理とは独立して行なわれる処理である。その後、ステップＳ２２０の処理は終了する。
【０２５３】
コンテンツ表示処理では、制御部６１０が、ＶＤＰ６３２を利用して、期間番号ｎデータに含まれる動画像データをサービスサーバ８００Ａから受信しながら、動画像データに基づく画像を、表示部６３０に表示するストリーミング再生表示処理が行なわれる。なお、期間番号ｎデータ（たとえば、期間番号１データ）に含まれる動画像データの受信が完了し、動画像データに基づく画像の再生が終了した場合、このコンテンツ表示処理は終了する。
【０２５４】
操作判定処理では、まず、ステップＳ２１０の処理が行なわれる。
ステップＳ２１０では、制御部５１０が、表示制御操作があるか否かを判定する。表示制御操作とは、表示部５３０に表示されている操作パネル画像内のボタン画像を押下処理するためのインターフェース操作Ｍである。ステップＳ２１０において、ＹＥＳならば、ステップＳ２１２に進む。一方、ステップＳ２１０において、ＮＯならば、再度、ステップＳ２１０の処理が行なわれる。
【０２５５】
たとえば、表示部５３０に表示されている操作パネル画像が、図１７の操作パネル画像ＰＧ１００である場合、表示制御操作は、たとえば、停止ボタン画像ＰＢＧ１２０を押下処理するためのインターフェース操作Ｍである。
【０２５６】
ステップＳ２１２では、制御部５１０が、通信部５６０を利用して、制御リモコン信号を、映像表示装置６００へ送信する。表示制御操作が、たとえば、停止ボタン画像ＰＢＧ１２０を押下処理するためのインターフェース操作Ｍであった場合、制御リモコン信号は、操作パネル画像ＰＧ１００内において、停止ボタン画像ＰＢＧ１２０の名称である「停止」の情報を含んだリモコン信号となる。ステップＳ２１２の処理が終了すると、再度、ステップＳ２１０の処理が行なわれる。
【０２５７】
コンテンツ処理では、ステップＳ２２０の処理が終了すると、ステップＳ２２２の処理に進む。
【０２５８】
ステップＳ２２２では、制御部６１０が、１つ目の操作パネルデータまたは既に受信した操作パネルデータとは異なる操作パネルデータを受信したか否かを判定する。すなわち、制御部６１０が、ステップＳ１２５Ａの処理において受信した期間番号ｎデータに操作パネルデータが含まれ、受信した当該操作パネルデータが、１つ目の操作パネルデータまたは既に受信した操作パネルデータとは異なる操作パネルデータであるか否かを判定する。ステップＳ２２２において、ＹＥＳならば、ステップＳ２２４に進む。一方、ステップＳ２２２において、ＮＯならば、ステップＳ２２６に進む。初めて、ステップＳ２２２の処理が行なわれる場合は、１つ目の操作パネルデータを受信したとして、ステップＳ２２４に進む。
【０２５９】
ステップＳ２２４では、制御部６１０が、通信端末装置５００から送信された制御リモコン信号に対応するための制御信号対応処理を実行する。制御信号対応処理は、他の処理とは独立して行なわれる処理である。なお、既に制御信号対応処理が実行されている場合、制御部６１０は、実行中の制御信号対応処理を終了させ、新たな制御信号対応処理を実行する。ステップＳ２２４の処理が終了すると、ステップＳ２２６に進む。
【０２６０】
制御信号対応処理では、まず、ステップＳ２３０の処理が行なわれる。
ステップＳ２３０では、制御部６１０が、制御リモコン信号を受信したか否かを判定する。ステップＳ２３０において、ＹＥＳならば、ステップＳ２３２の処理に進む。一方、ステップＳ２３０において、ＮＯならば、再度、ステップＳ２３０の処理が行なわれる。ここでは、一例として、停止ボタン画像ＰＢＧ１２０の名称である「停止」の情報を含んだ制御リモコン信号を受信したとする。
【０２６１】
ステップＳ２３２では、制御リモコン信号対応処理が行なわれる。制御リモコン信号対応処理では、受信した制御リモコン信号に応じた処理が行なわれる。たとえば、表示部６３０に動画像が表示されているときに、停止ボタン画像ＰＢＧ１２０の名称である「停止」の情報を含んだ制御リモコン信号を受信した場合、制御部６１０は、図１８の操作メタデータＤ３００を参照し、ボタン画像名が「停止」に対応する制御を行なう。すなわち、制御部６１０は、表示部６３０に表示されている動画像の再生を停止させ、表示部６３０に表示されている動画像を消去させる。
【０２６２】
また、表示部６３０に動画像が表示されているときに、一時停止ボタン画像ＰＢＧ１１２の名称である「一時停止」の情報を含んだ制御リモコン信号を受信した場合、制御部６１０は、前述の停止ボタン画像ＰＢＧ１２０の名称である「停止」の情報を含んだ制御リモコン信号を受信した場合と同様に、操作メタデータＤ３００を参照し、表示部６３０に表示されている動画像を一時的に停止させる。
【０２６３】
また、表示部６３０に画像が表示されていない場合および表示部６３０に表示されている動画像が一時的に停止している場合に、再生ボタン画像ＰＢＧ１１０の名称である「再生」の情報を含んだ制御リモコン信号を受信した場合、制御部６１０は、操作メタデータＤ３００を参照し、動画像の再生が停止された場所から、動画像の再生を開始させる。
【０２６４】
また、表示部６３０に動画像が表示されているときに、巻き戻しボタン画像ＰＢＧ１３２の名称である「巻き戻し」の情報を含んだ制御リモコン信号を受信した場合、制御部６１０は、操作メタデータＤ３００を参照し、表示部６３０に表示されている動画像の再生箇所を所定期間（たとえば、１５秒）前の箇所に変更し、変更した箇所から、動画像の再生を行なう。
【０２６５】
また、表示部６３０に動画像が表示されているときに、早送りボタン画像ＰＢＧ１３４の名称である「早送り」の情報を含んだ制御リモコン信号を受信した場合、制御部６１０は、操作メタデータＤ３００を参照し、表示部６３０に表示されている動画像の再生箇所を所定期間（たとえば、１５秒）後の箇所に変更し、変更した箇所から、動画像の再生を行なう。なお、所定期間後に対応する動画像データを、サービスサーバ８００Ａから映像表示装置６００がまだ受信してない場合は、上記処理は行なわれない。その後、ステップＳ２３２の処理は終了し、再度、ステップＳ２３０の処理が行なわれる。
【０２６６】
コンテンツ処理では、ステップＳ２２４の処理が終了すると、ステップＳ２２６の処理に進む。
【０２６７】
ステップＳ２２６では、制御部６１０が、コンテンツ表示処理において、期間番号ｎデータ（たとえば、期間番号１データ）に含まれる動画像データの受信が完了したか否かを判定する。ステップＳ２２６において、ＹＥＳならば、このコンテンツ処理は終了し、図１０の映像表示装置６００の処理に戻り、ステップＳ１２６の次のステップＳ１２７に進む。一方、ステップＳ２２６において、ＮＯならば、再度、ステップＳ２２６の処理が行なわれる。なお、ステップＳ２２６の処理は終了しても、受信が完了した動画像データに基づく画像の再生が終了するまで、コンテンツ表示処理は行なわれ続ける。なお、前述したように、コンテンツ表示処理において、期間番号ｎデータ（期間番号１データ）に含まれる動画像データの受信が完了し、動画像データに基づく画像の再生が終了した場合に、コンテンツ表示処理は終了する。
【０２６８】
再び，図１０を参照して、ステップＳ１２６の処理が終了すると、ステップＳ１２７に進む。
【０２６９】
ステップＳ１２７では、制御部６１０が、図１５のタイムテーブルデータＤ２１０に記述されている全ての期間番号に対応する、全てのコンテンツとしての動画像データの受信が完了し、受信した全てのコンテンツとしての動画像データの再生が終了したか否かを判定する。ステップＳ１２７において、ＹＥＳならば、再度、ステップＳ１２２の処理が行なわれる。一方、ステップＳ１２７において、ＮＯならば、ステップＳ１２７Ａに進む。
【０２７０】
ステップＳ１２７Ａでは、制御部６１０が、ｎの値を１インクリメントする。その後、再度、ステップＳ１２５の処理が行なわれる。ここでは、ステップＳ１２７Ａの処理の後、ｎの値が“２”となったとして、ステップＳ１２５で行なわれる処理を説明する。
【０２７１】
ステップＳ１２５では、ｎが“２”であるので、制御部６１０は、タイムテーブルデータＤ２１０の期間番号“２”に対応する期間番号ｎデータ（期間番号２データ）を、サービスサーバ８００Ａから受信するための処理を行なう。より具体的には、制御部６１０は、期間番号２データを取得するための期間番号ｎデータ取得要求を、サービスサーバ８００Ａへ送信する。その後、ステップＳ１２５の処理は終了する。なお、ｎが“２”の場合、期間番号２データは、図１６のＣＭテーブルデータＤ２２０により特定される、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。
【０２７２】
前述したように、ステップＳ１２５では、既に受信された操作パネル生成データおよび操作パネル生成パーツデータは取得要求しない。そのため、取得要求する期間番号２データには、既に受信された操作パネル生成データおよび操作パネル生成パーツデータは含まれない。すなわち、既に受信された、ファイル名が「ｃｏｎｔ１２３４ａａ．ｈｔｍｌ」である操作パネル生成データおよび、対応する操作パネル生成パーツデータは、この場合、取得要求する期間番号２データには含まれない。
【０２７３】
サービスサーバ８００Ａでは、ステップＳ１４４Ａの終了後、ステップＳ１４４の処理が行なわれる。
【０２７４】
ステップＳ１４４では、前述した処理が行なわれる。ここでは、期間番号ｎデータ取得要求を受信したとして、ステップＳ１４４Ａに進む。
【０２７５】
ステップＳ１４４Ａでは、制御部８１０が、期間番号ｎデータ取得要求により要求された期間番号ｎデータを、映像表示装置６００へ送信する。前述したように、ｎが“２”の場合、期間番号２データは、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。
【０２７６】
なお、期間番号２データに含まれる動画像データはデータ容量が大きい。そのため、制御部８１０は、当該動画像データを、映像表示装置６００へストリーミング配信する。なお、コンテンツとしての動画像データには、前述した操作メタデータが含まれる。なお、コンテンツとしての動画像データには、操作メタデータが含まれず、付加されていてもよい。当該操作メタデータは、一例として、操作メタデータＤ３００であるとする。なお、要求された動画像データのストリーミング配信が終了すると、ステップＳ１４４Ａの処理は終了し、再度、ステップＳ１４４の処理が行なわれる。
【０２７７】
映像表示装置６００では、ステップＳ１２５の処理が終了すると、ステップＳ１２５Ａに進む。
【０２７８】
ステップＳ１２５Ａでは、ｎが“２”の場合、制御部６１０が、期間番号２データを受信する。なお、ストリーミング配信される、期間番号２データに含まれる動画像データは、ステップＳ１２５Ａの処理が終了しても、動画像データは、制御部６１０により、受信され続ける。その後、ステップＳ１２５Ｂに進む。
【０２７９】
ステップＳ１２５Ｂでは、受信した期間番号２データに操作パネルデータが含まれないので、制御部６１０は、操作パネルデータを、通信端末装置５００へ送信する処理は行なわない。その後、このステップＳ１２５Ｂの処理は終了し、ステップＳ１２６に進む。
【０２８０】
ステップＳ１２６では、前述した図２０のコンテンツ処理が行なわれる。
コンテンツ処理では、まず、ステップＳ２２０において、制御部６１０が、コンテンツ表示処理を実行する。コンテンツ表示処理は、前述したように、コンテンツ処理および他の処理とは独立して行なわれる処理である。その後、ステップＳ２２０の処理は終了する。
【０２８１】
ｎが“２”の場合、コンテンツ表示処理では、制御部６１０が、ＶＤＰ６３２を利用して、期間番号２データに含まれる動画像データをサービスサーバ８００Ａから受信しながら、動画像データに基づく画像を、表示部６３０に表示するストリーミング再生表示処理が行なわれる。なお、期間番号２データに含まれる動画像データの受信が完了し、動画像データに基づく画像の再生が終了した場合、このコンテンツ表示処理は終了する。
【０２８２】
ステップＳ２２２では、前述した処理が行なわれる。ｎが“２”の場合、受信した期間番号２データに操作パネルデータが含まれないので、ステップＳ２２６に進む。
【０２８３】
ステップＳ２２６では、制御部６１０が、コンテンツ表示処理において、期間番号２データに含まれる動画像データの受信が完了したか否かを判定する。なお、前述したように、ステップＳ２２６の処理は終了しても、受信が完了した動画像データに基づく画像の再生が終了するまで、コンテンツ表示処理は行なわれ続ける。また、前述したように、コンテンツ表示処理において、ｎが“２”の場合、期間番号２データに含まれる動画像データの受信が完了し、動画像データに基づく画像の再生が終了した場合に、コンテンツ表示処理は終了する。ここでは、期間番号２データに含まれる動画像データの受信が完了したとして、図１０の映像表示装置６００の処理に戻り、ステップＳ１２６の次のステップＳ１２７に進む。
【０２８４】
以上説明したステップＳ１２５，Ｓ１２５Ａ，Ｓ１２５Ｂ，Ｓ１２６の処理が、ステップＳ１２７において、ＹＥＳと判定されるまで繰り返されることで、表示部６３０には、コンテンツ取得操作があった取得要求コンテンツとしての動画像が再生表示される。
【０２８５】
次に、映像表示装置６００が、既に受信した操作パネルデータとは異なる操作パネルデータを、サービスサーバ８００Ａから受信する場合の処理について説明する。
【０２８６】
まず、映像表示装置６００において、ステップＳ１２５の処理が行なわれる。
ステップＳ１２５では、タイムテーブルデータＤ２１０の期間番号“５”に対応する期間番号ｎデータ（期間番号５データ）を、サービスサーバ８００Ａから受信するための処理を行なう。より具体的には、制御部６１０は、期間番号５データを取得するための期間番号ｎデータ取得要求を、サービスサーバ８００Ａへ送信する。その後、ステップＳ１２５の処理は終了する。
【０２８７】
ｎが“５”の場合、期間番号５データは、図１６のＣＭテーブルデータＤ２２０により特定される、「ＣＭ番号」が“５５５５”に対応する、ファイル名が「ＣＭ５５５５．ｍｐｇ」である動画像データ、ファイル名が「ｃｏｎｔ１２３４ｂｂ．ｈｔｍｌ」である操作パネル生成データＡおよび当該操作パネル生成データＡに対応する操作パネル生成パーツデータＡを含むデータである。
【０２８８】
ファイル名が「ｃｏｎｔ１２３４ｂｂ．ｈｔｍｌ」である操作パネル生成データＡにより生成される操作パネル画像は、以下の操作パネル画像ＰＧ１００Ａであるとする。
【０２８９】
図２１は、一例としての操作パネル画像ＰＧ１００Ａを示す図である。図２１を参照して、操作パネル画像ＰＧ１００Ａは、図１７の操作パネル画像ＰＧ１００と比較して、一時停止ボタン画像ＰＢＧ１１２と、停止ボタン画像ＰＢＧ１２０と、巻き戻しボタン画像ＰＢＧ１３２と、早送りボタン画像ＰＢＧ１３４と、録画ボタン画像ＰＢＧ１４０とが配置されない点と、「映画予告」というハイパーリンク文字列ＰＣＧ１８０が配置される点が異なる。
【０２９０】
ハイパーリンク文字列ＰＣＧ１８０は、インターフェース操作Ｍによりクリックされることにより、関連づけられたＵＲＬのＷｅｂページの情報を表示させるための文字列である。それ以外は、操作パネル画像ＰＧ１００Ａと同様なので詳細な説明は繰り返さない。すなわち、操作パネル画像ＰＧ１００Ａが表示部５３０に表示されたときに、表示部６３０に表示されているコンテンツの早送り再生、録画処理等をすることができない。
【０２９１】
再び、図１０を参照して、サービスサーバ８００Ａでは、ステップＳ１４４Ａの終了後、ステップＳ１４４の処理が行なわれる。
【０２９２】
ステップＳ１４４では、前述した処理が行なわれる。ここでは、期間番号ｎデータ取得要求を受信したとして、ステップＳ１４４Ａに進む。
【０２９３】
ステップＳ１４４Ａでは、制御部８１０が、期間番号ｎデータ取得要求により要求された期間番号ｎデータを、映像表示装置６００へ送信する。前述したように、ｎが“５”の場合、期間番号５データは、「ＣＭ番号」が“５５５５”に対応する、ファイル名が「ＣＭ５５５５．ｍｐｇ」である動画像データ、ファイル名が「ｃｏｎｔ１２３４ｂｂ．ｈｔｍｌ」である操作パネル生成データＡおよび操作パネル生成パーツデータＡを含むデータである。以下においては、操作パネル生成データＡおよび操作パネル生成パーツデータＡを含むデータを、操作パネルデータＡともいう。
【０２９４】
ファイル名が「ＣＭ５５５５．ｍｐｇ」である動画像データには、後述する操作メタデータＤ３００Ａが含まれる。なお、コンテンツとしての動画像データには、操作メタデータが含まれず、付加されていてもよい。なお、期間番号５データに含まれる動画像データはデータ容量が大きい。そのため、制御部８１０は、当該動画像データを、映像表示装置６００へストリーミング配信する。なお、要求された動画像データのストリーミング配信が終了すると、ステップＳ１４４Ａの処理は終了し、再度、ステップＳ１４４の処理が行なわれる。
【０２９５】
図２２は、一例としての操作メタデータＤ３００Ａを示す図である。図２２を参照して、操作メタデータＤ３００Ａは、図１８の操作メタデータＤ３００と比較して、「ジャンル」が「映画」の代わりに「ＣＭ」である点と、「一時停止」、「停止」、「巻き戻し」、「早送り」および「録画」に対応する制御の情報がないと、「制御」の項目にＷｅｂアクセスという制御が含まれる点と、「ＵＲＬ」という項目が含まれる点が異なる。それ以外は、操作メタデータＤ３００と同様なので詳細な説明は繰り返さない。
【０２９６】
「映画予告」というハイパーリンク文字列は、インターフェース操作Ｍによりクリックされた場合に、映像表示装置６００が「http://www.bb.ne.jp/1234bb01.html」のＵＲＬにＷｅｂアクセスする。すなわち、操作パネル画像ＰＧ１００Ａに表示される「映画予告」というハイパーリンク文字列ＰＣＧ１８０が、インターフェース操作Ｍによりクリックされた場合、映像表示装置６００が「http://www.bb.ne.jp/1234bb01.html」のＵＲＬにＷｅｂアクセスする。Ｗｅｂアクセスされるサーバは、たとえば、サービスサーバ８００Ａである。
【０２９７】
映像表示装置６００では、ステップＳ１２５の処理が終了すると、ステップＳ１２５Ａに進む。
【０２９８】
ステップＳ１２５Ａでは、ｎが“５”の場合、制御部６１０が、期間番号５データを受信する。これにより、ｎが“５”の場合、制御部６１０は、期間番号５データに含まれる操作パネルデータＡを受信する。期間番号５データに含まれる操作パネルデータＡは、操作パネル画像ＰＧ１００Ａを生成するためのデータである。なお、ストリーミング配信される、期間番号５データに含まれる動画像データは、ステップＳ１２５Ａの処理が終了しても、動画像データは、制御部６１０により、受信され続ける。
【０２９９】
期間番号５データに含まれる動画像データには、前述の操作メタデータＤ３００Ａが含まれる。なお、コンテンツとしての動画像データには、操作メタデータが含まれず、付加されていてもよい。制御部６１０は、受信した操作メタデータＤ３００Ａを、一時記憶部６２２に記憶させる。その後、ステップＳ１２５Ｂに進む。
【０３００】
操作メタデータＤ３００Ａは、ファイル名が「ｃｏｎｔ１２３４ｂｂ．ｈｔｍｌ」である操作パネル生成データＡを含む操作パネルデータＡに対応するデータである。すなわち、操作メタデータＤ３００Ａは、操作パネルデータＡにより生成される操作パネル画像ＰＧ１００Ａに対応するデータである。
【０３０１】
ステップＳ１２５Ｂでは、制御部６１０が、受信した期間番号５データに含まれる操作パネルデータＡを、通信端末装置５００へ送信する。その後、このステップＳ１２５Ｂの処理は終了する。
【０３０２】
通信端末装置５００では、ステップＳ１１４の処理において、制御部５１０が、１つ目の操作パネルデータまたは異なる操作パネルデータを受信したか否かを判定する。ここでは、既に受信した操作パネルデータとは異なる操作パネルデータＡを受信したとして、ステップＳ１１５に進む。なお受信した操作パネルデータＡには、操作パネル生成データＡおよび操作パネル生成パーツデータＡが含まれる。
【０３０３】
ステップＳ１１５では、前述したのと同様に操作パネル画像表示処理が行なわれる。操作パネル画像表示処理では、制御部５１０が、ＶＤＰ５３２を利用して、操作パネル生成パーツデータＡを使用して、ＨＴＭＬデータである操作パネル生成データＡに基づいて、操作パネル画像を生成し、生成した操作パネル画像を表示部５３０に表示させる。その後、ステップＳ１１５の処理は終了する。なお、生成された操作パネル画像は、一例として、図２１の操作パネル画像ＰＧ１００Ａである。
【０３０４】
ステップＳ１１５の処理が終了すると、ステップＳ１１６に進む。
ステップＳ１１６では、前述した処理が行なわれる。既に操作判定処理が実行されているので、制御部５１０は、実行中の操作判定処理を終了させ、新たな操作判定処理を実行する。新たに実行される操作判定処理は、他の処理とは独立して行なわれる処理である。ステップＳ１１６の処理が終了すると、再度、ステップＳ１１４の処理が行なわれる。
【０３０５】
映像表示装置６００では、ステップＳ１２５Ｂの処理が終了すると、ステップＳ１２６に進む。
【０３０６】
ステップＳ１２６では、前述した図２０のコンテンツ処理が行なわれる。
コンテンツ処理では、まず、ステップＳ２２０において、制御部６１０が、コンテンツ表示処理を実行する。コンテンツ表示処理は、前述したように、コンテンツ処理および他の処理とは独立して行なわれる処理である。その後、ステップＳ２２０の処理は終了する。
【０３０７】
ｎが“５”の場合、コンテンツ表示処理では、制御部６１０が、ＶＤＰ６３２を利用して、期間番号５データに含まれる動画像データをサービスサーバ８００Ａから受信しながら、動画像データに基づく画像を、表示部６３０に表示するストリーミング再生表示処理が行なわれる。なお、期間番号５データに含まれる動画像データの受信が完了し、動画像データに基づく画像の再生が終了した場合、このコンテンツ表示処理は終了する。
【０３０８】
新たに実行された操作判定処理では、前述したステップＳ２１０の処理が行なわれるので詳細な説明は繰り返さない。ステップＳ２１０では、制御部５１０が、表示制御操作があるか否かを判定する。この場合、表示制御操作は、表示部５３０に表示されている操作パネル画像内のボタン画像およびハイパーリンク文字列を押下処理またはクリックするためのインターフェース操作Ｍであるとする。ステップＳ２１０において、ＹＥＳならば、ステップＳ２１２に進む。一方、ステップＳ２１０において、ＮＯならば、再度、ステップＳ２１０の処理が行なわれる。
【０３０９】
表示部５３０に表示されている操作パネル画像が、操作パネル画像ＰＧ１００Ａである場合、コンテンツとしての動画像の早送り再生、録画処理等をするための表示制御操作をすることはできない。
【０３１０】
したがって、ファイル名が「ＣＭ５５５５．ｍｐｇ」であるＣＭの動画像を、表示部６３０に表示している期間は、動画像の早送り再生はできない。その結果、表示部６３０を見ているユーザは、ＣＭの動画像を見ることになる。したがって、ＣＭの動画像を早送り再生により視聴されないことを防ぐことができる。すなわち、ＣＭ提供会社等が不利益を被ることを防ぐことができる。
【０３１１】
また、上記手段を活用すれば、表示装置側には、一切ＣＭを出さないで、操作パネル側にて広告を流すような応用も可能であり、コンテンツ製作者（クリエータ）の意図に沿った映像配信などの提供手段としても有効である。
【０３１２】
なお、ステップＳ２１０の処理が行なわれる際、操作パネル画像ＰＧ１００Ａ内のハイパーリンク文字列ＰＣＧ１８０がクリックされるインターフェース操作Ｍである表示制御操作があったとする。これにより、ステップＳ２１２に進む。
【０３１３】
ステップＳ２１２では、前述したのと同様な処理が行なわれるので詳細な説明は繰り返さない。この処理により、制御リモコン信号が、映像表示装置６００へ送信される。ここでは、表示制御操作が、操作パネル画像ＰＧ１００Ａ内のハイパーリンク文字列ＰＣＧ１８０がクリックされるインターフェース操作Ｍであるとする。この場合、制御リモコン信号は、操作パネル画像ＰＧ１００Ａ内において、ハイパーリンク文字列ＰＣＧ１８０の文字列である「映画予告」の情報を含んだリモコン信号となる。ステップＳ２１２の処理が終了すると、再度、ステップＳ２１０の処理が行なわれる。
【０３１４】
コンテンツ処理では、ステップＳ２２０の処理が終了すると、ステップＳ２２２の処理に進む。
【０３１５】
ステップＳ２２２では、前述した処理が行なわれる。ｎが“５”の場合、制御部６１０は、既に受信した操作パネルデータとは異なる操作パネルデータを受信したと判定して、ステップＳ２２４に進む。
【０３１６】
ステップＳ２２４では、前述した処理が行なわれる。この場合、既に制御信号対応処理が実行されているので、制御部５１０は、実行中の制御信号対応処理を終了させ、新たな制御信号対応処理を実行する。新たに実行される制御信号対応処理は、他の処理とは独立して行なわれる処理である。ステップＳ２２４の処理が終了すると、ステップＳ２２６に進む。
【０３１７】
新たに実行される制御信号対応処理では、まず、ステップＳ２３０の処理が行なわれる。
【０３１８】
ステップＳ２３０では、前述した処理が行なわれるので詳細な説明は繰り返さない。ステップＳ２３０において、ＹＥＳならば、ステップＳ２３２の処理に進む。一方、ステップＳ２３０において、ＮＯならば、再度、ステップＳ２３０の処理が行なわれる。ここでは、一例として、ハイパーリンク文字列ＰＣＧ１８０の文字列である「映画予告」の情報を含んだ制御リモコン信号を受信したとして、ステップＳ２３２に進む。
【０３１９】
ステップＳ２３２では、制御リモコン信号対応処理が行なわれる。制御リモコン信号対応処理では、前述したように、受信した制御リモコン信号に応じた処理が行なわれる。ここでは、ハイパーリンク文字列ＰＣＧ１８０の文字列である「映画予告」の情報を含んだ制御リモコン信号を受信したので、制御部６１０が以下の処理を行なう。
【０３２０】
制御部６１０は、図２２の操作メタデータＤ３００Ａを参照し、ハイパーリンク文字列ＰＣＧ１８０の文字列である「映画予告」に対応する制御を行なう。すなわち、制御部６１０は、「http://www.bb.ne.jp/1234bb01.html」のＵＲＬにＷｅｂアクセスし、「http://www.bb.ne.jp/1234bb01.html」のＵＲＬのＷｅｂページの情報を、表示部６３０に表示させる。
【０３２１】
したがって、ファイル名が「ＣＭ５５５５．ｍｐｇ」であるＣＭの動画像を、表示部６３０に表示している期間、ユーザの興味ある情報を参照してもらうことができる。したがって、ファイル名が「ＣＭ５５５５．ｍｐｇ」であるＣＭの動画像を提供するコンテンツ提供会社等は、コンテンツに対応した情報をユーザに見てもらうことができ、効率のよい宣伝を行なうことができる。
【０３２２】
その後、ステップＳ２３２の処理は終了し、再度、ステップＳ２３０の処理が行なわれる。
【０３２３】
コンテンツ処理では、ステップＳ２２４の処理が終了すると、ステップＳ２２６の処理に進む。
【０３２４】
ステップＳ２２６では、制御部６１０が、コンテンツ表示処理において、期間番号５データに含まれる動画像データの受信が完了したか否かを判定する。なお、前述したように、ステップＳ２２６の処理は終了しても、受信が完了した動画像データに基づく画像の再生が終了するまで、コンテンツ表示処理は行なわれ続ける。また、前述したように、コンテンツ表示処理において、ｎが“５”の場合、期間番号５データに含まれる動画像データの受信が完了し、動画像データに基づく画像の再生が終了した場合に、コンテンツ表示処理は終了する。ここでは、期間番号５データに含まれる動画像データの受信が完了したとして、図１０の映像表示装置６００の処理に戻り、ステップＳ１２６の次のステップＳ１２７に進む。
【０３２５】
次に、映像表示装置６００が、インタラクティブコンテンツを受信する場合の処理について説明する。インタラクティブコンテンツとは、たとえば、アンケートを集計するような、ユーザが参加できる番組である。また、インタラクティブコンテンツとは、たとえば、クイズ番組のような、ユーザが参加できる番組である。
【０３２６】
ステップＳ１１１の処理が行なわれるまでの処理は、前述したのと同様なので詳細な説明は繰り返さない。
【０３２７】
まず、ステップＳ１１２において、インターフェース操作Ｍにより、インタラクティブコンテンツを、取得するためのコンテンツ取得操作があったと判定され、ステップＳ１１３に進む。そして、ステップＳ１１３において前述したのと同様な処理が行なわれるので詳細な説明は繰り返さない。
【０３２８】
映像表示装置６００では、ステップＳ１２２，Ｓ１２３において、前述したのと同様な処理が行なわれるので詳細な説明は繰り返さない。
【０３２９】
サービスサーバ８００Ａでは、ステップＳ１４２，Ｓ１４３において、前述したのと同様な処理が行なわれるので詳細な説明は繰り返さない。
【０３３０】
映像表示装置６００では、ステップＳ１２４において、前述したのと同様な処理が行なわれるので詳細な説明は繰り返さない。これにより、映像表示装置６００は、コンテンツ基礎データＤ２００、タイムテーブルデータＤ２１０およびＣＭテーブルデータＤ２２０を含むコンテンツ再生必要データを受信したとする。
【０３３１】
そして、ステップＳ１２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０３３２】
サービスサーバ８００Ａでは、ステップＳ１４４，ステップＳ１４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０３３３】
映像表示装置６００では、ステップＳ１２５Ａにおいて、前述したのと同様な処理が行なわれるので詳細な説明は繰り返さない。この処理により、制御部６１０が、期間番号１データを受信する。期間番号１データは、ファイル名が「１２３４−１．ｍｐｇ」である動画像データ、ファイル名が「ｃｏｎｔ１２３４ａａ．ｈｔｍｌ」である操作パネル生成データおよび当該操作パネル生成データに対応する操作パネル生成パーツデータを含むデータである。ファイル名が「ｃｏｎｔ１２３４ａａ．ｈｔｍｌ」である操作パネル生成データおよび操作パネル生成パーツデータを含む操作パネルデータにより生成される操作パネル画像は、以下の操作パネル画像ＰＧ２００であるとする。
【０３３４】
なお、期間番号１データに含まれる、コンテンツとしての動画像データには、操作メタデータが含まれる。なお、コンテンツとしての動画像データには、操作メタデータが含まれず、付加されていてもよい。制御部６１０は、受信した操作メタデータを、一時記憶部６２２に記憶させる。ここでは、操作メタデータは、一例として、以下に説明する操作メタデータＤ３１０であるとする。
【０３３５】
操作メタデータＤ３１０は、ファイル名が「ｃｏｎｔ１２３４ａａ．ｈｔｍｌ」である操作パネル生成データを含む操作パネルデータに対応するデータである。すなわち、操作メタデータＤ３１０は、操作パネルデータにより生成される操作パネル画像ＰＧ２００に対応するデータである。
【０３３６】
図２３は、一例としての操作パネル画像ＰＧ２００を示す図である。図２３を参照して、操作パネル画像ＰＧ２００は、図１７の操作パネル画像ＰＧ１００と比較して、数字ボタン画像ＰＢＧ２１１，ＰＢＧ２１２，ＰＢＧ２１３，ＰＢＧ２１４がさらに配置される点が異なる。それ以外は、操作パネル画像ＰＧ１００と同様なので詳細な説明は繰り返さない。
【０３３７】
数字ボタン画像ＰＢＧ２１１，ＰＢＧ２１２，ＰＢＧ２１３，ＰＢＧ２１４の各々は、インターフェース操作Ｍにより押下処理されることにより、対応する操作メタデータに記述される処理を行なうためのボタン画像である。数字ボタン画像ＰＢＧ２１１，ＰＢＧ２１２，ＰＢＧ２１３，ＰＢＧ２１４のボタン画像名は、それぞれ、「番号１」、「番号２」、「番号３」、「番号４」である。
【０３３８】
図２４は、一例としての操作メタデータＤ３１０を示す図である。図２４を参照して、操作メタデータＤ３１０は、図１８の操作メタデータＤ３００と比較して、「コンテンツ種類」が「動画像」の代わりに「インタラクティブ動画像」である点と、「ジャンル」が「映画」の変わりに「パラエティ」である点と、「制御」の項目にＷｅｂアクセスという制御が含まれる点と、「ＵＲＬ」という項目が含まれる点が異なる。
【０３３９】
操作メタデータＤ３１０を参照して、たとえば、「番号１」に対応する、図２３の操作パネル画像ＰＧ２００に配置された数字ボタン画像ＰＢＧ２１１が、インターフェース操作Ｍにより押下処理された場合に、映像表示装置６００が「http://www.bb.ne.jp/1234aa01.html」のＵＲＬにＷｅｂアクセスする。
【０３４０】
再び、図１０を参照して、映像表示装置６００では、ステップＳ１２５Ｂにおいて、制御部６１０が、受信した期間番号１データに含まれる操作パネルデータを、通信端末装置５００へ送信する。
【０３４１】
通信端末装置５００では、ステップＳ１１４，ステップＳ１１５，ステップＳ１１６において、前述したのと同様な処理が行なわれるので詳細な説明は繰り返さない。これらの処理により、表示部５３０には、操作パネル画像ＰＧ２００が表示される。また、図２０の操作判定処理が実行される。
【０３４２】
映像表示装置６００では、ステップＳ１２６の処理が、図２０に基づいて行なわれる。
ステップＳ２２０では、前述したのと同様な処理が行なわれるので詳細な説明は繰り返さない。
【０３４３】
操作判定処理では、ステップＳ２１０において、前述したのと同様な処理が行なわれるので詳細な説明は繰り返さない。ここでは、表示制御操作があったとして、ステップＳ２１２に進む。この場合、表示制御操作は、表示部５３０に表示されている操作パネル画像ＰＧ２００内の、ボタン画像名が「番号１」である数字ボタン画像ＰＢＧ２１１を押下処理するためのインターフェース操作Ｍであるとする。
【０３４４】
ステップＳ２１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「番号１」である数字ボタン画像ＰＢＧ２１１を押下処理するためのインターフェース操作Ｍであるとする。この場合、制御リモコン信号は、ボタン画像ＰＢＧ２１１の名称である「番号１」の情報を含んだリモコン信号となる。
【０３４５】
コンテンツ処理では、ステップＳ２２２，ステップＳ２２４において、前述したのと同様な処理が行なわれるので詳細な説明は繰り返さない。これらの処理により、制御信号対応処理が実行される。
【０３４６】
制御信号対応処理では、ステップＳ２３０の処理が行なわれる。ステップＳ２３０では、前述した処理が行なわれるので詳細な説明は繰り返さない。ここでは、一例として、ボタン画像ＰＢＧ２１１の名称である「番号１」の情報を含んだリモコン信号を受信したとして、ステップＳ２３２に進む。
【０３４７】
ステップＳ２３２では、制御リモコン信号対応処理が行なわれる。制御リモコン信号対応処理では、前述したように、受信した制御リモコン信号に応じた処理が行なわれる。ここでは、ボタン画像ＰＢＧ２１１の名称である「番号１」の情報を含んだ制御リモコン信号を受信したので、制御部６１０が以下の処理を行なう。
【０３４８】
制御部６１０は、図２４の操作メタデータＤ３１０を参照し、ボタン画像ＰＢＧ２１１の名称である「番号１」に対応する制御を行なう。すなわち、制御部６１０は、「http://www.bb.ne.jp/1234aa01.html」のＵＲＬにＷｅｂアクセスする。Ｗｅｂアクセスされるサーバは、たとえば、サービスサーバ８００Ａである。
【０３４９】
以上の処理が行なわれることにより、Ｗｅｂアクセスされたサービスサーバ８００Ａでは、アクセスされた回数を集計することで、たとえば、アンケートの集計等を行なうことができる。すなわち、インタラクティブコンテンツに対応した操作パネル画像を利用して、ユーザが番組において行なわれる、アンケート等の企画に参加することができる。
【０３５０】
なお、映像表示装置６００が受信するコンテンツは、３Ｄ（three dimensions）コンテンツであってもよい。３Ｄコンテンツは、たとえば、立体的にモデリングされた物である。
【０３５１】
図２５は、一例としての３Ｄコンテンツ３ＤＧを示す図である。
次に、映像表示装置６００が、３Ｄコンテンツ３ＤＧを受信する場合の処理について説明する。
【０３５２】
ステップＳ１１１の処理が行なわれるまでの処理は、前述したのと同様なので詳細な説明は繰り返さない。
【０３５３】
まず、ステップＳ１１２において、インターフェース操作Ｍにより、３Ｄコンテンツ３ＤＧを、取得するためのコンテンツ取得操作があったと判定され、ステップＳ１１３に進む。そして、ステップＳ１１３において前述したのと同様な処理が行なわれるので詳細な説明は繰り返さない。
【０３５４】
映像表示装置６００では、ステップＳ１２２，Ｓ１２３において、前述したのと同様な処理が行なわれるので詳細な説明は繰り返さない。
【０３５５】
サービスサーバ８００Ａでは、ステップＳ１４２において、前述したのと同様な処理が行なわれるので詳細な説明は繰り返さない。ここでは、コンテンツ取得要求Ａを受信したとして、ステップＳ１４３に進む。
【０３５６】
ステップＳ１４３では、前述したのと同様に、制御部８１０が、コンテンツ再生必要データを、映像表示装置６００へ送信する。その後、ステップＳ１４３の処理は終了する。コンテンツ再生必要データには、以下に説明する、コンテンツ基礎データＤ２００ＡおよびタイムテーブルデータＤ２１０Ａが含まれる。
【０３５７】
図２６は、一例としての、コンテンツ基礎データＤ２００ＡおよびタイムテーブルデータＤ２１０Ａを示す図である。図２６（Ａ）は、一例としての、コンテンツ基礎データＤ２００Ａを示す図である。図２６（Ａ）を参照して、コンテンツ基礎データＤ２００Ａは、図１４のコンテンツ基礎データＤ２００と比較して、「ＣＭ挿入回数」が“０”である点と、ＣＭテーブルＵＲＬがない点と、コンテンツ２，３，４のＵＲＬがない点と、操作パネルｂｂＵＲＬおよび操作パネルｃｃＵＲＬがない点とが異なる。それ以外は、コンテンツ基礎データＤ２００と同様なので詳細な説明は繰り返さない。
【０３５８】
図２６（Ｂ）は、一例としてのタイムテーブルデータＤ２１０Ａを示す図である。図２６（Ｂ）を参照して、タイムテーブルデータＤ２１０Ａは、図１５のタイムテーブルデータＤ２１０と比較して、「期間番号」が“１”に対応する情報のみが記述されたデータである点が異なる。それ以外は、タイムテーブルデータＤ２１０と同様なので詳細な説明は繰り返さない。
【０３５９】
再び、図１０を参照して、映像表示装置６００では、ステップＳ１２４において、前述したのと同様な処理が行なわれるので詳細な説明は繰り返さない。これにより、映像表示装置６００は、コンテンツ基礎データＤ２００ＡおよびタイムテーブルデータＤ２１０Ａを含むコンテンツ再生必要データを受信したとする。
【０３６０】
そして、ステップＳ１２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０３６１】
サービスサーバ８００Ａでは、ステップＳ１４４，ステップＳ１４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０３６２】
映像表示装置６００では、ステップＳ１２５Ａにおいて、前述したのと同様な処理が行なわれるので詳細な説明は繰り返さない。この処理により、制御部６１０が、期間番号１データを受信する。期間番号１データは、ファイル名が「１２３４．ｄｔ」である３Ｄコンテンツデータ、ファイル名が「ｃｏｎｔ１２３４ｄｄ．ｈｔｍｌ」である操作パネル生成データおよび当該操作パネル生成データに対応する操作パネル生成パーツデータを含むデータである。ファイル名が「ｃｏｎｔ１２３４ｄｄ．ｈｔｍｌ」である操作パネル生成データおよび操作パネル生成パーツデータを含む操作パネルデータにより生成される操作パネル画像は、以下の操作パネル画像ＰＧ３００であるとする。
【０３６３】
なお、期間番号１データに含まれる、３Ｄコンテンツデータには、操作メタデータが含まれる。なお、３Ｄコンテンツデータには、操作メタデータが含まれず、付加されていてもよい。制御部６１０は、受信した操作メタデータを、一時記憶部６２２に記憶させる。ここでは、操作メタデータは、一例として、以下に説明する操作メタデータＤ３２０であるとする。
【０３６４】
操作メタデータＤ３２０は、ファイル名が「ｃｏｎｔ１２３４ｄｄ．ｈｔｍｌ」である操作パネル生成データを含む操作パネルデータに対応するデータである。すなわち、操作メタデータＤ３２０は、操作パネルデータにより生成される操作パネル画像ＰＧ３００に対応するデータである。
【０３６５】
図２７は、一例としての操作パネル画像ＰＧ３００を示す図である。図２７を参照して、操作パネル画像ＰＧ３００には、ボタン画像ＰＢＧ３１２，ＰＢＧ３１４，ＰＢＧ３１６，ＰＢＧ３１８，ＰＢＧ３３２，ＰＢＧ３３４が配置される。
【０３６６】
ボタン画像ＰＢＧ３１２は、インターフェース操作Ｍにより１回押下処理されることにより、３Ｄコンテンツ３ＤＧを、垂直方向に対し上に向かって、たとえば、１０度、回転させるためのボタン画像である。ボタン画像ＰＢＧ３１４は、インターフェース操作Ｍにより１回押下処理されることにより、３Ｄコンテンツ３ＤＧを、垂直方向に対し下に向かって、たとえば、１０度、回転させるためのボタン画像である。ボタン画像ＰＢＧ３１６は、インターフェース操作Ｍにより１回押下処理されることにより、３Ｄコンテンツ３ＤＧを、水平方向に対し左に向かって、たとえば、１０度、回転させるためのボタン画像である。ボタン画像ＰＢＧ３１８は、インターフェース操作Ｍにより１回押下処理されることにより、３Ｄコンテンツ３ＤＧを、水平方向に対し右に向かって、たとえば、１０度、回転させるためのボタン画像である。
【０３６７】
ボタン画像ＰＢＧ３３２は、インターフェース操作Ｍにより１回押下処理されることにより、３Ｄコンテンツ３ＤＧを、たとえば、５０％拡大させるためのボタン画像である。ボタン画像ＰＢＧ３３４は、インターフェース操作Ｍにより１回押下処理されることにより、３Ｄコンテンツ３ＤＧを、たとえば、５０％縮小大させるためのボタン画像である。
【０３６８】
ボタン画像ＰＢＧ３１２，ＰＢＧ３１４，ＰＢＧ３１６，ＰＢＧ３１８，ＰＢＧ３３２，ＰＢＧ３３４のボタン画像名は、それぞれ、「上回転」、「下回転」、「左回転」、「右回転」、「拡大」、「縮小」である。
【０３６９】
図２８は、一例としての操作メタデータＤ３２０を示す図である。図２８を参照して、操作メタデータＤ３２０の各項目の説明は、図１８において説明したのと同様なので詳細な説明は繰り返さない。「コンテンツ種類」は、「インタラクティブ３Ｄコンテンツ」である。
【０３７０】
操作メタデータＤ３２０を参照して、たとえば、「上回転」に対応する、操作パネル画像ＰＧ３００に配置されたボタン画像ＰＢＧ３１２が、インターフェース操作Ｍにより押下処理された場合に、映像表示装置６００は、３Ｄコンテンツ３ＤＧを、垂直方向に対し上に向かって、たとえば、１０度、回転させる。
【０３７１】
再び、図１０を参照して、映像表示装置６００では、ステップＳ１２５Ｂにおいて、制御部６１０が、受信した期間番号１データに含まれる操作パネルデータを、通信端末装置５００へ送信する。
【０３７２】
通信端末装置５００では、ステップＳ１１４，ステップＳ１１５，ステップＳ１１６において、前述したのと同様な処理が行なわれるので詳細な説明は繰り返さない。これらの処理により、表示部５３０には、操作パネル画像ＰＧ３００が表示される。また、図２０の操作判定処理が実行される。
【０３７３】
映像表示装置６００では、ステップＳ１２６の処理が、図２０に基づいて行なわれる。
ステップＳ２２０では、制御部６１０が、コンテンツ表示処理を実行する。コンテンツ表示処理は、コンテンツ処理および他の処理とは独立して行なわれる処理である。その後、ステップＳ２２０の処理は終了する。
【０３７４】
コンテンツ表示処理では、制御部６１０が、ＶＤＰ６３２を利用して、期間番号ｎデータに含まれる、図２５の３Ｄコンテンツ３ＤＧを、表示部６３０に表示する。そして、このコンテンツ表示処理は終了する。
【０３７５】
操作判定処理では、ステップＳ２１０において、前述したのと同様な処理が行なわれるので詳細な説明は繰り返さない。ここでは、表示制御操作があったとして、ステップＳ２１２に進む。この場合、表示制御操作は、表示部５３０に表示されている操作パネル画像ＰＧ３００内の、ボタン画像名が「左回転」であるボタン画像ＰＢＧ３１６を押下処理するためのインターフェース操作Ｍであるとする。
【０３７６】
ステップＳ２１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「左回転」であるボタン画像ＰＢＧ３１６を押下処理するためのインターフェース操作Ｍであるとする。この場合、制御リモコン信号は、ボタン画像ＰＢＧ３１６の名称である「左回転」の情報を含んだリモコン信号となる。
【０３７７】
コンテンツ処理では、ステップＳ２２２，ステップＳ２２４において、前述したのと同様な処理が行なわれるので詳細な説明は繰り返さない。これらの処理により、制御信号対応処理が実行される。
【０３７８】
制御信号対応処理では、ステップＳ２３０の処理が行なわれる。ステップＳ２３０では、前述した処理が行なわれるので詳細な説明は繰り返さない。ここでは、一例として、ボタン画像ＰＢＧ３１６の名称である「左回転」の情報を含んだリモコン信号を受信したとして、ステップＳ２３２に進む。
【０３７９】
ステップＳ２３２では、制御リモコン信号対応処理が行なわれる。制御リモコン信号対応処理では、前述したように、受信した制御リモコン信号に応じた処理が行なわれる。ここでは、ボタン画像ＰＢＧ３１６の名称である「左回転」の情報を含んだ制御リモコン信号を受信したので、制御部６１０が以下の処理を行なう。
【０３８０】
制御部６１０は、図２８の操作メタデータＤ３２０を参照し、ボタン画像ＰＢＧ３１６の名称である「左回転」に対応する制御を行なう。すなわち、制御部６１０は、表示部６３０に表示されている、図２５の３Ｄコンテンツ３ＤＧを、水平方向に対し左に向かって、１０度、回転させる処理を行なう。
【０３８１】
以上の処理が行なわれることにより、３Ｄコンテンツを、回転、拡大および縮小したりできる。すなわち、ユーザの操作により、３Ｄコンテンツを様々な状態で表示することができる。
【０３８２】
たとえば、テレビショッピングなどの分野に上記処理を応用すると、商品をユーザが実際に目の前にあるような感覚で確認することができる。また、上記処理は、テレビショッピング以外にも、ゲーム、医療、ネットショッピング、仮想体験などさまざまな分野での応用も考えられる。
【０３８３】
なお、本実施の形態で使用される操作パネル画像は、以下に示すようなものであってもよい。
【０３８４】
図２９は、一例としての操作パネル画像ＰＧ４００を示す図である。図２９を参照して、操作パネル画像ＰＧ４００には、ボタン画像ＰＢＧ４１１，ＰＢＧ４１２，ＰＢＧ４１３，ＰＢＧ４１４，ＰＢＧ４１５，ＰＢＧ４１６，ＰＢＧ４１７，ＰＢＧ４１８，ＰＢＧ４１９が配置される。ボタン画像ＰＢＧ４１１，ＰＢＧ４１２，ＰＢＧ４１３，ＰＢＧ４１４，ＰＢＧ４１５，ＰＢＧ４１６，ＰＢＧ４１７，ＰＢＧ４１８，ＰＢＧ４１９の各々は、インターフェース操作Ｍにより押下処理されることにより、以下の操作メタデータＤ３４０に基づいた処理が行なわれる。ボタン画像ＰＢＧ４１１，ＰＢＧ４１２，ＰＢＧ４１３，ＰＢＧ４１４，ＰＢＧ４１５，ＰＢＧ４１６，ＰＢＧ４１７，ＰＢＧ４１８，ＰＢＧ４１９のボタン画像名は、それぞれ、「番号１」、「番号２」、「番号３」、「番号４」、「番号５」、「番号６」、「番号７」、「番号８」、「番号９」である。
【０３８５】
図３０は、一例としての操作メタデータＤ３４０を示す図である。図３０を参照して、操作メタデータＤ３４０の各項目の説明は、図１８において説明したのと同様なので詳細な説明は繰り返さない。
【０３８６】
操作メタデータＤ３４０を参照して、たとえば、「番号１」に対応する、操作パネル画像ＰＧ４００に配置されたボタン画像ＰＢＧ４１１が、インターフェース操作Ｍにより押下処理された場合に、映像表示装置６００が「http://www.bb.ne.jp/1234aa01.mpg」のＵＲＬにＷｅｂアクセスする。Ｗｅｂアクセスされるサーバは、たとえば、サービスサーバ８００Ａである。ここで、表示部６３０には動画像が表示されているとする。この場合、ファイル名が「１２３４ａａ０１．ｍｐｇ」である動画像データが、サービスサーバ８００Ａからダウンロードされる。そして、制御部６１０は、ダウンロードされた動画像データに基づく画像を、表示部６３０に表示されている画像に代えて表示する処理を行なう。
【０３８７】
なお、使用される操作パネル画像は、受信したコンテンツが音楽である場合、音楽の音質を自由に変更可能なイコライザーが表示されたものであってもよい。なお、操作パネル画像は、前述したものに限定されない。
【０３８８】
以上説明したように、本実施の形態では、映像表示装置６００は、サービスサーバ８００Ａからコンテンツを受信するとともに、コンテンツを操作するための操作パネル画像を生成するための操作パネルデータを受信する。映像表示装置６００は、受信した操作パネルデータを、通信端末装置５００へ送信する。通信端末装置５００では、受信した操作パネルデータに基づいた操作パネル画像が表示される。通信端末装置５００は、受信するコンテンツに応じた操作パネル画像を利用して、映像表示装置６００の表示部６３０に表示されているコンテンツを制御する。
【０３８９】
したがって、コンテンツを制御するのに適した操作パネル画像を使用してコンテンツを制御することができる。その結果、コンテンツの種類に応じた自由度の高い操作系を得ることができるという効果を奏する。
【０３９０】
また、本実施の形態では、表示部６３０に表示されるコンテンツに応じて、操作パネル画像も変化させる。たとえば、表示部６３０にＣＭの動画像が表示されている場合は、早送り再生ができない操作パネル画像となる。これにより、ＣＭの動画像を早送り再生により視聴されないことを防ぐことができる。すなわち、ＣＭ提供会社等が不利益を被ることを防ぐことができる。
【０３９１】
また、本実施の形態では、表示部６３０に表示されるコンテンツに関連する情報を取得するためのハイパーリンク文字列を表示した操作パネル画像を使用する。これにより、コンテンツとしての動画像を提供するコンテンツ提供会社等は、コンテンツに対応した情報をユーザに見てもらうことができ、効率のよい宣伝を行なうことができる。
【０３９２】
また、本実施の形態では、表示部６３０に表示されるコンテンツが、インタラクティブコンテンツである場合、インタラクティブコンテンツに対応した操作パネル画像を使用する。これにより、ユーザが番組において行なわれる、アンケート等の企画に参加することができる。
【０３９３】
また、本実施の形態では、表示部６３０に表示されるコンテンツが、３Ｄコンテンツである場合、３Ｄコンテンツに対応した操作パネル画像を使用する。これにより、ユーザは、３Ｄコンテンツの様々な状態を見ることができる。
【０３９４】
従来のこのような商品では、事前の操作パネルの仕様を策定し、その仕様に応じてコンテンツを配信していたが、上記実施の形態では、あらゆるコンテンツ制作の可能性が拡がることになる。
【０３９５】
以上により、本実施の形態によれば、コンテンツを制御するのに適した操作パネル画像を使用してコンテンツを制御することができる。その結果、コンテンツの種類に応じた自由度の高い操作系を得ることができるという効果を奏する。
【０３９６】
また、本実施の形態によれば、コンテンツの製作者（クリエータ）がユーザの操作パネルまでも提供することが可能であり、クリエータにとって自由なコンテンツ配信の提供が可能になる。
【０３９７】
＜第２の実施の形態＞
第１の実施の形態では、サービスサーバ８００Ａが操作パネル画像を生成するための全てのデータを、映像表示装置６００へ送信していた。そのため、サービスサーバ８００Ａは、多くの操作パネル画像を生成するためのデータを記憶しておく必要があった。本実施の形態では、サービスサーバ８００Ａが、操作パネル画像を使用して操作するのに必要な操作メタデータのみを、映像表示装置６００へ送信する処理について説明する。
【０３９８】
本実施の形態では、映像表示装置６００の記憶部６２０には、操作パネル画像を生成するのに必要な、複数種類の操作パネル生成パーツデータが記憶されている。操作パネル生成パーツデータは、たとえば、図１７の操作パネル画像ＰＧ１００、図２３の操作パネル画像ＰＧ２００、図２７の操作パネル画像ＰＧ３００および図２９の操作パネル画像ＰＧ４００の各々に含まれるボタン画像データである。このボタン画像データは、テンプレートデータとして、記憶部６２０に記憶される。
【０３９９】
なお、ボタン画像データには、名称が設定されている。たとえば、操作パネル画像ＰＧ１００内の再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のデータには、それぞれ、「再生」、「一時停止」、「停止」、「巻き戻し」、「早送り」および「録画」という名称が設定されている。
【０４００】
本実施の形態におけるネットワークシステムは、第１の実施の形態におけるネットワークシステム１０００と同様なので詳細な説明は繰り返さない。通信端末装置５００、映像表示装置６００、サービスサーバ８００Ａ、検索サーバ８００ＳおよびＷｅｂサーバ８００Ｗの各々の構成は、第１の実施の形態において、説明した構成と同様なので詳細な説明は繰り返さない。
【０４０１】
次に、本実施の形態において、映像表示装置６００が、サービスサーバ８００Ａからコンテンツを受信するための処理（以下、コンテンツ取扱い処理Ａともいう）について説明する。なお、通信端末装置５００の表示部５３０には、図９のリモコン画像ＭＧ１００が表示されているとする。この場合、通信端末装置５００は、リモコンモードに設定されているとする。
【０４０２】
図３１は、コンテンツ取扱い処理Ａのフローチャートである。図３１では、通信端末装置５００、映像表示装置６００、サービスサーバ８００Ａの各々において行なわれる処理を示す。
【０４０３】
通信端末装置５００では、まず、ステップＳ３１０の処理が行なわれる。
ステップＳ３１０では、ステップＳ１１０と同様な処理が行なわれるので詳細な説明は繰り返さない。ステップＳ３１０において、ＹＥＳならば、ステップＳ３１１に進む。一方、ステップＳ３１０において、ＮＯならば、再度、ステップＳ３１０の処理が行なわれる。ここでは、リスト取得操作があったとして、ステップＳ３１１に進む。
【０４０４】
ステップＳ３１１では、ステップＳ１１１と同様にリスト取得処理が行なわれるので詳細な説明は繰り返さない。
【０４０５】
映像表示装置６００では、まず、ステップＳ３２０の処理が行なわれる。ステップＳ３２０では、制御部６１０が、リスト取得要求としてのリスト取得リモコン信号を受信したか否かを判定する。ステップＳ３２０において、ＹＥＳならば、ステップＳ３２１に進む。一方、ステップＳ３２０において、ＮＯならば、再度、ステップＳ３２０の処理が行なわれる。
【０４０６】
ステップＳ３２１では、ステップＳ１２１と同様にリスト取得処理Ａが行なわれるので詳細な説明は繰り返さない。この処理により、リスト取得要求Ａが、サービスサーバ８００Ａへ送信される。
【０４０７】
サービスサーバ８００Ａでは、まず、ステップＳ３４０の処理が行なわれる。
ステップＳ３４０では、制御部８１０が、リスト取得要求Ａを受信したか否かを判定する。ステップＳ３４０において、ＹＥＳならば、ステップＳ３４１に進む。一方、ステップＳ３４０において、ＮＯならば、再度、ステップＳ３４０の処理が行なわれる。
【０４０８】
ステップＳ３４１では、制御部８１０が、リスト取得要求Ａを送信した装置に対し、配信可能なコンテンツのリストのデータである、図１１のリストデータＤ１００を送信する。その後，ステップＳ３４１の処理は終了する。
【０４０９】
映像表示装置６００では、ステップＳ３２１のリスト取得処理Ａにおいて、制御部６１０が、リストデータＤ１００を受信する。制御部６１０は、リストデータＤ１００を受信すると、記憶部６２０にリストデータＤ１００を記憶させる。そして、制御部６１０が、リストデータＤ１００に基づいて、ＶＤＰ６３２を利用して、図１２のリスト画像ＴＧ２００を生成し、生成したリスト画像ＴＧ２００を表示部６３０に表示させる。
【０４１０】
ステップＳ３２１のリスト取得処理Ａでは、さらに、制御部６１０が、通信部６６０を利用して、受信したリストデータＤ１００を、通信端末装置５００へ送信（転送）する。その後、ステップＳ３２１の処理は終了する。
【０４１１】
通信端末装置５００において、ステップＳ３１１のリスト取得処理では、さらに、制御部５１０が、リストデータＤ１００を受信する。制御部５１０は、リストデータＤ１００を受信すると、記憶部５２０にリストデータＤ１００を記憶させる。そして、制御部５１０が、リストデータＤ１００に基づいて、ＶＤＰ６３２を利用して、図１３のリスト画像ＭＧ２００を生成し、生成したリスト画像ＭＧ２００を表示部６３０に表示させる。そして、ステップＳ３１１の処理は終了し、ステップＳ３１２に進む。
【０４１２】
ステップＳ３１２では、ステップＳ１１２と同様な処理が行なわれるので詳細な説明は繰り返さない。ステップＳ３１２において、ＹＥＳならば、ステップＳ３１３に進む。一方、ステップＳ３１２において、ＮＯならば、再度、ステップＳ３１２の処理が行なわれる。ここでは、インターフェース操作Ｍにより、「Ｂ映画」というタイトルを表示するボタン画像ＭＢＧ２１１を押下処理するコンテンツ取得操作があったとして、ステップＳ３１３に進む。
【０４１３】
ステップＳ３１３では、ステップＳ１１３と同様な処理が行なわれるので詳細な説明は繰り返さない。この処理により、コンテンツ取得要求としてのコンテンツ取得リモコン信号が、映像表示装置６００へ送信される。そして、このステップＳ１１３の処理は終了する。
【０４１４】
映像表示装置６００では、ステップＳ３２１の処理が終了すると、ステップＳ３２２に進む。
【０４１５】
ステップＳ３２２では、ステップＳ１２２と同様な処理が行なわれるので詳細な説明は繰り返さない。ステップＳ３２２において、ＹＥＳならば、ステップＳ３２３に進む。一方、ステップＳ３２２において、ＮＯならば、再度、ステップＳ３２２の処理が行なわれる。
【０４１６】
ステップＳ３２３では、ステップＳ１２３と同様な処理が行なわれるので詳細な説明は繰り返さない。この処理により、制御部６１０が、受信したコンテンツ取得リモコン信号が特定するコンテンツを取得するためのコンテンツ取得要求Ａを、サービスサーバ８００Ａへ送信する。その後、ステップＳ３２３の処理は終了する。コンテンツ取得要求Ａには、取得要求コンテンツを特定するためのＩＤ番号が含まれる。ここでは、コンテンツ取得要求Ａには、タイトルが「Ｂ映画」の取得要求コンテンツを特定するためのＩＤ番号「１２３４」が含まれているとする。
【０４１７】
サービスサーバ８００Ａでは、ステップＳ３４１の処理が終了すると、ステップＳ３４２に進む。
【０４１８】
ステップＳ３４２では、制御部８１０が、コンテンツ取得要求Ａを受信したか否かを判定する。ステップＳ３４２において、ＹＥＳならば、ステップＳ３４３に進む。一方、ステップＳ３４２において、ＮＯならば、再度、ステップＳ３４２の処理が行なわれる。
【０４１９】
ステップＳ３４３では、制御部８１０が、コンテンツの再生に必要なコンテンツ再生必要データを、映像表示装置６００へ送信する。その後、ステップＳ３４３の処理は終了する。コンテンツ再生必要データには、ＣＭテーブルデータＤ２２０、および、以下に説明するコンテンツ基礎データＤ２６０およびタイムテーブルデータＤ２７０が含まれる。
【０４２０】
コンテンツ取得要求Ａに含まれるコンテンツを特定するためのＩＤ番号に対応するコンテンツ基礎データは、予めサービスサーバ８００Ａの記憶部８２０に記憶されている。したがって、コンテンツ基礎データＤ２６０も、予めサービスサーバ８００Ａの記憶部８２０に記憶されている。
【０４２１】
図３２は、一例としてのコンテンツ基礎データＤ２６０を示す図である。図３２を参照して、コンテンツ基礎データＤ２６０は、図１４のコンテンツ基礎データＤ２００と比較して、「操作パネル」が「可変」であるか否かの情報がない点と、「操作パネルｘｘＵＲＬ」の代わりに「操作メタデータｘｘＵＲＬ」の項目がある点とが異なる。それ以外は、コンテンツ基礎データＤ２００と同様なので詳細な説明は繰り返さない。
【０４２２】
コンテンツ基礎データＤ２６０において、「タイムテーブルＵＲＬ」とは、取得要求コンテンツを再生するために必要な、以下のタイムテーブルデータＤ２７０のＵＲＬである。タイムテーブルデータＤ２７０は、記憶部８２０に記憶されている。
【０４２３】
「操作メタデータｘｘＵＲＬ」とは、操作メタデータのＵＲＬである。本実施の形態では、取得要求コンテンツの再生期間において、一例として、３つの操作メタデータが使用される。
【０４２４】
図３３は、一例としてのタイムテーブルデータＤ２７０を示す図である。図３３を参照して、タイムテーブルデータＤ２７０は、図１５のタイムテーブルデータＤ２１０と比較して、「期間番号」に対応して使用される操作パネルの代わりに、「期間番号」に対応して使用される操作メタデータが記述される点が異なる。それ以外は、タイムテーブルデータＤ２１０と同様なので詳細な説明は繰り返さない。
【０４２５】
たとえば、タイムテーブルデータＤ２７０は、「期間番号」が“１”〜“４”の期間では、ファイル名が「ｃｏｎｔ１２３４ａａ．ｍｅｔａ」である操作メタデータが使用されることを示す。
【０４２６】
再び、図３１を参照して、映像表示装置６００では、ステップＳ３２３の処理が終了すると、ステップＳ３２４に進む。
【０４２７】
ステップＳ３２４では、制御部６１０が、コンテンツ再生必要データを受信し、受信したコンテンツ再生必要データを、記憶部６２０に記憶させる。その後、ステップＳ３２５に進む。
【０４２８】
ステップＳ３２５では、ステップＳ１２５と同様な処理が行なわれるので詳細な説明は繰り返さない。この処理により、制御部６１０は、タイムテーブルデータＤ２７０の期間番号ｎ（自然数）に対応する期間番号ｎデータを、サービスサーバ８００Ａから受信するための処理を行なう。なお、ｎの初期値は“１”である。具体的には、期間番号ｎデータを取得するための期間番号ｎデータ取得要求が、サービスサーバ８００Ａへ送信される。その後、ステップＳ３２５の処理は終了する。なお、ｎが“１”の場合、期間番号ｎデータは、期間番号１データともいう。また、ｎが“１”の場合、期間番号１データは、ファイル名が「１２３４−１．ｍｐｇ」である動画像データを含むデータである。
【０４２９】
サービスサーバ８００Ａでは、ステップＳ３４３の処理が終了すると、ステップＳ３４４に進む。
【０４３０】
ステップＳ３４４では、ステップＳ１４４と同様な処理が行なわれるので詳細な説明は繰り返さない。ステップＳ３４４において、ＹＥＳならば、ステップＳ３４４Ａに進む。一方、ステップＳ３４４において、ＮＯならば、再度、ステップＳ３４４の処理が行なわれる。
【０４３１】
ステップＳ３４４Ａでは、制御部８１０が、期間番号ｎデータ取得要求により要求された期間番号ｎデータを、映像表示装置６００へ送信する。前述したように、ｎが“１”の場合、期間番号ｎデータ（期間番号１データ）は、ファイル名が「１２３４−１．ｍｐｇ」である動画像データを含むデータである。なお、期間番号ｎデータに含まれる動画像データはデータ容量が大きい。そのため、制御部８１０は、当該動画像データを、映像表示装置６００へストリーミング配信する。なお、要求された動画像データのストリーミング配信が終了すると、ステップＳ３４４Ａの処理は終了し、再度、ステップＳ３４４の処理が行なわれる。
【０４３２】
映像表示装置６００では、ステップＳ３２５の処理が終了すると、ステップＳ３２５Ａに進む。
【０４３３】
ステップＳ３２５Ａでは、制御部６１０が、期間番号ｎデータを受信する。これにより、ストリーミング配信される、期間番号ｎデータに含まれる動画像データは、制御部６１０により、順次受信される。すなわち、ステップＳ３２５Ａの処理が終了しても、動画像データは、制御部６１０により、受信され続ける。なお、コンテンツとしての動画像データには、コンテンツ（動画像データ）の再生制御等の処理を行なうための操作メタデータが含まれる。なお、コンテンツとしての動画像データには、操作メタデータが含まれず、付加されていてもよい。ここでは、操作メタデータは、ｎが“１”の場合、ファイル名が「ｃｏｎｔ１２３４ａａ．ｍｅｔａ」である、以下の操作メタデータＤ４００であるとする。
【０４３４】
図３４は、一例としての操作メタデータＤ４００を示す図である。図３４を参照して、操作メタデータＤ４００は、図１８の操作メタデータＤ３００と比較して、「ボタン画像名」の項目がない点が異なる。それ以外は、操作メタデータＤ３００と同様なので詳細な説明は繰り返さない。
【０４３５】
再び、図３１を参照して、制御部６１０は、受信した操作メタデータを、一時記憶部６２２に記憶させる。その後、ステップＳ３２５Ｂに進む。
【０４３６】
ステップＳ３２５Ｂでは、制御部６１０が、受信した期間番号ｎデータに含まれる操作パネルデータに適した操作パネル画像を生成するための操作パネル生成データを生成する。なお、制御部６１０は、操作パネル生成データを生成する前に、事前に、通信端末装置５００と通信し、通信端末装置５００のインターフェース情報を取得しておく。
【０４３７】
図３５は、通信端末装置５００の一例としてのインターフェース情報を示す図である。図３５を参照して、「ハードボタン名」の列には、通信端末装置５００に設けられているボタンの名称が示される。「ハードボタン名」の列の「ＵＰ」、「ＤＯＷＮ」、「ＬＥＦＴ」、「ＲＩＧＨＴ」、「ＥＮＴＥＲ」は、それぞれ、方向ボタン５４１Ａ，５４１Ｂ，５４１Ｃ，５４１Ｄ、決定ボタン５４１Ｅの名称である。「ハードボタン名」の列の「番号１」、「番号２」、「番号３」および「番号４」は、それぞれ、機能ボタン５４２Ａ，５４２Ｂ，５４３Ａ，５４３Ｂの名称である。
【０４３８】
「画面サイズ」とは、表示部５３０の解像度である。「タッチパネル」の列の「あり」とは、通信端末装置５００の表示部５３０がタッチパネル機能を有していることを示す。「タッチパネル認識間隔」とは、タッチした位置を検知する間隔で、ここでは、一例として、１０ドットとなっている。
【０４３９】
制御部６１０は、通信端末装置５００のインターフェース情報、操作メタデータ内の、コンテンツ種類、ジャンル、リンク文字列および制御の少なくとも１つの情報に基づいて、操作パネル画像を生成するための操作パネル生成データを生成する。
【０４４０】
まず、制御部６１０は、通信端末装置５００のインターフェース情報に含まれる画面サイズの情報を参照して、操作パネル画像のサイズを決める。この場合、操作パネル画像のサイズは、画面サイズよりも小さいものとなる。そして、受信した操作メタデータが、たとえば、操作メタデータＤ４００である場合、制御部６１０は、操作メタデータＤ４００内の、「制御」の列の各制御に対応する操作パネル生成パーツデータ（ボタン画像データ）を記憶部６２０から読出し、操作パネル画像内にボタン画像を配置することにより、操作パネル画像を生成する。
【０４４１】
たとえば、「制御」が「再生」である場合、「再生」という名称である図１７の再生ボタン画像ＰＢＧ１１０のデータを、記憶部６２０から読出し、操作パネル画像内にボタン画像を配置する。他の制御に対しても同様に対応するボタン画像データを読出し、操作パネル画像内にボタン画像を配置する。以上により、操作メタデータＤ４００に基づいて生成された操作パネル画像は、たとえば、図１７の操作パネル画像ＰＧ１００のようになる。これにより、当該操作パネル画像を生成するための操作パネル生成データが生成される。操作パネル生成データは、ＨＴＭＬ形式のデータである。なお、操作パネル生成データは、ＨＴＭＬ形式のデータに限定されることなく、他の形式のデータであってもよい。
【０４４２】
そして、制御部６１０は、各制御に割り当てたボタン画像の名称を、各制御に対応づけて操作メタデータに追記する処理を行なう。操作メタデータが操作メタデータＤ４００の場合、ボタン画像の名称が追記された操作メタデータは、以下の操作メタデータＤ４００Ａとなる。
【０４４３】
図３６は、一例としての操作メタデータＤ４００Ａを示す図である。図３６を参照して、操作メタデータＤ４００Ａは、図１８の操作メタデータＤ３００と同じであるので詳細な説明は繰り返さない。
【０４４４】
また、制御部６１０は、通信端末装置５００のインターフェース情報を参照して、タッチパネル機能がないことを認識した場合、各ハードボタンに、操作メタデータ内の各制御を割り当てた操作パネル生成データを生成する。なお、タッチパネル機能がある場合でも、制御部６１０は、ハードボタンに、操作メタデータ内の各制御を割り当てた操作パネル生成データを生成してもよい。
【０４４５】
そして、制御部６１０は、生成した操作パネル生成データと、生成した操作パネル画像に必要な操作パネル生成パーツデータ（ボタン画像データ）とを含む操作パネルデータを生成する。そして、制御部６１０は、生成した操作パネルデータを通信端末装置５００へ送信する。
【０４４６】
なお、制御部６１０は、既に受信した操作メタデータと同じ操作メタデータを受信した場合は、上記の操作パネルデータを生成する処理および生成した操作パネルデータを通信端末装置５００へ送信する処理は行なわない。その後、このステップＳ３２５Ｂの処理は終了する。
【０４４７】
通信端末装置５００では、ステップＳ３１３の処理の後、ステップＳ３１４に進む。
ステップＳ３１４では、制御部５１０が、１つ目の操作パネルデータまたは既に受信した操作パネルデータとは異なる操作パネルデータを受信したか否かを判定する。ステップＳ３１４において、ＹＥＳならば、ステップＳ３１５に進む。一方、ステップＳ３１４において、ＮＯならば、再度、ステップＳ３１４の処理が行なわれる。初めて、ステップＳ３１４の処理が行なわれる場合は、１つ目の操作パネルデータを受信したとして、ステップＳ３１５に進む。ここでは、操作パネル生成データおよび操作パネル生成パーツデータを含む操作パネルデータを受信したとして、ステップＳ３１５に進む。
【０４４８】
ステップＳ３１５では、操作パネル画像表示処理が行なわれる。操作パネル画像表示処理では、制御部５１０が、ＶＤＰ５３２を利用して、操作パネル生成パーツデータを使用して、ＨＴＭＬデータである操作パネル生成データに基づいて、操作パネル画像を生成し、生成した操作パネル画像を表示部５３０に表示させる。その後、ステップＳ３１５の処理は終了する。なお、生成された操作パネル画像は、一例として、図１７の操作パネル画像ＰＧ１００である。
【０４４９】
なお、操作パネル画像が、表示部５３０の表示可能な画像サイズより小さく、かつ、表示部５３０に他のプログラムの実行により生成された実行プログラム画像が表示されている場合、実行プログラム画像の前面に操作パネル画像が表示された合成画像が、表示部５３０に表示されてもよい。合成画像は、たとえば、図１９の合成画像ＭＧ３００のようになる。なお、表示部５３０には、生成された操作パネル画像のみが表示されてもよい。
【０４５０】
ステップＳ３１５の処理が終了すると、ステップＳ３１６に進む。
ステップＳ３１６では、制御部５１０が、後述する操作判定処理Ａを実行する。操作判定処理Ａは、他の処理とは独立して行なわれる処理である。なお、既に操作判定処理Ａが実行されている場合、制御部５１０は、実行中の操作判定処理Ａを終了させ、新たな操作判定処理Ａを実行する。ステップＳ３１６の処理が終了すると、再度、ステップＳ３１４の処理が行なわれる。
【０４５１】
映像表示装置６００では、ステップＳ３２５Ｂの処理が終了すると、ステップＳ３２６に進む。
【０４５２】
ステップＳ１２６では、コンテンツ処理Ａが行なわれる。
図３７は、操作判定処理Ａおよびコンテンツ処理Ａのフローチャートである。図３７を参照して、コンテンツ処理Ａでは、まず、ステップＳ４２０の処理が行なわれる。
【０４５３】
ステップＳ４２０では、制御部６１０が、コンテンツ表示処理を実行する。コンテンツ表示処理は、コンテンツ処理Ａおよび他の処理とは独立して行なわれる処理である。その後、ステップＳ４２０の処理は終了する。
【０４５４】
コンテンツ表示処理では、制御部６１０が、ＶＤＰ６３２を利用して、期間番号ｎデータに含まれる動画像データをサービスサーバ８００Ａから受信しながら、動画像データに基づく画像を、表示部６３０に表示するストリーミング再生表示処理が行なわれる。なお、期間番号ｎデータ（たとえば、期間番号１データ）に含まれる動画像データの受信が完了し、動画像データに基づく画像の再生が終了した場合、このコンテンツ表示処理は終了する。
【０４５５】
操作判定処理Ａでは、まず、ステップＳ４１０の処理が行なわれる。
ステップＳ４１０では、制御部５１０が、表示制御操作があるか否かを判定する。表示制御操作とは、表示部５３０に表示されている操作パネル画像内のボタン画像を押下処理するためのインターフェース操作Ｍである。ステップＳ４１０において、ＹＥＳならば、ステップＳ４１２に進む。一方、ステップＳ４１０において、ＮＯならば、再度、ステップＳ４１０の処理が行なわれる。
【０４５６】
たとえば、表示部５３０に表示されている操作パネル画像が、図１７の操作パネル画像ＰＧ１００である場合、表示制御操作は、たとえば、停止ボタン画像ＰＢＧ１２０を押下処理するためのインターフェース操作Ｍである。
【０４５７】
ステップＳ４１２では、制御部５１０が、通信部５６０を利用して、制御リモコン信号を、映像表示装置６００へ送信する。たとえば、表示制御操作が、停止ボタン画像ＰＢＧ１２０を押下処理するためのインターフェース操作Ｍであった場合、制御リモコン信号は、操作パネル画像ＰＧ１００内において、停止ボタン画像ＰＢＧ１２０の名称である「停止」の情報を含んだリモコン信号となる。ステップＳ４１２の処理が終了すると、再度、ステップＳ４１０の処理が行なわれる。
【０４５８】
コンテンツ処理Ａでは、ステップＳ４２０の処理が終了すると、ステップＳ４２２の処理に進む。
【０４５９】
ステップＳ４２２では、制御部６１０が、１つ目の操作メタデータまたは既に受信した操作メタデータとは異なる操作メタデータを受信したか否かを判定する。すなわち、制御部６１０が、ステップＳ３２５Ａの処理において受信した期間番号ｎデータに操作メタデータが含まれ、当該操作メタデータが、１つ目の操作メタデータまたは既に受信した操作メタデータとは異なる操作メタデータであるか否かを判定する。ステップＳ４２２において、ＹＥＳならば、ステップＳ４２４に進む。一方、ステップＳ４２２において、ＮＯならば、ステップＳ４２６に進む。初めて、ステップＳ４２２の処理が行なわれる場合は、１つ目の操作メタデータを受信したとして、ステップＳ４２４に進む。
【０４６０】
ステップＳ４２４では、制御部６１０が、通信端末装置５００から送信された制御リモコン信号に対応するための制御信号対応処理Ａを実行する。制御信号対応処理Ａは、他の処理とは独立して行なわれる処理である。なお、既に制御信号対応処理Ａが実行されている場合、制御部６１０は、実行中の制御信号対応処理Ａを終了させ、新たな制御信号対応処理Ａを実行する。ステップＳ４２４の処理が終了すると、ステップＳ４２６に進む。
【０４６１】
制御信号対応処理Ａでは、まず、ステップＳ４３０の処理が行なわれる。
ステップＳ４３０では、制御部６１０が、制御リモコン信号を受信したか否かを判定する。ステップＳ４３０において、ＹＥＳならば、ステップＳ４３２の処理に進む。一方、ステップＳ４３０において、ＮＯならば、再度、ステップＳ４３０の処理が行なわれる。ここでは、一例として、停止ボタン画像ＰＢＧ１２０の名称である「停止」の情報を含んだ制御リモコン信号を受信したとする。
【０４６２】
ステップＳ４３２では、ステップＳ２３２と同様に制御リモコン信号対応処理が行なわれる。制御リモコン信号対応処理では、受信した制御リモコン信号に応じた処理が行なわれる。たとえば、表示部６３０に動画像が表示されているときに、停止ボタン画像ＰＢＧ１２０の名称である「停止」の情報を含んだ制御リモコン信号を受信した場合、制御部６１０は、図３６の操作メタデータＤ４００Ａを参照し、ボタン画像名が「停止」に対応する制御を行なう。すなわち、制御部６１０は、表示部６３０に表示されている動画像の再生を停止させ、表示部６３０に表示されている動画像を消去させる。その後、ステップＳ４３２の処理は終了し、再度、ステップＳ４３０の処理が行なわれる。
【０４６３】
コンテンツ処理Ａでは、ステップＳ４２４の処理が終了すると、ステップＳ４２６の処理に進む。
【０４６４】
ステップＳ４２６では、制御部６１０が、コンテンツ表示処理において、期間番号ｎデータ（たとえば、期間番号１データ）に含まれる動画像データの受信が完了したか否かを判定する。ステップＳ４２６において、ＹＥＳならば、このコンテンツ処理は終了し、図３１の映像表示装置６００の処理に戻り、ステップＳ３２６の次のステップＳ３２７に進む。一方、ステップＳ４２６において、ＮＯならば、再度、ステップＳ４２６の処理が行なわれる。なお、ステップＳ４２６の処理は終了しても、受信が完了した動画像データに基づく画像の再生が終了するまで、コンテンツ表示処理は行なわれ続ける。なお、前述したように、コンテンツ表示処理において、期間番号ｎデータ（期間番号１データ）に含まれる動画像データの受信が完了し、動画像データに基づく画像の再生が終了した場合に、コンテンツ表示処理は終了する。
【０４６５】
再び，図３１を参照して、ステップＳ３２６の処理が終了すると、ステップＳ３２７に進む。
【０４６６】
ステップＳ３２７では、制御部６１０が、図３３のタイムテーブルデータＤ２７０に記述されている全ての期間番号に対応する、全てのコンテンツとしての動画像データの受信が完了し、受信した全てのコンテンツとしての動画像データの再生が終了したか否かを判定する。ステップＳ３２７において、ＹＥＳならば、再度、ステップＳ３２２の処理が行なわれる。一方、ステップＳ３２７において、ＮＯならば、ステップＳ３２７Ａに進む。
【０４６７】
ステップＳ３２７Ａでは、制御部６１０が、ｎの値を１インクリメントする。その後、再度、ステップＳ３２５の処理が行なわれる。ここでは、ステップＳ３２７Ａの処理の後、ｎの値が“２”となったとして、ステップＳ３２５で行なわれる処理を説明する。
【０４６８】
ステップＳ３２５では、ｎが“２”であるので、制御部６１０は、タイムテーブルデータＤ２７０の期間番号“２”に対応する期間番号ｎデータ（期間番号２データ）を、サービスサーバ８００Ａから受信するための処理を行なう。より具体的には、制御部６１０は、期間番号２データを取得するための期間番号ｎデータ取得要求を、サービスサーバ８００Ａへ送信する。その後、ステップＳ３２５の処理は終了する。なお、ｎが“２”の場合、期間番号２データは、図１６のＣＭテーブルデータＤ２２０により特定される、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。
【０４６９】
サービスサーバ８００Ａでは、ステップＳ３４４Ａの終了後、ステップＳ３４４の処理が行なわれる。
【０４７０】
ステップＳ３４４では、前述した処理が行なわれる。ここでは、期間番号ｎデータ取得要求を受信したとして、ステップＳ３４４Ａに進む。
【０４７１】
ステップＳ３４４Ａでは、制御部８１０が、期間番号ｎデータ取得要求により要求された期間番号ｎデータを、映像表示装置６００へ送信する。前述したように、ｎが“２”の場合、期間番号２データは、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。なお、期間番号２データに含まれる動画像データはデータ容量が大きい。そのため、制御部８１０は、当該動画像データを、映像表示装置６００へストリーミング配信する。なお、コンテンツとしての動画像データには、前述した操作メタデータが含まれる。ｎが“２”の場合、操作メタデータは、図３３のタイムテーブルデータＤ２７０より、操作メタデータＤ４００であるとする。なお、要求された動画像データのストリーミング配信が終了すると、ステップＳ３４４Ａの処理は終了し、再度、ステップＳ３４４の処理が行なわれる。
【０４７２】
映像表示装置６００では、ステップＳ３２５の処理が終了すると、ステップＳ３２５Ａに進む。
【０４７３】
ステップＳ３２５Ａでは、ｎが“２”の場合、制御部６１０が、期間番号２データを受信する。期間番号２データに含まれる動画像データには、ファイル名が「ｃｏｎｔ１２３４ａａ．ｍｅｔａ」である、操作メタデータＤ４００が含まれる。なお、コンテンツとしての動画像データには、操作メタデータが含まれず、付加されていてもよい。なお、ストリーミング配信される、期間番号２データに含まれる動画像データは、ステップＳ３２５Ａの処理が終了しても、動画像データは、制御部６１０により、受信され続ける。その後、ステップＳ３２５Ｂに進む。
【０４７４】
ステップＳ３２５Ｂでは、既に受信した操作メタデータ（操作メタデータＤ４００）と同じ操作メタデータ（操作メタデータＤ４００）を受信したので、制御部６１０は、操作パネルデータを生成する処理および生成した操作パネルデータを通信端末装置５００へ送信する処理は行なわない。その後、このステップＳ３２５Ｂの処理は終了し、ステップＳ３２６に進む。
【０４７５】
ステップＳ３２６では、前述した図３７のコンテンツ処理Ａが行なわれる。
コンテンツ処理Ａでは、まず、ステップＳ４２０において、制御部６１０が、コンテンツ表示処理を実行する。コンテンツ表示処理は、前述したように、コンテンツ処理および他の処理とは独立して行なわれる処理である。その後、ステップＳ４２０の処理は終了する。
【０４７６】
ｎが“２”の場合、コンテンツ表示処理では、制御部６１０が、ＶＤＰ６３２を利用して、期間番号２データに含まれる動画像データをサービスサーバ８００Ａから受信しながら、動画像データに基づく画像を、表示部６３０に表示するストリーミング再生表示処理が行なわれる。なお、期間番号２データに含まれる動画像データの受信が完了し、動画像データに基づく画像の再生が終了した場合、このコンテンツ表示処理は終了する。
【０４７７】
ステップＳ４２２では、前述した処理が行なわれる。ｎが“２”の場合、ステップＳ３２５Ａの処理において既に受信した操作メタデータと同じ操作メタデータを受信したことになるので、ステップＳ４２６に進む。
【０４７８】
ステップＳ４２６では、制御部６１０が、コンテンツ表示処理において、期間番号２データに含まれる動画像データの受信が完了したか否かを判定する。なお、前述したように、ステップＳ４２６の処理は終了しても、受信が完了した動画像データに基づく画像の再生が終了するまで、コンテンツ表示処理は行なわれ続ける。また、前述したように、コンテンツ表示処理において、ｎが“２”の場合、期間番号２データに含まれる動画像データの受信が完了し、動画像データに基づく画像の再生が終了した場合に、コンテンツ表示処理は終了する。ここでは、期間番号２データに含まれる動画像データの受信が完了したとして、図３１の映像表示装置６００の処理に戻り、ステップＳ３２６の次のステップＳ３２７に進む。
【０４７９】
以上説明したステップＳ３２５，Ｓ３２５Ａ，Ｓ３２５Ｂ，Ｓ３２６の処理が、ステップＳ３２７において、ＹＥＳと判定されるまで繰り返されることで、表示部６３０には、コンテンツ取得操作があった取得要求コンテンツとしての動画像が再生表示される。
【０４８０】
次に、映像表示装置６００が、既に受信した操作メタデータとは異なる操作メタデータを、サービスサーバ８００Ａから受信する場合の処理について説明する。
【０４８１】
まず、映像表示装置６００において、ステップＳ３２５の処理が行なわれる。
ステップＳ３２５では、図３３のタイムテーブルデータＤ２７０の期間番号“５”に対応する期間番号ｎデータ（期間番号５データ）を、サービスサーバ８００Ａから受信するための処理を行なう。より具体的には、制御部６１０は、期間番号５データを取得するための期間番号ｎデータ取得要求を、サービスサーバ８００Ａへ送信する。その後、ステップＳ３２５の処理は終了する。
【０４８２】
ｎが“５”の場合、期間番号５データは、図１６のＣＭテーブルデータＤ２２０により特定される、「ＣＭ番号」が“５５５５”に対応する、ファイル名が「ＣＭ５５５５．ｍｐｇ」である動画像データ含むデータである。
【０４８３】
サービスサーバ８００Ａでは、ステップＳ３４４Ａの終了後、ステップＳ３４４の処理が行なわれる。
【０４８４】
ステップＳ３４４では、前述した処理が行なわれる。ここでは、期間番号ｎデータ取得要求を受信したとして、ステップＳ３４４Ａに進む。
【０４８５】
ステップＳ３４４Ａでは、制御部８１０が、期間番号ｎデータ取得要求により要求された期間番号ｎデータを、映像表示装置６００へ送信する。前述したように、ｎが“５”の場合、期間番号５データは、「ＣＭ番号」が“５５５５”に対応する、ファイル名が「ＣＭ５５５５．ｍｐｇ」である動画像データを含むデータである。
【０４８６】
ファイル名が「ＣＭ５５５５．ｍｐｇ」である動画像データには、ファイル名が「ｃｏｎｔ１２３４ｂｂ．ｍｅｔａ」である、以下の操作メタデータＤ４１０が含まれる。なお、期間番号５データに含まれる動画像データはデータ容量が大きい。そのため、制御部８１０は、当該動画像データを、映像表示装置６００へストリーミング配信する。なお、要求された動画像データのストリーミング配信が終了すると、ステップＳ３４４Ａの処理は終了し、再度、ステップＳ３４４の処理が行なわれる。
【０４８７】
図３８は、一例としての操作メタデータＤ４１０を示す図である。図３８を参照して、操作メタデータＤ４１０は、図２２の操作メタデータＤ３００Ａと比較して、「ボタン画像名」の項目がない点が異なる。それ以外は、操作メタデータＤ３００と同様なので詳細な説明は繰り返さない。
【０４８８】
再び、図３１を参照して、映像表示装置６００では、ステップＳ３２５の処理が終了すると、ステップＳ３２５Ａに進む。
【０４８９】
ステップＳ３２５Ａでは、ｎが“５”の場合、制御部６１０が、期間番号５データを受信する。これにより、制御部６１０は、期間番号５データに含まれる動画像データを受信する。期間番号５データに含まれる動画像データには、操作メタデータＤ４１０が含まれる。なお、コンテンツとしての動画像データには、操作メタデータＤ４１０が含まれず、付加されていてもよい。なお、ストリーミング配信される、期間番号５データに含まれる動画像データは、ステップＳ３２５Ａの処理が終了しても、動画像データは、制御部６１０により、受信され続ける。
【０４９０】
期間番号５データに含まれる動画像データには、前述の操作メタデータＤ４１０が含まれる。制御部６１０は、受信した操作メタデータＤ４１０を、一時記憶部６２２に記憶させる。その後、ステップＳ３２５Ｂに進む。
【０４９１】
ステップＳ３２５Ｂでは、前述したのと同様な処理が行なわれるので詳細な説明は繰り返さない。受信した操作メタデータが、操作メタデータＤ４１０である場合、制御部６１０は、操作メタデータＤ４１０内の、「制御」の列の「再生」に対応する操作パネル生成パーツデータ（ボタン画像データ）を記憶部６２０から読出し、操作パネル画像内にボタン画像を配置することにより、操作パネル画像を生成する。また、制御部６１０は、操作パネル画像内に、操作メタデータＤ４１０内の、「映画予告」というハイパーリンク文字列を配置することにより、操作パネル画像を生成する。以上により、操作メタデータ４１０に基づいて生成された操作パネル画像は、たとえば、図２１の操作パネル画像ＰＧ１００Ａのようになる。これにより、当該操作パネル画像を生成するための操作パネル生成データＡが生成される。
【０４９２】
そして、制御部６１０は、各制御に割り当てたボタン画像の名称を、各制御に対応づけて操作メタデータに追記する処理を行なう。操作メタデータが操作メタデータＤ４１０の場合、ボタン画像の名称が追記された操作メタデータは、以下の操作メタデータＤ４１０Ａとなる。
【０４９３】
図３９は、一例としての操作メタデータＤ４１０Ａを示す図である。図３９を参照して、操作メタデータＤ４１０Ａは、図２２の操作メタデータＤ３００Ａと同じであるので詳細な説明は繰り返さない。
【０４９４】
再び、図３１を参照して、制御部６１０は、生成した操作パネル生成データＡと、生成した操作パネル画像に必要な操作パネル生成パーツデータＡ（ボタン画像データ）とを含む操作パネルデータＡを生成する。そして、制御部６１０は、生成した操作パネルデータＡを通信端末装置５００へ送信する。その後、このステップＳ３２５Ｂの処理は終了する。
【０４９５】
通信端末装置５００では、ステップＳ３１４の処理において、制御部５１０が、１つ目の操作パネルデータまたは既に受信した操作パネルデータとは異なる操作パネルデータを受信したか否かを判定する。ここでは、既に受信した操作パネルデータとは異なる操作パネルデータＡを受信したとして、ステップＳ３１５に進む。なお受信した操作パネルデータＡには、操作パネル生成データＡおよび操作パネル生成パーツデータＡが含まれる。
【０４９６】
ステップＳ３１５では、前述したのと同様に操作パネル画像表示処理が行なわれる。操作パネル画像表示処理では、制御部５１０が、ＶＤＰ５３２を利用して、操作パネル生成パーツデータＡを使用して、ＨＴＭＬデータである操作パネル生成データＡに基づいて、操作パネル画像を生成し、生成した操作パネル画像を表示部５３０に表示させる。その後、ステップＳ３１５の処理は終了する。なお、生成された操作パネル画像は、一例として、図２１の操作パネル画像ＰＧ１００Ａである。
【０４９７】
ステップＳ３１５の処理が終了すると、ステップＳ３１６に進む。
ステップＳ３１６では、前述した処理が行なわれる。既に操作判定処理Ａが実行されているので、制御部５１０は、実行中の操作判定処理Ａを終了させ、新たな操作判定処理Ａを実行する。新たに実行される操作判定処理Ａは、他の処理とは独立して行なわれる処理である。ステップＳ３１６の処理が終了すると、再度、ステップＳ３１４の処理が行なわれる。
【０４９８】
映像表示装置６００では、ステップＳ３２５Ｂの処理が終了すると、ステップＳ３２６に進む。
【０４９９】
ステップＳ３２６では、前述した図３７のコンテンツ処理Ａが行なわれる。
コンテンツ処理Ａでは、まず、ステップＳ４２０において、制御部６１０が、コンテンツ表示処理を実行する。コンテンツ表示処理は、前述したように、コンテンツ処理Ａおよび他の処理とは独立して行なわれる処理である。その後、ステップＳ４２０の処理は終了する。
【０５００】
ｎが“５”の場合、コンテンツ表示処理では、制御部６１０が、ＶＤＰ６３２を利用して、期間番号５データに含まれる動画像データをサービスサーバ８００Ａから受信しながら、動画像データに基づく画像を、表示部６３０に表示するストリーミング再生表示処理が行なわれる。なお、期間番号５データに含まれる動画像データの受信が完了し、動画像データに基づく画像の再生が終了した場合、このコンテンツ表示処理は終了する。
【０５０１】
新たに実行された操作判定処理Ａでは、前述したステップＳ４１０の処理が行なわれるので詳細な説明は繰り返さない。
【０５０２】
ステップＳ４１０では、制御部５１０が、表示制御操作があるか否かを判定する。この場合、表示制御操作は、表示部５３０に表示されている操作パネル画像内のボタン画像およびハイパーリンク文字列を押下処理またはクリックするためのインターフェース操作Ｍであるとする。ステップＳ４１０において、ＹＥＳならば、ステップＳ４１２に進む。一方、ステップＳ４１０において、ＮＯならば、再度、ステップＳ４１０の処理が行なわれる。
【０５０３】
表示部５３０に表示されている操作パネル画像が、操作パネル画像ＰＧ１００Ａである場合、コンテンツとしての動画像の早送り再生、録画処理等をするための表示制御操作をすることはできない。
【０５０４】
したがって、ファイル名が「ＣＭ５５５５．ｍｐｇ」であるＣＭの動画像を、表示部６３０に表示している期間は、動画像の早送り再生はできない。その結果、表示部６３０を見ているユーザは、ＣＭの動画像を見ることになる。したがって、ＣＭの動画像を早送り再生により視聴されないことを防ぐことができる。すなわち、ＣＭ提供会社等が不利益を被ることを防ぐことができる。
【０５０５】
なお、ステップＳ４１０の処理が行なわれる際、操作パネル画像ＰＧ１００Ａ内のハイパーリンク文字列ＰＣＧ１８０がクリックされるインターフェース操作Ｍである表示制御操作があったとする。これにより、ステップＳ４１２に進む。
【０５０６】
ステップＳ４１２では、前述したのと同様な処理が行なわれるので詳細な説明は繰り返さない。この処理により、制御リモコン信号が、映像表示装置６００へ送信される。ここでは、表示制御操作が、操作パネル画像ＰＧ１００Ａ内のハイパーリンク文字列ＰＣＧ１８０がクリックされるインターフェース操作Ｍであるとする。この場合、制御リモコン信号は、操作パネル画像ＰＧ１００Ａ内において、ハイパーリンク文字列ＰＣＧ１８０の文字列である「映画予告」の情報を含んだリモコン信号となる。ステップＳ４１２の処理が終了すると、再度、ステップＳ４１０の処理が行なわれる。
【０５０７】
コンテンツ処理Ａでは、ステップＳ４２０の処理が終了すると、ステップＳ４２２の処理に進む。
【０５０８】
ステップＳ４２２では、前述した処理が行なわれる。ｎが“５”の場合、制御部６１０は、既に受信した操作メタデータとは異なる操作メタデータを受信したと判定して、ステップＳ４２４に進む。
【０５０９】
ステップＳ４２４では、前述した処理が行なわれる。既に制御信号対応処理Ａが実行されているので、制御部５１０は、実行中の制御信号対応処理Ａを終了させ、新たな制御信号対応処理Ａを実行する。新たに実行される制御信号対応処理Ａは、他の処理とは独立して行なわれる処理である。ステップＳ４２４の処理が終了すると、ステップＳ４２６に進む。
【０５１０】
新たに実行される制御信号対応処理Ａでは、まず、ステップＳ４３０の処理が行なわれる。
【０５１１】
ステップＳ４３０では、前述した処理が行なわれるので詳細な説明は繰り返さない。ステップＳ４３０において、ＹＥＳならば、ステップＳ４３２の処理に進む。一方、ステップＳ４３０において、ＮＯならば、再度、ステップＳ４３０の処理が行なわれる。ここでは、一例として、ハイパーリンク文字列ＰＣＧ１８０の文字列である「映画予告」の情報を含んだ制御リモコン信号を受信したとして、ステップＳ４３２に進む。
【０５１２】
ステップＳ４３２では、制御リモコン信号対応処理が行なわれる。制御リモコン信号対応処理では、前述したように、受信した制御リモコン信号に応じた処理が行なわれる。ここでは、ハイパーリンク文字列ＰＣＧ１８０の文字列である「映画予告」の情報を含んだ制御リモコン信号を受信したので、制御部６１０が以下の処理を行なう。
【０５１３】
制御部６１０は、図３９の操作メタデータＤ４１０Ａを参照し、ハイパーリンク文字列ＰＣＧ１８０の文字列である「映画予告」に対応する制御を行なう。すなわち、制御部６１０は、「http://www.bb.ne.jp/1234bb01.html」のＵＲＬにＷｅｂアクセスし、「http://www.bb.ne.jp/1234bb01.html」のＵＲＬのＷｅｂページの情報を、表示部６３０に表示させる。
【０５１４】
したがって、ファイル名が「ＣＭ５５５５．ｍｐｇ」であるＣＭの動画像を、表示部６３０に表示している期間、ユーザの興味ある情報を参照してもらうことができる。したがって、ファイル名が「ＣＭ５５５５．ｍｐｇ」であるＣＭの動画像を提供するコンテンツ提供会社等は、コンテンツに対応した情報をユーザに見てもらうことができ、効率のよい宣伝を行なうことができる。
【０５１５】
その後、ステップＳ４３２の処理は終了し、再度、ステップＳ４３０の処理が行なわれる。
【０５１６】
コンテンツ処理Ａでは、ステップＳ４２４の処理が終了すると、ステップＳ４２６の処理に進む。
【０５１７】
ステップＳ４２６では、制御部６１０が、コンテンツ表示処理において、期間番号５データに含まれる動画像データの受信が完了したか否かを判定する。なお、前述したように、ステップＳ４２６の処理は終了しても、受信が完了した動画像データに基づく画像の再生が終了するまで、コンテンツ表示処理は行なわれ続ける。また、前述したように、コンテンツ表示処理において、ｎが“５”の場合、期間番号５データに含まれる動画像データの受信が完了し、動画像データに基づく画像の再生が終了した場合に、コンテンツ表示処理は終了する。ここでは、期間番号５データに含まれる動画像データの受信が完了したとして、図３１の映像表示装置６００の処理に戻り、ステップＳ３２６の次のステップＳ３２７に進む。
【０５１８】
次に、映像表示装置６００が、インタラクティブコンテンツを受信する場合の処理について説明する。インタラクティブコンテンツとは、たとえば、アンケートを集計するような、ユーザが参加できる番組である。また、インタラクティブコンテンツとは、たとえば、クイズ番組のような、ユーザが参加できる番組である。
【０５１９】
ステップＳ３１１の処理が行なわれるまでの処理は、前述したのと同様なので詳細な説明は繰り返さない。
【０５２０】
まず、ステップＳ３１２において、インターフェース操作Ｍにより、インタラクティブコンテンツを、取得するためのコンテンツ取得操作があったと判定され、ステップＳ３１３に進む。そして、ステップＳ３１３において前述したのと同様な処理が行なわれるので詳細な説明は繰り返さない。
【０５２１】
映像表示装置６００では、ステップＳ３２２，Ｓ３２３において、前述したのと同様な処理が行なわれるので詳細な説明は繰り返さない。
【０５２２】
サービスサーバ８００Ａでは、ステップＳ３４２，Ｓ３４３において、前述したのと同様な処理が行なわれるので詳細な説明は繰り返さない。
【０５２３】
映像表示装置６００では、ステップＳ３２４において、前述したのと同様な処理が行なわれるので詳細な説明は繰り返さない。これにより、映像表示装置６００は、コンテンツ基礎データＤ２６０、ＣＭテーブルデータＤ２２０およびタイムテーブルデータＤ２７０を受信したとする。
【０５２４】
そして、ステップＳ３２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０５２５】
サービスサーバ８００Ａでは、ステップＳ３４４，ステップＳ３４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０５２６】
映像表示装置６００では、ステップＳ３２５Ａにおいて、前述したのと同様な処理が行なわれるので詳細な説明は繰り返さない。この処理により、制御部６１０が、期間番号１データを受信する。期間番号１データは、ファイル名が「１２３４−１．ｍｐｇ」である動画像データを含むデータである。なお、期間番号１データに含まれる、コンテンツとしての動画像データには、操作メタデータが含まれる。なお、コンテンツとしての動画像データには、操作メタデータが含まれず、付加されていてもよい。制御部６１０は、受信した操作メタデータを、一時記憶部６２２に記憶させる。ここでは、操作メタデータは、一例として、以下に説明する操作メタデータＤ４２０であるとする。その後、ステップＳ３２５Ｂに進む。
【０５２７】
図４０は、一例としての操作メタデータＤ４２０を示す図である。図４０を参照して、操作メタデータＤ４２０は、図２４の操作メタデータＤ３１０と比較して、「ボタン画像名」の項目がない点が異なる。それ以外は、操作メタデータＤ３１０と同様なので詳細な説明は繰り返さない。
【０５２８】
再び、図３１を参照して、映像表示装置６００では、ステップＳ３２５Ｂの処理が行なわれる。ステップＳ３２５Ｂでは、前述したのと同様な処理が行なわれるので詳細な説明は繰り返さない。受信した操作メタデータが、操作メタデータＤ４２０である場合、制御部６１０は、操作メタデータＤ４２０内の、「制御」の列の各制御に対応する操作パネル生成パーツデータ（ボタン画像データ）を記憶部６２０から読出し、操作パネル画像内にボタン画像を配置することにより、操作パネル画像を生成する。以上により、操作メタデータ４２０に基づいて生成された操作パネル画像は、たとえば、図２３の操作パネル画像ＰＧ２００のようになる。これにより、当該操作パネル画像を生成するための操作パネル生成データが生成される。
【０５２９】
そして、制御部６１０は、各制御に割り当てたボタン画像の名称を、各制御に対応づけて操作メタデータに追記する処理を行なう。操作メタデータが操作メタデータＤ４２０の場合、ボタン画像の名称が追記された操作メタデータは、以下の操作メタデータＤ４２０Ａとなる。
【０５３０】
図４１は、一例としての操作メタデータＤ４２０Ａを示す図である。図４１を参照して、操作メタデータＤ４２０Ａは、図２４の操作メタデータＤ３１０と同じであるので詳細な説明は繰り返さない。
【０５３１】
再び、図３１を参照して、制御部６１０は、生成した操作パネル生成データと、生成した操作パネル画像に必要な操作パネル生成パーツデータ（ボタン画像データ）とを含む操作パネルデータを生成する。そして、制御部６１０は、生成した操作パネルデータを通信端末装置５００へ送信する。その後、このステップＳ３２５Ｂの処理は終了する。
【０５３２】
通信端末装置５００では、ステップＳ３１４，ステップＳ３１５，ステップＳ３１６において、前述したのと同様な処理が行なわれるので詳細な説明は繰り返さない。これらの処理により、表示部５３０には、操作パネル画像ＰＧ２００が表示される。また、図３７の操作判定処理Ａが実行される。
【０５３３】
映像表示装置６００では、ステップＳ３２６の処理が、図３７に基づいて行なわれる。
ステップＳ４２０では、前述したのと同様な処理が行なわれるので詳細な説明は繰り返さない。
【０５３４】
操作判定処理Ａでは、ステップＳ４１０において、前述したのと同様な処理が行なわれるので詳細な説明は繰り返さない。ここでは、表示制御操作があったとして、ステップＳ４１２に進む。この場合、表示制御操作は、表示部５３０に表示されている操作パネル画像ＰＧ２００内の、ボタン画像名が「番号１」である数字ボタン画像ＰＢＧ２１１を押下処理するためのインターフェース操作Ｍであるとする。
【０５３５】
ステップＳ４１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「番号１」である数字ボタン画像ＰＢＧ２１１を押下処理するためのインターフェース操作Ｍであるとする。この場合、制御リモコン信号は、ボタン画像ＰＢＧ２１１の名称である「番号１」の情報を含んだリモコン信号となる。
【０５３６】
コンテンツ処理Ａでは、ステップＳ４２２，ステップＳ４２４において、前述したのと同様な処理が行なわれるので詳細な説明は繰り返さない。これらの処理により、制御信号対応処理Ａが実行される。
【０５３７】
制御信号対応処理Ａでは、ステップＳ４３０の処理が行なわれる。ステップＳ４３０では、前述した処理が行なわれるので詳細な説明は繰り返さない。ここでは、一例として、ボタン画像ＰＢＧ２１１の名称である「番号１」の情報を含んだリモコン信号を受信したとして、ステップＳ４３２に進む。
【０５３８】
ステップＳ４３２では、制御リモコン信号対応処理が行なわれる。制御リモコン信号対応処理では、前述したように、受信した制御リモコン信号に応じた処理が行なわれる。ここでは、ボタン画像ＰＢＧ２１１の名称である「番号１」の情報を含んだ制御リモコン信号を受信したので、制御部６１０が以下の処理を行なう。
【０５３９】
制御部６１０は、図４１の操作メタデータＤ４２０Ａを参照し、ボタン画像ＰＢＧ２１１の名称である「番号１」に対応する制御を行なう。すなわち、制御部６１０は、「http://www.bb.ne.jp/1234aa01.html」のＵＲＬにＷｅｂアクセスする。Ｗｅｂアクセスされるサーバは、たとえば、サービスサーバ８００Ａである。
【０５４０】
以上の処理が行なわれることにより、Ｗｅｂアクセスされたサービスサーバ８００Ａでは、アクセスされた回数を集計することで、たとえば、アンケートの集計等を行なうことができる。すなわち、インタラクティブコンテンツに対応した操作パネル画像を利用して、ユーザが番組において行なわれる、アンケート等の企画に参加することができる。
【０５４１】
なお、映像表示装置６００が受信するコンテンツは、３Ｄコンテンツであってもよい。３Ｄコンテンツは、一例として、図２５の３Ｄコンテンツ３ＤＧであるとする。
【０５４２】
次に、映像表示装置６００が、３Ｄコンテンツ３ＤＧを受信する場合の処理について説明する。
【０５４３】
ステップＳ３１１の処理が行なわれるまでの処理は、前述したのと同様なので詳細な説明は繰り返さない。
【０５４４】
まず、ステップＳ３１２において、インターフェース操作Ｍにより、３Ｄコンテンツ３ＤＧを、取得するためのコンテンツ取得操作があったと判定され、ステップＳ３１３に進む。そして、ステップＳ３１３において前述したのと同様な処理が行なわれるので詳細な説明は繰り返さない。
【０５４５】
映像表示装置６００では、ステップＳ３２２，Ｓ３２３において、前述したのと同様な処理が行なわれるので詳細な説明は繰り返さない。
【０５４６】
サービスサーバ８００Ａでは、ステップＳ３４２において、前述したのと同様な処理が行なわれるので詳細な説明は繰り返さない。ここでは、コンテンツ取得要求Ａを受信したとして、ステップＳ３４３に進む。
【０５４７】
ステップＳ３４３では、前述したのと同様に、制御部８１０が、コンテンツ再生必要データを、映像表示装置６００へ送信する。その後、ステップＳ３４３の処理は終了する。コンテンツ再生必要データには、以下に説明する、コンテンツ基礎データＤ２６０ＡおよびタイムテーブルデータＤ２７０Ａが含まれる。
【０５４８】
図４２は、一例としての、コンテンツ基礎データＤ２６０ＡおよびタイムテーブルデータＤ２７０Ａを示す図である。図４２（Ａ）は、一例としての、コンテンツ基礎データＤ２６０Ａを示す図である。図４２（Ａ）を参照して、コンテンツ基礎データＤ２６０Ａは、図３２のコンテンツ基礎データＤ２６０と比較して、「ＣＭ挿入回数」が“０”である点と、ＣＭテーブルＵＲＬがない点と、コンテンツ２，３，４のＵＲＬがない点と、操作メタデータｂｂＵＲＬおよび操作メタデータｃｃＵＲＬがない点とが異なる。それ以外は、コンテンツ基礎データＤ２６０と同様なので詳細な説明は繰り返さない。
【０５４９】
図４２（Ｂ）は、一例としてのタイムテーブルデータＤ２７０Ａを示す図である。図４２（Ｂ）を参照して、タイムテーブルデータＤ２７０Ａは、図３３のタイムテーブルデータＤ２７０と比較して、「期間番号」が“１”に対応する情報のみが記述されたデータである点が異なる。それ以外は、タイムテーブルデータＤ２７０と同様なので詳細な説明は繰り返さない。
【０５５０】
再び、図３１を参照して、映像表示装置６００では、ステップＳ３２４において、前述したのと同様な処理が行なわれるので詳細な説明は繰り返さない。これにより、映像表示装置６００は、コンテンツ基礎データＤ２６０ＡおよびタイムテーブルデータＤ２７０Ａを含むコンテンツ再生必要データを受信したとする。
【０５５１】
そして、ステップＳ３２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０５５２】
サービスサーバ８００Ａでは、ステップＳ３４４，ステップＳ３４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０５５３】
映像表示装置６００では、ステップＳ３２５Ａにおいて、前述したのと同様な処理が行なわれるので詳細な説明は繰り返さない。この処理により、制御部６１０が、期間番号１データを受信する。期間番号１データは、ファイル名が「１２３４．ｄｔ」である３Ｄコンテンツデータを含むデータである。なお、期間番号１データに含まれる、３Ｄコンテンツデータには、ファイル名が「ｃｏｎｔ１２３４ｄｄ．ｍｅｔａ」である操作メタデータが含まれる。なお、３Ｄコンテンツデータには、操作メタデータが含まれず、付加されていてもよい。制御部６１０は、受信した操作メタデータを、一時記憶部６２２に記憶させる。ここでは、操作メタデータは、一例として、以下に説明する操作メタデータＤ４３０であるとする。
【０５５４】
図４３は、一例としての操作メタデータＤ４３０を示す図である。図４３を参照して、操作メタデータＤ４３０は、図２８の操作メタデータＤ３２０と比較して、「ボタン画像名」の項目がない点が異なる。それ以外は、操作メタデータＤ３２０と同様なので詳細な説明は繰り返さない。
【０５５５】
再び、図３１を参照して、映像表示装置６００では、ステップＳ３２５Ｂの処理が行なわれる。ステップＳ３２５Ｂでは、前述したのと同様な処理が行なわれるので詳細な説明は繰り返さない。受信した操作パネルデータが、操作メタデータＤ４３０である場合、制御部６１０は、操作メタデータＤ４３０内の、「制御」の列の各制御に対応する操作パネル生成パーツデータ（ボタン画像データ）を記憶部６２０から読出し、操作パネル画像内にボタン画像を配置することにより、操作パネル画像を生成する。以上により、操作メタデータ４３０に基づいて生成された操作パネル画像は、たとえば、図２７の操作パネル画像ＰＧ３００のようになる。これにより、当該操作パネル画像を生成するための操作パネル生成データが生成される。
【０５５６】
そして、制御部６１０は、各制御に割り当てたボタン画像の名称を、各制御に対応づけて操作メタデータに追記する処理を行なう。操作メタデータが操作メタデータＤ４３０の場合、ボタン画像の名称が追記された操作メタデータは、以下の操作メタデータＤ４３０Ａとなる。
【０５５７】
図４４は、一例としての操作メタデータＤ４３０Ａを示す図である。図４４を参照して、操作メタデータＤ４３０Ａは、図２８の操作メタデータＤ３２０と同じであるので詳細な説明は繰り返さない。
【０５５８】
再び、図３１を参照して、制御部６１０は、生成した操作パネル生成データと、生成した操作パネル画像に必要な操作パネル生成パーツデータ（ボタン画像データ）とを含む操作パネルデータを生成する。そして、制御部６１０は、生成した操作パネルデータを通信端末装置５００へ送信する。その後、このステップＳ３２５Ｂの処理は終了する。
【０５５９】
通信端末装置５００では、ステップＳ３１４，ステップＳ３１５，ステップＳ３１６において、前述したのと同様な処理が行なわれるので詳細な説明は繰り返さない。これらの処理により、表示部５３０には、図２７の操作パネル画像ＰＧ３００が表示される。また、図３７の操作判定処理Ａが実行される。
【０５６０】
映像表示装置６００では、ステップＳ３２６の処理が、図３７に基づいて行なわれる。
ステップＳ４２０では、制御部６１０が、コンテンツ表示処理を実行する。コンテンツ表示処理は、コンテンツ処理Ａおよび他の処理とは独立して行なわれる処理である。その後、ステップＳ４２０の処理は終了する。
【０５６１】
コンテンツ表示処理では、制御部６１０が、ＶＤＰ６３２を利用して、期間番号ｎデータに含まれる、図２５の３Ｄコンテンツ３ＤＧを、表示部６３０に表示する。そして、このコンテンツ表示処理は終了する。
【０５６２】
操作判定処理Ａでは、ステップＳ４１０において、前述したのと同様な処理が行なわれるので詳細な説明は繰り返さない。ここでは、表示制御操作があったとして、ステップＳ４１２に進む。この場合、表示制御操作は、表示部５３０に表示されている操作パネル画像ＰＧ３００内の、ボタン画像名が「左回転」であるボタン画像ＰＢＧ３１６を押下処理するためのインターフェース操作Ｍであるとする。
【０５６３】
ステップＳ４１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「左回転」であるボタン画像ＰＢＧ３１６を押下処理するためのインターフェース操作Ｍであるとする。この場合、制御リモコン信号は、ボタン画像ＰＢＧ３１６の名称である「左回転」の情報を含んだリモコン信号となる。
【０５６４】
コンテンツ処理Ａでは、ステップＳ４２２，ステップＳ４２４において、前述したのと同様な処理が行なわれるので詳細な説明は繰り返さない。これらの処理により、制御信号対応処理Ａが実行される。
【０５６５】
制御信号対応処理Ａでは、ステップＳ４３０の処理が行なわれる。ステップＳ４３０では、前述した処理が行なわれるので詳細な説明は繰り返さない。ここでは、一例として、ボタン画像ＰＢＧ３１６の名称である「左回転」の情報を含んだリモコン信号を受信したとして、ステップＳ４３２に進む。
【０５６６】
ステップＳ４３２では、制御リモコン信号対応処理が行なわれる。制御リモコン信号対応処理では、前述したように、受信した制御リモコン信号に応じた処理が行なわれる。ここでは、ボタン画像ＰＢＧ３１６の名称である「左回転」の情報を含んだ制御リモコン信号を受信したので、制御部６１０が以下の処理を行なう。
【０５６７】
制御部６１０は、図４４の操作メタデータＤ４３０Ａを参照し、ボタン画像ＰＢＧ３１６の名称である「左回転」に対応する制御を行なう。すなわち、制御部６１０は、表示部６３０に表示されている、図２５の３Ｄコンテンツ３ＤＧを、水平方向に対し左に向かって、１０度、回転させる処理を行なう。
【０５６８】
以上の処理が行なわれることにより、３Ｄコンテンツを、回転、拡大および縮小したりできる。すなわち、ユーザの操作により、３Ｄコンテンツを様々な状態で表示することができる。
【０５６９】
なお、本実施の形態で使用される操作パネル画像は、図２９の操作パネル画像ＰＧ４００のようなものであってもよい。また、本実施の形態で使用される操作パネル画像は、受信したコンテンツが音楽である場合、音楽の音質を自由に変更可能なイコライザーが表示されたものであってもよい。なお、操作パネル画像は、前述したものに限定されない。
【０５７０】
以上説明したように、本実施の形態では、映像表示装置６００は、サービスサーバ８００Ａからコンテンツを受信するとともに、コンテンツを操作するための操作メタデータを、映像表示装置６００を送信する。映像表示装置６００は、受信した操作メタデータに基づいて、テンプレートデータとしての操作パネル生成パーツデータ（ボタン画像データ）を使用して、操作パネル画像を生成し、当該操作パネル画像を生成するための操作パネル生成データを生成する。
【０５７１】
そして、制御部６１０は、生成した操作パネル生成データと、生成した操作パネル画像に必要な操作パネル生成パーツデータ（ボタン画像データ）とを含む操作パネルデータを生成し、生成した操作パネルデータを、通信端末装置５００へ送信する。通信端末装置５００では、受信した操作パネルデータに基づいた操作パネル画像が表示される。通信端末装置５００は、受信するコンテンツに応じた操作パネル画像を利用して、映像表示装置６００の表示部６３０に表示されているコンテンツを制御する。
【０５７２】
したがって、映像表示装置６００が、操作パネル画像を生成する本実施の形態においても、第１の実施の形態と同様な効果を奏することができる。すなわち、本実施の形態によれば、コンテンツを制御するのに適した操作パネル画像を使用してコンテンツを制御することができる。その結果、コンテンツの種類に応じた自由度の高い操作系を得ることができるという効果を奏する。
【０５７３】
＜第３の実施の形態＞
本実施の形態では、通信端末装置５００が操作パネル画像を生成する処理について説明する。
【０５７４】
本実施の形態では、通信端末装置５００の記憶部５２０には、操作パネル画像を生成するのに必要な、複数種類の操作パネル生成パーツデータが記憶されている。操作パネル生成パーツデータは、たとえば、図１７の操作パネル画像ＰＧ１００、図２３の操作パネル画像ＰＧ２００、図２７の操作パネル画像ＰＧ３００および図２９の操作パネル画像ＰＧ４００の各々に含まれるボタン画像データである。このボタン画像データは、テンプレートデータとして、記憶部５２０に記憶される。
【０５７５】
なお、ボタン画像データには、名称が設定されている。たとえば、操作パネル画像ＰＧ１００内の再生ボタン画像ＰＢＧ１１０、一時停止ボタン画像ＰＢＧ１１２、停止ボタン画像ＰＢＧ１２０、巻き戻しボタン画像ＰＢＧ１３２、早送りボタン画像ＰＢＧ１３４および録画ボタン画像ＰＢＧ１４０のデータには、それぞれ、「再生」、「一時停止」、「停止」、「巻き戻し」、「早送り」および「録画」という名称が設定されている。
【０５７６】
本実施の形態におけるネットワークシステムは、第１の実施の形態におけるネットワークシステム１０００と同様なので詳細な説明は繰り返さない。通信端末装置５００、映像表示装置６００、サービスサーバ８００Ａ、検索サーバ８００ＳおよびＷｅｂサーバ８００Ｗの各々の構成は、第１の実施の形態において、説明した構成と同様なので詳細な説明は繰り返さない。
【０５７７】
次に、本実施の形態において、映像表示装置６００が、サービスサーバ８００Ａからコンテンツを受信するための処理（以下、コンテンツ取扱い処理Ｂともいう）について説明する。なお、通信端末装置５００の表示部５３０には、リモコン画像ＭＧ１００が表示されているとする。この場合、通信端末装置５００は、リモコンモードに設定されているとする。
【０５７８】
図４５は、コンテンツ取扱い処理Ｂのフローチャートである。図４５では、通信端末装置５００、映像表示装置６００、サービスサーバ８００Ａの各々において行なわれる処理を示す。
【０５７９】
通信端末装置５００では、まず、ステップＳ５１０の処理が行なわれる。
ステップＳ５１０では、ステップＳ１１０と同様な処理が行なわれるので詳細な説明は繰り返さない。ステップＳ５１０において、ＹＥＳならば、ステップＳ５１１に進む。一方、ステップＳ５１０において、ＮＯならば、再度、ステップＳ５１０の処理が行なわれる。ここでは、リスト取得操作があったとして、ステップＳ５１１に進む。
【０５８０】
ステップＳ５１１では、ステップＳ１１１と同様にリスト取得処理が行なわれるので詳細な説明は繰り返さない。
【０５８１】
映像表示装置６００では、まず、ステップＳ５２０の処理が行なわれる。ステップＳ５２０では、制御部６１０が、リスト取得要求としてのリスト取得リモコン信号を受信したか否かを判定する。ステップＳ５２０において、ＹＥＳならば、ステップＳ５２１に進む。一方、ステップＳ５２０において、ＮＯならば、再度、ステップＳ５２０の処理が行なわれる。
【０５８２】
ステップＳ５２１では、ステップＳ１２１と同様にリスト取得処理Ａが行なわれるので詳細な説明は繰り返さない。この処理により、リスト取得要求Ａが、サービスサーバ８００Ａへ送信される。
【０５８３】
サービスサーバ８００Ａでは、まず、ステップＳ５４０の処理が行なわれる。
ステップＳ５４０では、制御部８１０が、リスト取得要求Ａを受信したか否かを判定する。ステップＳ５４０において、ＹＥＳならば、ステップＳ５４１に進む。一方、ステップＳ５４０において、ＮＯならば、再度、ステップＳ５４０の処理が行なわれる。
【０５８４】
ステップＳ５４１では、制御部８１０が、リスト取得要求Ａを送信した装置に対し、配信可能なコンテンツのリストのデータである、図１１のリストデータＤ１００を送信する。その後，ステップＳ５４１の処理は終了する。
【０５８５】
映像表示装置６００では、制御部６１０が、リストデータＤ１００を受信する。制御部６１０は、リストデータＤ１００を受信すると、記憶部６２０にリストデータＤ１００を記憶させる。そして、制御部６１０が、リストデータＤ１００に基づいて、ＶＤＰ６３２を利用して、図１２のリスト画像ＴＧ２００を生成し、生成したリスト画像ＴＧ２００を表示部６３０に表示させる。
【０５８６】
ステップＳ５２１のリスト取得処理Ａでは、さらに、制御部６１０が、通信部６６０を利用して、受信したリストデータＤ１００を、通信端末装置５００へ送信（転送）する。その後、ステップＳ５２１の処理は終了する。
【０５８７】
通信端末装置５００において、ステップＳ５１１のリスト取得処理では、さらに、制御部５１０が、リストデータＤ１００を受信する。制御部５１０は、リストデータＤ１００を受信すると、記憶部５２０にリストデータＤ１００を記憶させる。そして、制御部５１０が、リストデータＤ１００に基づいて、ＶＤＰ６３２を利用して、図１３のリスト画像ＭＧ２００を生成し、生成したリスト画像ＭＧ２００を表示部６３０に表示させる。そして、ステップＳ５１１の処理は終了し、ステップＳ３１２に進む。
【０５８８】
ステップＳ５１２では、ステップＳ１１２と同様な処理が行なわれるので詳細な説明は繰り返さない。ステップＳ５１２において、ＹＥＳならば、ステップＳ５１３に進む。一方、ステップＳ５１２において、ＮＯならば、再度、ステップＳ５１２の処理が行なわれる。ここでは、インターフェース操作Ｍにより、「Ｂ映画」というタイトルを表示するボタン画像ＭＢＧ２１１を押下処理するコンテンツ取得操作があったとして、ステップＳ５１３に進む。
【０５８９】
ステップＳ５１３では、ステップＳ１１３と同様な処理が行なわれるので詳細な説明は繰り返さない。この処理により、コンテンツ取得要求としてのコンテンツ取得リモコン信号が、映像表示装置６００へ送信される。そして、このステップＳ１１３の処理は終了する。
【０５９０】
映像表示装置６００では、ステップＳ５２１の処理が終了すると、ステップＳ５２２に進む。
【０５９１】
ステップＳ５２２では、ステップＳ１２２と同様な処理が行なわれるので詳細な説明は繰り返さない。ステップＳ５２２において、ＹＥＳならば、ステップＳ５２３に進む。一方、ステップＳ５２２において、ＮＯならば、再度、ステップＳ５２２の処理が行なわれる。
【０５９２】
ステップＳ５２３では、ステップＳ１２３と同様な処理が行なわれるので詳細な説明は繰り返さない。この処理により、制御部６１０が、受信したコンテンツ取得リモコン信号が特定するコンテンツを取得するためのコンテンツ取得要求Ａを、サービスサーバ８００Ａへ送信する。その後、ステップＳ５２３の処理は終了する。コンテンツ取得要求Ａには、取得要求コンテンツを特定するためのＩＤ番号が含まれる。ここでは、コンテンツ取得要求Ａには、タイトルが「Ｂ映画」の取得要求コンテンツを特定するためのＩＤ番号「１２３４」が含まれているとする。
【０５９３】
サービスサーバ８００Ａでは、ステップＳ５４１の処理が終了すると、ステップＳ５４２に進む。
【０５９４】
ステップＳ５４２では、制御部８１０が、コンテンツ取得要求Ａを受信したか否かを判定する。ステップＳ５４２において、ＹＥＳならば、ステップＳ５４３に進む。一方、ステップＳ５４２において、ＮＯならば、再度、ステップＳ５４２の処理が行なわれる。
【０５９５】
ステップＳ５４３では、制御部８１０が、コンテンツの再生に必要なコンテンツ再生必要データを、映像表示装置６００へ送信する。その後、ステップＳ５４３の処理は終了する。コンテンツ再生必要データには、図１６のＣＭテーブルデータＤ２２０、および、図３２のコンテンツ基礎データＤ２６０および図３３のタイムテーブルデータＤ２７０が含まれる。
【０５９６】
コンテンツ取得要求Ａに含まれるコンテンツを特定するためのＩＤ番号に対応するコンテンツ基礎データは、予めサービスサーバ８００Ａの記憶部８２０に記憶されている。したがって、コンテンツ基礎データＤ２６０も、予めサービスサーバ８００Ａの記憶部８２０に記憶されている。
【０５９７】
映像表示装置６００では、ステップＳ５２３の処理が終了すると、ステップＳ５２４に進む。
【０５９８】
ステップＳ５２４では、制御部６１０が、コンテンツ再生必要データを受信し、受信したコンテンツ再生必要データを、記憶部６２０に記憶させる。その後、ステップＳ５２５に進む。
【０５９９】
ステップＳ５２５では、ステップＳ１２５と同様な処理が行なわれるので詳細な説明は繰り返さない。この処理により、制御部６１０は、タイムテーブルデータＤ２７０の期間番号ｎ（自然数）に対応する期間番号ｎデータを、サービスサーバ８００Ａから受信するための処理を行なう。なお、ｎの初期値は“１”である。具体的には、期間番号ｎデータを取得するための期間番号ｎデータ取得要求が、サービスサーバ８００Ａへ送信される。その後、ステップＳ５２５の処理は終了する。なお、ｎが“１”の場合、期間番号ｎデータは、期間番号１データともいう。また、ｎが“１”の場合、期間番号１データは、ファイル名が「１２３４−１．ｍｐｇ」である動画像データを含むデータである。
【０６００】
サービスサーバ８００Ａでは、ステップＳ５４３の処理が終了すると、ステップＳ５４４に進む。
【０６０１】
ステップＳ５４４では、ステップＳ１４４と同様な処理が行なわれるので詳細な説明は繰り返さない。ステップＳ５４４において、ＹＥＳならば、ステップＳ５４４Ａに進む。一方、ステップＳ５４４において、ＮＯならば、再度、ステップＳ５４４の処理が行なわれる。
【０６０２】
ステップＳ５４４Ａでは、制御部８１０が、期間番号ｎデータ取得要求により要求された期間番号ｎデータを、映像表示装置６００へ送信する。前述したように、ｎが“１”の場合、期間番号ｎデータ（期間番号１データ）は、ファイル名が「１２３４−１．ｍｐｇ」である動画像データを含むデータである。なお、期間番号ｎデータに含まれる動画像データはデータ容量が大きい。そのため、制御部８１０は、当該動画像データを、映像表示装置６００へストリーミング配信する。なお、要求された動画像データのストリーミング配信が終了すると、ステップＳ５４４Ａの処理は終了し、再度、ステップＳ５４４の処理が行なわれる。
【０６０３】
映像表示装置６００では、ステップＳ５２５の処理が終了すると、ステップＳ５２５Ａに進む。
【０６０４】
ステップＳ５２５Ａでは、制御部６１０が、期間番号ｎデータを受信する。これにより、ストリーミング配信される、期間番号ｎデータに含まれる動画像データは、制御部６１０により、順次受信される。すなわち、ステップＳ５２５Ａの処理が終了しても、動画像データは、制御部６１０により、受信され続ける。なお、コンテンツとしての動画像データには、コンテンツ（動画像データ）の再生制御等の処理を行なうための操作メタデータが含まれる。なお、コンテンツとしての動画像データには、操作メタデータが含まれず、付加されていてもよい。ここでは、操作メタデータは、ｎが“１”の場合、ファイル名が「ｃｏｎｔ１２３４ａａ．ｍｅｔａ」である、図３４の操作メタデータＤ４００であるとする。
【０６０５】
制御部６１０は、受信した操作メタデータを、一時記憶部６２２に記憶させる。その後、ステップＳ５２５Ｂに進む。
【０６０６】
ステップＳ５２５Ｂでは、制御部６１０が、受信した期間番号ｎデータに含まれる操作メタデータを、通信端末装置５００へ送信する。なお、制御部６１０は、既に受信した操作メタデータと同じ操作メタデータを受信した場合は、操作メタデータを通信端末装置５００へ送信する処理は行なわない。その後、このステップＳ５２５Ｂの処理は終了する。
【０６０７】
通信端末装置５００では、ステップＳ５１３の処理の後、ステップＳ５１４に進む。
ステップＳ５１４では、制御部５１０が、１つ目の操作メタデータまたは既に受信した操作メタデータとは異なる操作メタデータを受信したか否かを判定する。ステップＳ５１４において、ＹＥＳならば、ステップＳ５１４Ａに進む。一方、ステップＳ５１４において、ＮＯならば、再度、ステップＳ５１４の処理が行なわれる。初めて、ステップＳ５１４の処理が行なわれる場合は、１つ目の操作メタデータを受信したとして、ステップＳ５１４Ａに進む。
【０６０８】
ステップＳ５１４Ａでは、制御部５１０が、操作パネルデータに適した操作パネル画像を生成する。具体的には、制御部５１０は、通信端末装置５００のインターフェース情報（図３５参照）、操作メタデータ内の、コンテンツ種類と、ジャンル、リンク文字列および制御の少なくとも１つの情報とに基づいて、ステップＳ３２５Ｂの処理と同様な処理により、操作パネル画像を生成する。なお、通信端末装置５００のインターフェース情報は、記憶部５２０に記憶されている。
【０６０９】
制御部５１０は、通信端末装置５００のインターフェース情報に含まれる画面サイズの情報を参照して、操作パネル画像のサイズを決める。この場合、操作パネル画像のサイズは、画面サイズよりも小さいものとなる。そして、受信した操作メタデータが、たとえば、図３４の操作メタデータＤ４００である場合、制御部６１０は、操作メタデータＤ４００内の、「制御」の列の各制御に対応する操作パネル生成パーツデータ（ボタン画像データ）を記憶部６２０から読出し、操作パネル画像内にボタン画像を配置することにより、操作パネル画像を生成する。
【０６１０】
たとえば、「制御」が「再生」である場合、「再生」という名称である図１７の再生ボタン画像ＰＢＧ１１０のデータを、記憶部６２０から読出し、操作パネル画像内にボタン画像を配置する。他の制御に対しても同様に対応するボタン画像データを読出し、操作パネル画像内にボタン画像を配置する。以上により、操作メタデータＤ４００に基づいて生成された操作パネル画像は、たとえば、図１７の操作パネル画像ＰＧ１００のようになる。
【０６１１】
そして、制御部６１０は、各制御に割り当てたボタン画像の名称を、各制御に対応づけて操作メタデータに追記する処理を行なう。操作メタデータが操作メタデータＤ４００の場合、ボタン画像の名称を、追記された操作メタデータは、図３６の操作メタデータＤ４００Ａとなる。その後、ステップＳ５１４Ｂに進む。
【０６１２】
ステップＳ５１４Ｂでは、制御部５１０が、変更した操作メタデータ（以下、更新後操作メタデータともいう）を通信端末装置５００へ送信する。ここでは、更新後操作メタデータは、操作メタデータＤ４００Ａである。
【０６１３】
映像表示装置６００では、ステップＳ５２５Ｂの処理が終了すると、ステップＳ５２５Ｃに進む。
【０６１４】
ステップＳ５２５Ｃでは、制御部６１０が、更新後操作メタデータを受信し、受信した更新後操作メタデータを、一時記憶部６２２に記憶させる。ここでは、更新後操作メタデータは、操作メタデータＤ４００Ａである。その後、ステップＳ５２５Ｃの処理は終了する。なお、ステップＳ５２５Ｃでは、ステップＳ５２５Ｂの処理において、操作メタデータを送信する処理をしてない場合、制御部６１０は、更新後操作メタデータを受信することなく、ステップＳ５２５Ｃの処理を終了する。
【０６１５】
通信端末装置５００では、ステップＳ５１４Ｂの処理が終了すると、ステップＳ５１５に進む。
【０６１６】
ステップＳ５１５では、ステップＳ３１５と同様に、操作パネル画像表示処理が行なわれるので詳細な説明は繰り返さない。この処理により、生成された操作パネル画像を表示部５３０に表示される。その後、ステップＳ５１５の処理は終了する。なお、生成された操作パネル画像は、一例として、図１７の操作パネル画像ＰＧ１００である。
【０６１７】
ステップＳ５１５の処理が終了すると、ステップＳ５１６に進む。
ステップＳ５１６では、制御部５１０が、後述する操作判定処理Ｂを実行する。操作判定処理Ｂは、他の処理とは独立して行なわれる処理である。なお、既に操作判定処理Ｂが実行されている場合、制御部５１０は、実行中の操作判定処理Ｂを終了させ、新たな操作判定処理Ｂを実行する。ステップＳ５１６の処理が終了すると、再度、ステップＳ５１４の処理が行なわれる。
【０６１８】
映像表示装置６００では、ステップＳ５２５Ｃの処理が終了すると、ステップＳ５２６に進む。
【０６１９】
ステップＳ５２６では、コンテンツ処理Ｂが行なわれる。
図４６は、操作判定処理Ｂおよびコンテンツ処理Ｂのフローチャートである。図４６を参照して、コンテンツ処理Ｂでは、まず、ステップＳ６２０の処理が行なわれる。
【０６２０】
ステップＳ６２０では、制御部６１０が、コンテンツ表示処理を実行する。コンテンツ表示処理は、コンテンツ処理Ｂおよび他の処理とは独立して行なわれる処理である。その後、ステップＳ６２０の処理は終了する。
【０６２１】
コンテンツ表示処理では、制御部６１０が、ＶＤＰ６３２を利用して、期間番号ｎデータに含まれる動画像データをサービスサーバ８００Ａから受信しながら、動画像データに基づく画像を、表示部６３０に表示するストリーミング再生表示処理が行なわれる。なお、期間番号ｎデータ（たとえば、期間番号１データ）に含まれる動画像データの受信が完了し、動画像データに基づく画像の再生が終了した場合、このコンテンツ表示処理は終了する。
【０６２２】
操作判定処理Ｂでは、まず、ステップＳ６１０の処理が行なわれる。
ステップＳ６１０では、制御部５１０が、表示制御操作があるか否かを判定する。表示制御操作とは、表示部５３０に表示されている操作パネル画像内のボタン画像を押下処理するためのインターフェース操作Ｍである。ステップＳ６１０において、ＹＥＳならば、ステップＳ６１２に進む。一方、ステップＳ６１０において、ＮＯならば、再度、ステップＳ６１０の処理が行なわれる。
【０６２３】
たとえば、表示部５３０に表示されている操作パネル画像が、図１７の操作パネル画像ＰＧ１００である場合、表示制御操作は、たとえば、停止ボタン画像ＰＢＧ１２０を押下処理するためのインターフェース操作Ｍである。
【０６２４】
ステップＳ６１２では、制御部５１０が、通信部５６０を利用して、制御リモコン信号を、映像表示装置６００へ送信する。たとえば、表示制御操作が、停止ボタン画像ＰＢＧ１２０を押下処理するためのインターフェース操作Ｍであった場合、制御リモコン信号は、操作パネル画像ＰＧ１００内において、停止ボタン画像ＰＢＧ１２０の名称である「停止」の情報を含んだリモコン信号となる。ステップＳ６１２の処理が終了すると、再度、ステップＳ６１０の処理が行なわれる。
【０６２５】
コンテンツ処理Ｂでは、ステップＳ６２０の処理が終了すると、ステップＳ６２２の処理に進む。
【０６２６】
ステップＳ６２２では、制御部６１０が、１つ目の操作メタデータまたは既に受信した操作メタデータとは異なる操作メタデータを受信したか否かを判定する。すなわち、制御部６１０が、ステップＳ５２５Ａの処理において受信した期間番号ｎデータに操作メタデータが含まれ、当該操作メタデータが、１つ目の操作メタデータまたは既に受信した操作メタデータとは異なる操作メタデータを受信したか否かを判定する。ステップＳ６２２において、ＹＥＳならば、ステップＳ６２４に進む。一方、ステップＳ６２２において、ＮＯならば、ステップＳ６２６に進む。初めて、ステップＳ６２２の処理が行なわれる場合は、１つ目の操作メタデータを受信したとして、ステップＳ６２４に進む。
【０６２７】
ステップＳ６２４では、制御部６１０が、通信端末装置５００から送信された制御リモコン信号に対応するための制御信号対応処理Ｂを実行する。制御信号対応処理Ｂは、他の処理とは独立して行なわれる処理である。なお、既に制御信号対応処理Ｂが実行されている場合、制御部６１０は、実行中の制御信号対応処理Ｂを終了させ、新たな制御信号対応処理Ｂを実行する。ステップＳ６２４の処理が終了すると、ステップＳ６２６に進む。
【０６２８】
制御信号対応処理Ｂでは、まず、ステップＳ６３０の処理が行なわれる。
ステップＳ６３０では、制御部６１０が、制御リモコン信号を受信したか否かを判定する。ステップＳ６３０において、ＹＥＳならば、ステップＳ６３２の処理に進む。一方、ステップＳ６３０において、ＮＯならば、再度、ステップＳ６３０の処理が行なわれる。ここでは、一例として、停止ボタン画像ＰＢＧ１２０の名称である「停止」の情報を含んだ制御リモコン信号を受信したとする。
【０６２９】
ステップＳ６３２では、ステップＳ２３２と同様に制御リモコン信号対応処理が行なわれる。制御リモコン信号対応処理では、受信した制御リモコン信号に応じた処理が行なわれる。たとえば、表示部６３０に動画像が表示されているときに、停止ボタン画像ＰＢＧ１２０の名称である「停止」の情報を含んだ制御リモコン信号を受信した場合、制御部６１０は、更新後操作メタデータとしての、図３６の操作メタデータＤ４００Ａを参照し、ボタン画像名が「停止」に対応する制御を行なう。すなわち、制御部６１０は、表示部６３０に表示されている動画像の再生を停止させ、表示部６３０に表示されている動画像を消去させる。その後、ステップＳ６３２の処理は終了し、再度、ステップＳ６３０の処理が行なわれる。
【０６３０】
コンテンツ処理Ｂでは、ステップＳ６２４の処理が終了すると、ステップＳ６２６の処理に進む。
【０６３１】
ステップＳ６２６では、制御部６１０が、コンテンツ表示処理において、期間番号ｎデータ（たとえば、期間番号１データ）に含まれる動画像データの受信が完了したか否かを判定する。ステップＳ６２６において、ＹＥＳならば、このコンテンツ処理は終了し、図４５の映像表示装置６００の処理に戻り、ステップＳ５２６の次のステップＳ５２７に進む。一方、ステップＳ６２６において、ＮＯならば、再度、ステップＳ６２６の処理が行なわれる。なお、ステップＳ６２６の処理は終了しても、受信が完了した動画像データに基づく画像の再生が終了するまで、コンテンツ表示処理は行なわれ続ける。なお、前述したように、コンテンツ表示処理において、期間番号ｎデータ（期間番号１データ）に含まれる動画像データの受信が完了し、動画像データに基づく画像の再生が終了した場合に、コンテンツ表示処理は終了する。
【０６３２】
再び，図３１を参照して、ステップＳ５２６の処理が終了すると、ステップＳ５２７に進む。
【０６３３】
ステップＳ５２７では、制御部６１０が、図３３のタイムテーブルデータＤ２７０に記述されている全ての期間番号に対応する、全てのコンテンツとしての動画像データの受信が完了し、受信した全てのコンテンツとしての動画像データの再生が終了したか否かを判定する。ステップＳ５２７において、ＹＥＳならば、再度、ステップＳ５２２の処理が行なわれる。一方、ステップＳ３２７において、ＮＯならば、ステップＳ５２７Ａに進む。
【０６３４】
ステップＳ５２７Ａでは、制御部６１０が、ｎの値を１インクリメントする。その後、再度、ステップＳ５２５の処理が行なわれる。ここでは、ステップＳ５２７Ａの処理の後、ｎの値が“２”となったとして、ステップＳ５２５で行なわれる処理を説明する。
【０６３５】
ステップＳ５２５では、ｎが“２”であるので、制御部６１０は、タイムテーブルデータＤ２７０の期間番号“２”に対応する期間番号ｎデータ（期間番号２データ）を、サービスサーバ８００Ａから受信するための処理を行なう。より具体的には、制御部６１０は、期間番号２データを取得するための期間番号ｎデータ取得要求を、サービスサーバ８００Ａへ送信する。その後、ステップＳ３２５の処理は終了する。なお、ｎが“２”の場合、期間番号２データは、図１６のＣＭテーブルデータＤ２２０により特定される、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。
【０６３６】
サービスサーバ８００Ａでは、ステップＳ５４４Ａの終了後、ステップＳ５４４の処理が行なわれる。
【０６３７】
ステップＳ５４４では、前述した処理が行なわれる。ここでは、期間番号ｎデータ取得要求を受信したとして、ステップＳ５４４Ａに進む。
【０６３８】
ステップＳ５４４Ａでは、制御部８１０が、期間番号ｎデータ取得要求により要求された期間番号ｎデータを、映像表示装置６００へ送信する。前述したように、ｎが“２”の場合、期間番号２データは、「ＣＭ番号」が“０００１”，“０００７”，“０１８９”にそれぞれ対応する、ファイル名が「ＣＭ０００１．ｍｐｇ」、「ＣＭ０００７．ｍｐｇ」および「ＣＭ０１８９．ｍｐｇ」である複数の動画像データを含むデータである。なお、期間番号２データに含まれる動画像データはデータ容量が大きい。そのため、制御部８１０は、当該動画像データを、映像表示装置６００へストリーミング配信する。なお、コンテンツとしての動画像データには、前述した操作メタデータが含まれる。当該操作メタデータは、一例として、図３４の操作メタデータＤ４００であるとする。なお、要求された動画像データのストリーミング配信が終了すると、ステップＳ５４４Ａの処理は終了し、再度、ステップＳ５４４の処理が行なわれる。
【０６３９】
映像表示装置６００では、ステップＳ５２５の処理が終了すると、ステップＳ５２５Ａに進む。
【０６４０】
ステップＳ５２５Ａでは、ｎが“２”の場合、制御部６１０が、期間番号２データを受信する。期間番号２データに含まれる動画像データには、ファイル名が「ｃｏｎｔ１２３４ａａ．ｍｅｔａ」である、操作メタデータＤ４００が含まれる。なお、コンテンツとしての動画像データには、操作メタデータＤ４００が含まれず、付加されていてもよい。なお、ストリーミング配信される、期間番号２データに含まれる動画像データは、ステップＳ５２５Ａの処理が終了しても、動画像データは、制御部６１０により、受信され続ける。その後、ステップＳ５２５Ｂに進む。
【０６４１】
ステップＳ５２５Ｂでは、既に受信した操作メタデータ（操作メタデータＤ４００）と同じ操作メタデータ（操作メタデータＤ４００）を受信したので、制御部６１０は、操作メタデータを通信端末装置５００へ送信する処理は行なわない。その後、このステップＳ５２５Ｂの処理は終了し、ステップＳ５２５Ｃに進む。
【０６４２】
ステップＳ５２５Ｃでは、ステップＳ５２５Ｂの処理において、操作メタデータを送信する処理をしてない場合、制御部６１０は、更新後操作メタデータを受信することなく、ステップＳ５２５Ｃの処理を終了し、ステップＳ５２６に進む。
【０６４３】
ステップＳ５２６では、前述した図４６のコンテンツ処理Ｂが行なわれる。
コンテンツ処理Ｂでは、まず、ステップＳ６２０において、制御部６１０が、コンテンツ表示処理を実行する。コンテンツ表示処理は、前述したように、コンテンツ処理および他の処理とは独立して行なわれる処理である。その後、ステップＳ６２０の処理は終了する。
【０６４４】
ｎが“２”の場合、コンテンツ表示処理では、制御部６１０が、ＶＤＰ６３２を利用して、期間番号２データに含まれる動画像データをサービスサーバ８００Ａから受信しながら、動画像データに基づく画像を、表示部６３０に表示するストリーミング再生表示処理が行なわれる。なお、期間番号２データに含まれる動画像データの受信が完了し、動画像データに基づく画像の再生が終了した場合、このコンテンツ表示処理は終了する。
【０６４５】
ステップＳ６２２では、前述した処理が行なわれる。ｎが“２”の場合、既に受信した操作メタデータと同じ操作メタデータを受信したことになるので、ステップＳ６２６に進む。
【０６４６】
ステップＳ６２６では、制御部６１０が、コンテンツ表示処理において、期間番号２データに含まれる動画像データの受信が完了したか否かを判定する。なお、前述したように、ステップＳ６２６の処理は終了しても、受信が完了した動画像データに基づく画像の再生が終了するまで、コンテンツ表示処理は行なわれ続ける。また、前述したように、コンテンツ表示処理において、ｎが“２”の場合、期間番号２データに含まれる動画像データの受信が完了し、動画像データに基づく画像の再生が終了した場合に、コンテンツ表示処理は終了する。ここでは、期間番号２データに含まれる動画像データの受信が完了したとして、図４５の映像表示装置６００の処理に戻り、ステップＳ５２６の次のステップＳ５２７に進む。
【０６４７】
以上説明したステップＳ５２５，Ｓ５２５Ａ，Ｓ５２５Ｂ，Ｓ５２５Ｃ，Ｓ５２６の処理が、ステップＳ５２７において、ＹＥＳと判定されるまで繰り返されることで、表示部６３０には、コンテンツ取得操作があった取得要求コンテンツとしての動画像が再生表示される。
【０６４８】
次に、映像表示装置６００が、既に受信した操作メタデータとは異なる操作メタデータを、サービスサーバ８００Ａから受信する場合の処理について説明する。
【０６４９】
まず、映像表示装置６００において、ステップＳ５２５の処理が行なわれる。
ステップＳ５２５では、図３３のタイムテーブルデータＤ２７０の期間番号“５”に対応する期間番号ｎデータ（期間番号５データ）を、サービスサーバ８００Ａから受信するための処理を行なう。より具体的には、制御部６１０は、期間番号５データを取得するための期間番号ｎデータ取得要求を、サービスサーバ８００Ａへ送信する。その後、ステップＳ５２５の処理は終了する。
【０６５０】
ｎが“５”の場合、期間番号５データは、図１６のＣＭテーブルデータＤ２２０により特定される、「ＣＭ番号」が“５５５５”に対応する、ファイル名が「ＣＭ５５５５．ｍｐｇ」である動画像データ含むデータである。
【０６５１】
サービスサーバ８００Ａでは、ステップＳ５４４Ａの終了後、ステップＳ５４４の処理が行なわれる。
【０６５２】
ステップＳ５４４では、前述した処理が行なわれる。ここでは、期間番号ｎデータ取得要求を受信したとして、ステップＳ５４４Ａに進む。
【０６５３】
ステップＳ５４４Ａでは、制御部８１０が、期間番号ｎデータ取得要求により要求された期間番号ｎデータを、映像表示装置６００へ送信する。前述したように、ｎが“５”の場合、期間番号５データは、「ＣＭ番号」が“５５５５”に対応する、ファイル名が「ＣＭ５５５５．ｍｐｇ」である動画像データを含むデータである。
【０６５４】
ファイル名が「ＣＭ５５５５．ｍｐｇ」である動画像データには、ファイル名が「ｃｏｎｔ１２３４ｂｂ．ｍｅｔａ」である、図３８の操作メタデータＤ４１０が含まれる。なお、期間番号５データに含まれる動画像データはデータ容量が大きい。そのため、制御部８１０は、当該動画像データを、映像表示装置６００へストリーミング配信する。なお、要求された動画像データのストリーミング配信が終了すると、ステップＳ５４４Ａの処理は終了し、再度、ステップＳ５４４の処理が行なわれる。
【０６５５】
映像表示装置６００では、ステップＳ５２５の処理が終了すると、ステップＳ５２５Ａに進む。
【０６５６】
ステップＳ５２５Ａでは、ｎが“５”の場合、制御部６１０が、期間番号５データを受信する。これにより、制御部６１０は、期間番号５データに含まれる動画像データを受信する。期間番号５データに含まれる動画像データには、図３８の操作メタデータＤ４１０が含まれる。なお、ストリーミング配信される、期間番号５データに含まれる動画像データは、ステップＳ３２５Ａの処理が終了しても、動画像データは、制御部６１０により、受信され続ける。
【０６５７】
期間番号５データに含まれる動画像データには、前述の操作メタデータＤ４１０が含まれる。なお、コンテンツとしての動画像データには、操作メタデータＤ４１０が含まれず、付加されていてもよい。制御部６１０は、受信した操作メタデータＤ４１０を、一時記憶部６２２に記憶させる。その後、ステップＳ５２５Ｂに進む。
【０６５８】
ステップＳ５２５Ｂでは、前述したのと同様な処理が行なわれるので詳細な説明は繰り返さない。この処理により、受信した期間番号ｎデータに含まれる操作メタデータＤ４１０が、通信端末装置５００へ送信される。その後、このステップＳ５２５Ｂの処理は終了する。
【０６５９】
通信端末装置５００では、ステップＳ５１４の処理において、制御部５１０が、１つ目の操作メタデータまたは既に受信した操作メタデータとは異なる操作メタデータを受信したか否かを判定する。ここでは、既に受信した操作メタデータ（操作メタデータＤ４００）とは異なる操作メタデータ（操作メタデータＤ４１０）を受信したとして、ステップＳ５１４Ａに進む。
【０６６０】
ステップＳ５１４Ａでは、前述したのと同様な処理が行なわれるので詳細な説明は繰り返さない。受信した操作メタデータが、操作メタデータＤ４１０である場合、制御部５１０は、操作メタデータＤ４１０内の、「制御」の列の「再生」に対応する操作パネル生成パーツデータ（ボタン画像データ）を記憶部５２０から読出し、操作パネル画像内にボタン画像を配置することにより、操作パネル画像を生成する。また、制御部５１０は、操作パネル画像内に、操作メタデータＤ４１０内の、「映画予告」というハイパーリンク文字列を配置することにより、操作パネル画像を生成する。以上により、操作メタデータ４１０に基づいて生成された操作パネル画像は、たとえば、図２１の操作パネル画像ＰＧ１００Ａのようになる。
【０６６１】
そして、制御部６１０は、各制御に割り当てたボタン画像の名称を、各制御に対応づけて操作メタデータに追記する処理を行なう。操作メタデータが操作メタデータＤ４１０の場合、ボタン画像の名称が追記された操作メタデータは、図３９の操作メタデータＤ４１０Ａとなる。その後、ステップＳ５１４Ｂに進む。
【０６６２】
ステップＳ５１４Ｂでは、制御部５１０が、更新後操作メタデータとしての操作メタデータＤ４１０Ａを通信端末装置５００へ送信する。
【０６６３】
映像表示装置６００では、ステップＳ５２５Ｂの処理が終了すると、ステップＳ５２５Ｃに進む。
【０６６４】
ステップＳ５２５Ｃでは、制御部６１０が、更新後操作メタデータとしての操作メタデータＤ４１０Ａを受信し、受信した操作メタデータＤ４１０Ａを、一時記憶部６２２に記憶させる。その後、ステップＳ５２６に進む。
【０６６５】
通信端末装置５００では、ステップＳ５１４Ｂの処理が終了すると、ステップＳ５１５に進む。
【０６６６】
ステップＳ５１５では、前述したのと同様に操作パネル画像表示処理が行なわれるので詳細な説明は繰り返さない。この処理により、生成された操作パネル画像ＰＧ１００Ａが表示部５３０に表示される。その後、ステップＳ５１５の処理は終了する。
【０６６７】
ステップＳ５１５の処理が終了すると、ステップＳ５１６に進む。
ステップＳ５１６では、前述した処理が行なわれる。既に操作判定処理Ｂが実行されているので、制御部５１０は、実行中の操作判定処理Ｂを終了させ、新たな操作判定処理Ｂを実行する。新たに実行される操作判定処理Ｂは、他の処理とは独立して行なわれる処理である。ステップＳ５１６の処理が終了すると、再度、ステップＳ５１４の処理が行なわれる。
【０６６８】
映像表示装置６００では、ステップＳ５２５Ｃの処理が終了すると、ステップＳ５２６に進む。
【０６６９】
ステップＳ５２６では、前述した図４６のコンテンツ処理Ｂが行なわれる。
コンテンツ処理Ｂでは、まず、ステップＳ６２０において、制御部６１０が、コンテンツ表示処理を実行する。コンテンツ表示処理は、前述したように、コンテンツ処理および他の処理とは独立して行なわれる処理である。その後、ステップＳ６２０の処理は終了する。
【０６７０】
ｎが“５”の場合、コンテンツ表示処理では、制御部６１０が、ＶＤＰ６３２を利用して、期間番号５データに含まれる動画像データをサービスサーバ８００Ａから受信しながら、動画像データに基づく画像を、表示部６３０に表示するストリーミング再生表示処理が行なわれる。なお、期間番号５データに含まれる動画像データの受信が完了し、動画像データに基づく画像の再生が終了した場合、このコンテンツ表示処理は終了する。
【０６７１】
新たに実行された操作判定処理Ｂでは、前述したステップＳ６１０の処理が行なわれるので詳細な説明は繰り返さない。
【０６７２】
ステップＳ６１０では、制御部５１０が、表示制御操作があるか否かを判定する。この場合、表示制御操作は、表示部５３０に表示されている操作パネル画像内のボタン画像およびハイパーリンク文字列を押下処理またはクリックするためのインターフェース操作Ｍであるとする。ステップＳ６１０において、ＹＥＳならば、ステップＳ６１２に進む。一方、ステップＳ６１０において、ＮＯならば、再度、ステップＳ６１０の処理が行なわれる。
【０６７３】
表示部５３０に表示されている操作パネル画像が、操作パネル画像ＰＧ１００Ａである場合、コンテンツとしての動画像の早送り再生、録画処理等をするための表示制御操作をすることはできない。
【０６７４】
したがって、ファイル名が「ＣＭ５５５５．ｍｐｇ」であるＣＭの動画像を、表示部６３０に表示している期間は、動画像の早送り再生はできない。その結果、表示部６３０を見ているユーザは、ＣＭの動画像を見ることになる。したがって、ＣＭの動画像を早送り再生により視聴されないことを防ぐことができる。すなわち、ＣＭ提供会社等が不利益を被ることを防ぐことができる。
【０６７５】
なお、ステップＳ６１０の処理が行なわれる際、操作パネル画像ＰＧ１００Ａ内のハイパーリンク文字列ＰＣＧ１８０がクリックされるインターフェース操作Ｍである表示制御操作があったとする。これにより、ステップＳ６１２に進む。
【０６７６】
ステップＳ６１２では、前述したのと同様な処理が行なわれるので詳細な説明は繰り返さない。この処理により、制御リモコン信号が、映像表示装置６００へ送信される。ここでは、表示制御操作が、操作パネル画像ＰＧ１００Ａ内のハイパーリンク文字列ＰＣＧ１８０がクリックされるインターフェース操作Ｍであるとする。この場合、制御リモコン信号は、操作パネル画像ＰＧ１００Ａ内において、ハイパーリンク文字列ＰＣＧ１８０の文字列である「映画予告」の情報を含んだリモコン信号となる。ステップＳ６１２の処理が終了すると、再度、ステップＳ６１０の処理が行なわれる。
【０６７７】
コンテンツ処理Ａでは、ステップＳ６２０の処理が終了すると、ステップＳ６２２の処理に進む。
【０６７８】
ステップＳ６２２では、前述した処理が行なわれる。ｎが“５”の場合、制御部６１０は、既に受信した操作メタデータとは異なる操作メタデータを受信したと判定して、ステップＳ６２４に進む。
【０６７９】
ステップＳ６２４では、前述した処理が行なわれる。既に制御信号対応処理Ｂが実行されているので、制御部５１０は、実行中の制御信号対応処理Ｂを終了させ、新たな制御信号対応処理Ｂを実行する。新たに実行される制御信号対応処理Ｂは、他の処理とは独立して行なわれる処理である。ステップＳ６２４の処理が終了すると、ステップＳ６２６に進む。
【０６８０】
新たに実行される制御信号対応処理Ｂでは、まず、ステップＳ６３０の処理が行なわれる。
【０６８１】
ステップＳ６３０では、前述した処理が行なわれるので詳細な説明は繰り返さない。ステップＳ６３０において、ＹＥＳならば、ステップＳ６３２の処理に進む。一方、ステップＳ６３０において、ＮＯならば、再度、ステップＳ６３０の処理が行なわれる。ここでは、一例として、ハイパーリンク文字列ＰＣＧ１８０の文字列である「映画予告」の情報を含んだ制御リモコン信号を受信したとして、ステップＳ６３２に進む。
【０６８２】
ステップＳ６３２では、制御リモコン信号対応処理が行なわれる。制御リモコン信号対応処理では、前述したように、受信した制御リモコン信号に応じた処理が行なわれる。ここでは、ハイパーリンク文字列ＰＣＧ１８０の文字列である「映画予告」の情報を含んだ制御リモコン信号を受信したので、制御部６１０が以下の処理を行なう。
【０６８３】
制御部６１０は、図３９の操作メタデータＤ４１０Ａを参照し、ハイパーリンク文字列ＰＣＧ１８０の文字列である「映画予告」に対応する制御を行なう。すなわち、制御部６１０は、「http://www.bb.ne.jp/1234bb01.html」のＵＲＬにＷｅｂアクセスし、「http://www.bb.ne.jp/1234bb01.html」のＵＲＬのＷｅｂページの情報を、表示部６３０に表示させる。
【０６８４】
したがって、ファイル名が「ＣＭ５５５５．ｍｐｇ」であるＣＭの動画像を、表示部６３０に表示している期間、ユーザの興味ある情報を参照してもらうことができる。したがって、ファイル名が「ＣＭ５５５５．ｍｐｇ」であるＣＭの動画像を提供するコンテンツ提供会社等は、コンテンツに対応した情報をユーザに見てもらうことができ、効率のよい宣伝を行なうことができる。
【０６８５】
その後、ステップＳ６３２の処理は終了し、再度、ステップＳ６３０の処理が行なわれる。
【０６８６】
コンテンツ処理Ｂでは、ステップＳ６２４の処理が終了すると、ステップＳ６２６の処理に進む。
【０６８７】
ステップＳ６２６では、制御部６１０が、コンテンツ表示処理において、期間番号５データに含まれる動画像データの受信が完了したか否かを判定する。なお、前述したように、ステップＳ６２６の処理は終了しても、受信が完了した動画像データに基づく画像の再生が終了するまで、コンテンツ表示処理は行なわれ続ける。また、前述したように、コンテンツ表示処理において、ｎが“５”の場合、期間番号５データに含まれる動画像データの受信が完了し、動画像データに基づく画像の再生が終了した場合に、コンテンツ表示処理は終了する。ここでは、期間番号５データに含まれる動画像データの受信が完了したとして、図４５の映像表示装置６００の処理に戻り、ステップＳ５２６の次のステップＳ５２７に進む。
【０６８８】
次に、映像表示装置６００が、インタラクティブコンテンツを受信する場合の処理について説明する。インタラクティブコンテンツとは、たとえば、アンケートを集計するような、ユーザが参加できる番組である。また、インタラクティブコンテンツとは、たとえば、クイズ番組のような、ユーザが参加できる番組である。
【０６８９】
ステップＳ５１１の処理が行なわれるまでの処理は、前述したのと同様なので詳細な説明は繰り返さない。
【０６９０】
まず、ステップＳ５１２において、インターフェース操作Ｍにより、インタラクティブコンテンツを、取得するためのコンテンツ取得操作があったと判定され、ステップＳ５１３に進む。そして、ステップＳ５１３において前述したのと同様な処理が行なわれるので詳細な説明は繰り返さない。
【０６９１】
映像表示装置６００では、ステップＳ５２２，Ｓ５２３において、前述したのと同様な処理が行なわれるので詳細な説明は繰り返さない。
【０６９２】
サービスサーバ８００Ａでは、ステップＳ５４２，Ｓ５４３において、前述したのと同様な処理が行なわれるので詳細な説明は繰り返さない。
【０６９３】
映像表示装置６００では、ステップＳ５２４において、前述したのと同様な処理が行なわれるので詳細な説明は繰り返さない。これにより、映像表示装置６００は、コンテンツ基礎データＤ２６０、ＣＭテーブルデータＤ２２０およびタイムテーブルデータＤ２７０を受信したとする。
【０６９４】
そして、ステップＳ５２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０６９５】
サービスサーバ８００Ａでは、ステップＳ５４４，ステップＳ５４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０６９６】
映像表示装置６００では、ステップＳ５２５Ａにおいて、前述したのと同様な処理が行なわれるので詳細な説明は繰り返さない。この処理により、制御部６１０が、期間番号１データを受信する。期間番号１データは、ファイル名が「１２３４−１．ｍｐｇ」である動画像データを含むデータである。なお、期間番号１データに含まれる、コンテンツとしての動画像データには、操作メタデータが含まれる。なお、コンテンツとしての動画像データには、操作メタデータが含まれず、付加されていてもよい。制御部６１０は、受信した操作メタデータを、一時記憶部６２２に記憶させる。ここでは、操作メタデータは、一例として、図４０の操作メタデータＤ４２０であるとする。その後、ステップＳ５２５Ｂに進む。
【０６９７】
映像表示装置６００では、ステップＳ５２５Ｂの処理が行なわれる。ステップＳ５２５Ｂでは、前述したのと同様な処理が行なわれるので詳細な説明は繰り返さない。制御部６１０が、受信した期間番号１データに含まれる操作メタデータＤ４２０を、通信端末装置５００へ送信する。その後、このステップＳ５２５Ｂの処理は終了する。
【０６９８】
通信端末装置５００では、ステップＳ５１４において、１つめの操作メタデータを受信したとして、ステップＳ５１４Ａに進む。
【０６９９】
ステップＳ５１４Ａでは、制御部５１０が、前述したのと同様な処理が行なわれるので詳細な説明は繰り返さない。受信した操作メタデータが、操作メタデータＤ４２０である場合、制御部６１０は、操作メタデータＤ４２０内の、「制御」の列の各制御に対応する操作パネル生成パーツデータ（ボタン画像データ）を記憶部６２０から読出し、操作パネル画像内にボタン画像を配置することにより、操作パネル画像を生成する。以上により、操作メタデータ４２０に基づいて生成された操作パネル画像は、たとえば、図２３の操作パネル画像ＰＧ２００のようになる。
【０７００】
そして、制御部６１０は、各制御に割り当てたボタン画像の名称を、各制御に対応づけて操作メタデータに追記する処理を行なう。操作メタデータが操作メタデータＤ４２０の場合、ボタン画像の名称が追記された操作メタデータは、以下の操作メタデータＤ４２０Ａとなる。その後、ステップＳ５１４Ｂに進む。
【０７０１】
ステップＳ５１４Ｂでは、制御部５１０が、更新後操作メタデータとしての操作メタデータＤ４２０Ａを、映像表示装置６００へ送信する。
【０７０２】
映像表示装置６００では、ステップＳ５２５Ｂの処理が終了すると、ステップＳ５２５Ｃに進む。
【０７０３】
ステップＳ５２５Ｃでは、制御部６１０が、更新後操作メタデータとしての操作メタデータＤ４２０Ａを受信し、受信した操作メタデータＤ４２０Ａを、一時記憶部６２２に記憶させる。その後、ステップＳ５２６に進む。
【０７０４】
通信端末装置５００では、ステップＳ５１４Ｂの処理が終了すると、ステップＳ５１５に進む。そして、ステップＳ５１５，ステップＳ５１６において、前述したのと同様な処理が行なわれるので詳細な説明は繰り返さない。これらの処理により、表示部５３０には、操作パネル画像ＰＧ２００が表示される。また、図４６の操作判定処理Ｂが実行される。
【０７０５】
映像表示装置６００では、ステップＳ５２６の処理が、図４６に基づいて行なわれる。
ステップＳ６２０では、前述したのと同様な処理が行なわれるので詳細な説明は繰り返さない。
【０７０６】
操作判定処理Ｂでは、ステップＳ６１０において、前述したのと同様な処理が行なわれるので詳細な説明は繰り返さない。ここでは、表示制御操作があったとして、ステップＳ６１２に進む。この場合、表示制御操作は、表示部５３０に表示されている操作パネル画像ＰＧ２００内の、ボタン画像名が「番号１」である数字ボタン画像ＰＢＧ２１１を押下処理するためのインターフェース操作Ｍであるとする。
【０７０７】
ステップＳ６１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「番号１」である数字ボタン画像ＰＢＧ２１１を押下処理するためのインターフェース操作Ｍであるとする。この場合、制御リモコン信号は、ボタン画像ＰＢＧ２１１の名称である「番号１」の情報を含んだリモコン信号となる。
【０７０８】
コンテンツ処理Ｂでは、ステップＳ６２２，ステップＳ６２４において、前述したのと同様な処理が行なわれるので詳細な説明は繰り返さない。これらの処理により、制御信号対応処理Ｂが実行される。
【０７０９】
制御信号対応処理Ｂでは、ステップＳ６３０の処理が行なわれる。ステップＳ６３０では、前述した処理が行なわれるので詳細な説明は繰り返さない。ここでは、一例として、ボタン画像ＰＢＧ２１１の名称である「番号１」の情報を含んだリモコン信号を受信したとして、ステップＳ６３２に進む。
【０７１０】
ステップＳ６３２では、制御リモコン信号対応処理が行なわれる。制御リモコン信号対応処理では、前述したように、受信した制御リモコン信号に応じた処理が行なわれる。ここでは、ボタン画像ＰＢＧ２１１の名称である「番号１」の情報を含んだ制御リモコン信号を受信したので、制御部６１０が以下の処理を行なう。
【０７１１】
制御部６１０は、図４１の操作メタデータＤ４２０Ａを参照し、ボタン画像ＰＢＧ２１１の名称である「番号１」に対応する制御を行なう。すなわち、制御部６１０は、「http://www.bb.ne.jp/1234aa01.html」のＵＲＬにＷｅｂアクセスする。Ｗｅｂアクセスされるサーバは、たとえば、サービスサーバ８００Ａである。
【０７１２】
以上の処理が行なわれることにより、Ｗｅｂアクセスされたサービスサーバ８００Ａでは、アクセスされた回数を集計することで、たとえば、アンケートの集計等を行なうことができる。すなわち、インタラクティブコンテンツに対応した操作パネル画像を利用して、ユーザが番組において行なわれる、アンケート等の企画に参加することができる。
【０７１３】
なお、映像表示装置６００が受信するコンテンツは、３Ｄコンテンツであってもよい。３Ｄコンテンツは、一例として、図２５の３Ｄコンテンツ３ＤＧであるとする。
【０７１４】
次に、映像表示装置６００が、３Ｄコンテンツ３ＤＧを受信する場合の処理について説明する。
【０７１５】
ステップＳ５１１の処理が行なわれるまでの処理は、前述したのと同様なので詳細な説明は繰り返さない。
【０７１６】
まず、ステップＳ５１２において、インターフェース操作Ｍにより、３Ｄコンテンツ３ＤＧを、取得するためのコンテンツ取得操作があったと判定され、ステップＳ５１３に進む。そして、ステップＳ５１３において前述したのと同様な処理が行なわれるので詳細な説明は繰り返さない。
【０７１７】
映像表示装置６００では、ステップＳ５２２，Ｓ５２３において、前述したのと同様な処理が行なわれるので詳細な説明は繰り返さない。
【０７１８】
サービスサーバ８００Ａでは、ステップＳ５４２において、前述したのと同様な処理が行なわれるので詳細な説明は繰り返さない。ここでは、コンテンツ取得要求Ａを受信したとして、ステップＳ５４３に進む。
【０７１９】
ステップＳ５４３では、前述したのと同様に、制御部８１０が、コンテンツ再生必要データを、映像表示装置６００へ送信する。その後、ステップＳ５４３の処理は終了する。コンテンツ再生必要データには、図４２（Ａ）のコンテンツ基礎データＤ２６０Ａおよび図４２（Ｂ）のタイムテーブルデータＤ２７０Ａが含まれる。
【０７２０】
映像表示装置６００では、ステップＳ５２４において、前述したのと同様な処理が行なわれるので詳細な説明は繰り返さない。これにより、映像表示装置６００は、コンテンツ基礎データＤ２６０ＡおよびタイムテーブルデータＤ２７０Ａを含むコンテンツ再生必要データを受信したとする。
【０７２１】
そして、ステップＳ５２５において、前述したのと同様な処理が行なわれる。ここでは、制御部６１０は、ｎが“１”であるとして、期間番号１データを取得するための期間番号ｎデータ取得要求を、サービスサーバ８００Ａへ送信する。
【０７２２】
サービスサーバ８００Ａでは、ステップＳ５４４，ステップＳ５４４Ａにおいて、前述したのと同様な処理が行なわれるので詳細な説明は繰り返さない。これにより、制御部８１０が、期間番号ｎデータ取得要求により要求された期間番号１データを、映像表示装置６００へ送信する。
【０７２３】
映像表示装置６００では、ステップＳ５２５Ａにおいて、前述したのと同様な処理が行なわれるので詳細な説明は繰り返さない。この処理により、制御部６１０が、期間番号１データを受信する。期間番号１データは、ファイル名が「１２３４．ｄｔ」である３Ｄコンテンツデータを含むデータである。なお、期間番号１データに含まれる、３Ｄコンテンツデータには、ファイル名が「ｃｏｎｔ１２３４ｄｄ．ｍｅｔａ」である操作メタデータが含まれる。なお、３Ｄコンテンツデータには、操作メタデータが含まれず、付加されていてもよい。制御部６１０は、受信した操作メタデータを、一時記憶部６２２に記憶させる。ここでは、操作メタデータは、一例として、図４３の操作メタデータＤ４３０であるとする。
【０７２４】
映像表示装置６００では、ステップＳ５２５Ｂの処理が行なわれる。ステップＳ５２５Ｂでは、前述したのと同様な処理が行なわれるので詳細な説明は繰り返さない。この処理により、受信した期間番号１データに含まれる操作メタデータＤ４３０が、通信端末装置５００へ送信される。その後、このステップＳ５２５Ｂの処理は終了する。
【０７２５】
通信端末装置５００では、ステップＳ５１４において、１つめの操作メタデータを受信したとして、ステップＳ５１４Ａに進む。
【０７２６】
ステップＳ５１４Ａでは、前述したのと同様な処理が行なわれるので詳細な説明は繰り返さない。受信した操作パネルデータが、操作メタデータＤ４３０である場合、制御部５１０は、操作メタデータＤ４３０内の、「制御」の列の各制御に対応する操作パネル生成パーツデータ（ボタン画像データ）を記憶部６２０から読出し、操作パネル画像内にボタン画像を配置することにより、操作パネル画像を生成する。以上により、操作メタデータ４３０に基づいて生成された操作パネル画像は、たとえば、図２７の操作パネル画像ＰＧ３００のようになる。これにより、当該操作パネル画像を生成するための操作パネル生成データが生成される。
【０７２７】
そして、制御部５１０は、各制御に割り当てたボタン画像の名称を、各制御に対応づけて操作メタデータに追記する処理を行なう。操作メタデータが操作メタデータＤ４３０の場合、ボタン画像の名称が追記された操作メタデータは、図４４の操作メタデータＤ４３０Ａとなる。その後、ステップＳ５１４Ｂに進む。
【０７２８】
ステップＳ５１４Ｂでは、制御部５１０が、更新後操作メタデータとしての操作メタデータＤ４３０Ａを、映像表示装置６００へ送信する。
【０７２９】
映像表示装置６００では、ステップＳ５２５Ｂの処理が終了すると、ステップＳ５２５Ｃに進む。
【０７３０】
ステップＳ５２５Ｃでは、制御部６１０が、更新後操作メタデータとしての操作メタデータＤ４３０Ａを受信し、受信した操作メタデータＤ４３０Ａを、一時記憶部６２２に記憶させる。その後、ステップＳ５２６に進む。
【０７３１】
通信端末装置５００では、ステップＳ５１４Ｂの処理が終了すると、ステップＳ５１５に進む。そして、ステップＳ５１５，ステップＳ５１６において、前述したのと同様な処理が行なわれるので詳細な説明は繰り返さない。これらの処理により、表示部５３０には、操作パネル画像ＰＧ３００が表示される。また、図４６の操作判定処理Ｂが実行される。
【０７３２】
映像表示装置６００では、ステップＳ５２６の処理が、図４６に基づいて行なわれる。
ステップＳ６２０では、制御部６１０が、コンテンツ表示処理を実行する。コンテンツ表示処理は、コンテンツ処理Ｂおよび他の処理とは独立して行なわれる処理である。その後、ステップＳ６２０の処理は終了する。
【０７３３】
コンテンツ表示処理では、制御部６１０が、ＶＤＰ６３２を利用して、期間番号ｎデータに含まれる、図２５の３Ｄコンテンツ３ＤＧを、表示部６３０に表示する。そして、このコンテンツ表示処理は終了する。
【０７３４】
操作判定処理Ｂでは、ステップＳ６１０において、前述したのと同様な処理が行なわれるので詳細な説明は繰り返さない。ここでは、表示制御操作があったとして、ステップＳ６１２に進む。この場合、表示制御操作は、表示部５３０に表示されている操作パネル画像ＰＧ３００内の、ボタン画像名が「左回転」であるボタン画像ＰＢＧ３１６を押下処理するためのインターフェース操作Ｍであるとする。
【０７３５】
ステップＳ６１２では、前述したのと同様な処理が行なわれるので詳細な説明は繰り返さない。この処理により、制御リモコン信号が、映像表示装置６００へ送信される。前述したように、ここでは、表示制御操作が、ボタン画像名が「左回転」であるボタン画像ＰＢＧ３１６を押下処理するためのインターフェース操作Ｍであるとする。この場合、制御リモコン信号は、ボタン画像ＰＢＧ３１６の名称である「左回転」の情報を含んだリモコン信号となる。
【０７３６】
コンテンツ処理Ｂでは、ステップＳ６２２，ステップＳ６２４において、前述したのと同様な処理が行なわれるので詳細な説明は繰り返さない。これらの処理により、制御信号対応処理Ｂが実行される。
【０７３７】
制御信号対応処理Ｂでは、ステップＳ６３０の処理が行なわれる。ステップＳ６３０では、前述した処理が行なわれるので詳細な説明は繰り返さない。ここでは、一例として、ボタン画像ＰＢＧ３１６の名称である「左回転」の情報を含んだリモコン信号を受信したとして、ステップＳ６３２に進む。
【０７３８】
ステップＳ６３２では、制御リモコン信号対応処理が行なわれる。制御リモコン信号対応処理では、前述したように、受信した制御リモコン信号に応じた処理が行なわれる。ここでは、ボタン画像ＰＢＧ３１６の名称である「左回転」の情報を含んだ制御リモコン信号を受信したので、制御部６１０が以下の処理を行なう。
【０７３９】
制御部６１０は、図４４の操作メタデータＤ４３０Ａを参照し、ボタン画像ＰＢＧ３１６の名称である「左回転」に対応する制御を行なう。すなわち、制御部６１０は、表示部６３０に表示されている、図２５の３Ｄコンテンツ３ＤＧを、水平方向に対し左に向かって、１０度、回転させる処理を行なう。
【０７４０】
以上の処理が行なわれることにより、３Ｄコンテンツを、回転、拡大および縮小したりできる。すなわち、ユーザの操作により、３Ｄコンテンツを様々な状態で表示することができる。
【０７４１】
なお、本実施の形態で使用される操作パネル画像は、図２９の操作パネル画像ＰＧ４００のようなものであってもよい。また、本実施の形態で使用される操作パネル画像は、受信したコンテンツが音楽である場合、音楽の音質を自由に変更可能なイコライザーが表示されたものであってもよい。なお、操作パネル画像は、前述したものに限定されない。
【０７４２】
以上説明したように、本実施の形態では、映像表示装置６００は、サービスサーバ８００Ａからコンテンツを受信するとともに、コンテンツを操作するための操作メタデータを受信する。映像表示装置６００は、受信した操作メタデータを、通信端末装置５００へ送信する。通信端末装置５００は、受信した操作メタデータに基づいて、テンプレートデータとしてとの操作パネル生成パーツデータ（ボタン画像データ）を使用して、操作パネル画像を生成し、操作パネル画像を、表示部５３０に表示させる。通信端末装置５００は、受信するコンテンツに応じた操作パネル画像を利用して、映像表示装置６００の表示部６３０に表示されているコンテンツを制御する。
【０７４３】
したがって、通信端末装置５００が、操作パネル画像を生成する本実施の形態においても、第１の実施の形態と同様な効果を奏することができる。すなわち、本実施の形態によれば、コンテンツを制御するのに適した操作パネル画像を使用してコンテンツを制御することができる。その結果、コンテンツの種類に応じた自由度の高い操作系を得ることができるという効果を奏する。
【０７４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０７４５】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】コンテンツ取扱い処理のフローチャートである。
【図１１】一例としてのリストデータを示す図である。
【図１２】一例としてのリスト画像を示す図である。
【図１３】一例としてのリスト画像を示す図である。
【図１４】一例としてのコンテンツ基礎データを示す図である
【図１５】一例としてのタイムテーブルデータを示す図である。
【図１６】一例としてのＣＭテーブルデータを示す図である。
【図１７】一例としての操作パネル画像を示す図である。
【図１８】一例としての操作メタデータを示す図である。
【図１９】一例としての合成画像を示す図である。
【図２０】操作判定処理およびコンテンツ処理のフローチャートである。
【図２１】一例としての操作パネル画像を示す図である。
【図２２】一例としての操作メタデータを示す図である。
【図２３】一例としての操作パネル画像を示す図である。
【図２４】一例としての操作メタデータを示す図である。
【図２５】一例としての３Ｄコンテンツを示す図である。
【図２６】一例としての、コンテンツ基礎データおよびタイムテーブルデータを示す図である。
【図２７】一例としての操作パネル画像を示す図である。
【図２８】一例としての操作メタデータを示す図である。
【図２９】一例としての操作パネル画像を示す図である。
【図３０】一例としての操作メタデータを示す図である。
【図３１】コンテンツ取扱い処理Ａのフローチャートである。
【図３２】一例としてのコンテンツ基礎データを示す図である。
【図３３】一例としてのタイムテーブルデータを示す図である。
【図３４】一例としての操作メタデータを示す図である。
【図３５】通信端末装置の一例としてのインターフェース情報を示す図である。
【図３６】一例としての操作メタデータを示す図である。
【図３７】操作判定処理Ａおよびコンテンツ処理Ａのフローチャートである。
【図３８】一例としての操作メタデータを示す図である。
【図３９】一例としての操作メタデータを示す図である。
【図４０】一例としての操作メタデータを示す図である。
【図４１】一例としての操作メタデータを示す図である。
【図４２】一例としての、コンテンツ基礎データおよびタイムテーブルデータを示す図である。
【図４３】一例としての操作メタデータを示す図である。
【図４４】一例としての操作メタデータを示す図である。
【図４５】コンテンツ取扱い処理Ｂのフローチャートである。
【図４６】操作判定処理Ｂおよびコンテンツ処理Ｂのフローチャートである。
【符号の説明】
【０７４６】
５０  通信部、７０  ネットワーク、１８０，１８０Ａ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2007304978.tif 000003
【図２】
2007304978.tif 000004
【図３】
2007304978.tif 000005
【図４】
2007304978.tif 000006
【図５】
2007304978.tif 000007
【図６】
2007304978.tif 000008
【図７】
2007304978.tif 000009
【図８】
2007304978.tif 000010
【図９】
2007304978.tif 000011
【図１０】
2007304978.tif 000012
【図１１】
2007304978.tif 000013
【図１２】
2007304978.tif 000014
【図１３】
2007304978.tif 000015
【図１４】
2007304978.tif 000016
【図１５】
2007304978.tif 000017
【図１６】
2007304978.tif 000018
【図１７】
2007304978.tif 000019
【図１８】
2007304978.tif 000020
【図１９】
2007304978.tif 000021
【図２０】
2007304978.tif 000022
【図２１】
2007304978.tif 000023
【図２２】
2007304978.tif 000024
【図２３】
2007304978.tif 000025
【図２４】
2007304978.tif 000026
【図２５】
2007304978.tif 000027
【図２６】
2007304978.tif 000028
【図２７】
2007304978.tif 000029
【図２８】
2007304978.tif 000030
【図２９】
2007304978.tif 000031
【図３０】
2007304978.tif 000032
【図３１】
2007304978.tif 000033
【図３２】
2007304978.tif 000034
【図３３】
2007304978.tif 000035
【図３４】
2007304978.tif 000036
【図３５】
2007304978.tif 000037
【図３６】
2007304978.tif 000038
【図３７】
2007304978.tif 000039
【図３８】
2007304978.tif 000040
【図３９】
2007304978.tif 000041
【図４０】
2007304978.tif 000042
【図４１】
2007304978.tif 000043
【図４２】
2007304978.tif 000044
【図４３】
2007304978.tif 000045
【図４４】
2007304978.tif 000046
【図４５】
2007304978.tif 000047
【図４６】
2007304978.tif 000048